(57)【要約】  ユーザ機器（ＵＥ）（１１０）における方法が開示される。本方法は、１つまたは複数の無線リンク監視設定を取得すること（７０１）であって、各無線リンク監視設定が少なくとも１つの帯域幅部分に関連する、１つまたは複数の無線リンク監視設定を取得すること（７０１）を含む。本方法は、ＵＥがソース帯域幅部分からターゲット帯域幅部分に切り替えるべきであると決定すること（７０２）を含む。本方法は、ターゲット帯域幅部分に関連する取得された無線リンク監視設定に従って、ターゲット帯域幅部分に対して無線リンク監視を実施すること（７０３）を含む。【選択図】図７
2021503754.tif 000002
【特許請求の範囲】
【請求項１】
ユーザ機器（ＵＥ）（１１０）における方法であって、
１つまたは複数の無線リンク監視設定を取得すること（７０１）であって、各無線リンク監視設定が少なくとも１つの帯域幅部分に関連する、１つまたは複数の無線リンク監視設定を取得すること（７０１）と、
前記ＵＥがソース帯域幅部分からターゲット帯域幅部分に切り替えるべきであると決定すること（７０２）と、
前記ターゲット帯域幅部分に関連する取得された無線リンク監視設定に従って、前記ターゲット帯域幅部分に対して無線リンク監視を実施すること（７０３）と
を含む、方法。
【請求項２】
前記１つまたは複数の無線リンク監視設定を取得することが、ネットワークノード（１６０）からのメッセージ中で前記１つまたは複数の無線リンク監視設定を受信することを含む、請求項１に記載の方法。
【請求項３】
前記１つまたは複数の無線リンク監視設定を取得することが、１つまたは複数のあらかじめ規定されたルールに従って前記１つまたは複数の無線リンク監視設定を決定することを含む、請求項１に記載の方法。
【請求項４】
各無線リンク監視設定が、
その関連する帯域幅部分内で無線リンク監視を実施するための無線リソースのセットと、
その関連する帯域幅部分内で無線リンク監視を実施するための１つまたは複数の設定パラメータと
を含む、請求項１から３のいずれか一項に記載の方法。
【請求項５】
無線リソースの前記セットがチャネル状態情報参照信号（ＣＳＩ−ＲＳ）リソースを含む、請求項４に記載の方法。
【請求項６】
無線リソースの前記セットが同期信号ブロック（ＳＳＢ）を含む、請求項４に記載の方法。
【請求項７】
その関連する帯域幅部分内で無線リンク監視を実施するための前記１つまたは複数の設定パラメータは、
１つまたは複数のフィルタ処理パラメータと、
１つまたは複数の無線リンク失敗タイマーと、
評価期間と、
無線リンク失敗が宣言される前の再送信の数と、
仮想的チャネル設定と、
仮想的信号設定と、
測定されたリンク品質および仮想的チャネルブロック誤り率についての、マッピング関数と
のうちの１つまたは複数を含む、請求項４から６のいずれか一項に記載の方法。
【請求項８】
その関連する帯域幅部分内で無線リンク監視を実施するための前記１つまたは複数の設定パラメータが、１つまたは複数のフィルタ処理パラメータを含み、
前記１つまたは複数のフィルタ処理パラメータが、Ｎ３１０、Ｎ３１１、Ｎ３１３、およびＮ３１４カウンタのうちの１つまたは複数を含む、
請求項７に記載の方法。
【請求項９】
その関連する帯域幅部分内で無線リンク監視を実施するための前記１つまたは複数の設定パラメータが、１つまたは複数の無線リンク失敗タイマーを含み、
前記１つまたは複数の無線リンク失敗タイマーが、Ｔ３１０、Ｔ３１１、Ｔ３１３、およびＴ３１４タイマーのうちの１つまたは複数を含む、
請求項７または８に記載の方法。
【請求項１０】
前記取得された１つまたは複数の無線リンク監視設定のうちの少なくとも１つが、デフォルト無線リンク監視設定を含む、請求項１から９のいずれか一項に記載の方法。
【請求項１１】
前記デフォルト無線リンク監視設定がデフォルト帯域幅部分に関連する、請求項１０に記載の方法。
【請求項１２】
第１の帯域幅部分および第２の帯域幅部分のダウンリンクチャネル品質の監視を実施することをさらに含み、監視を前記実施することは、
第１の時間期間中に、前記第１の帯域幅部分に関連する無線リンク監視設定に従って前記第１の帯域幅部分の無線リンク品質を推定することと、
第２の時間期間中に、前記第２の帯域幅部分に関連する無線リンク監視設定に従って前記第２の帯域幅部分の無線リンク品質を推定することであって、前記第２の時間期間が前記第１の時間期間と少なくとも部分的に重複する、前記第２の帯域幅部分の無線リンク品質を推定することと
を含む、請求項１から１１のいずれか一項に記載の方法。
【請求項１３】
前記第１の帯域幅部分が前記ソース帯域幅部分を含み、
前記第２の帯域幅部分が前記ターゲット帯域幅部分を含む、
請求項１２に記載の方法。
【請求項１４】
前記監視が、前記第１の帯域幅部分および前記第２の帯域幅部分のうちの１つまたは複数のアクティブ化レートに基づいてトリガされる、請求項１２または１３に記載の方法。
【請求項１５】
前記ターゲット帯域幅部分に関連する前記無線リンク監視設定が、無線リソースの複数のセットを含み、前記方法が、
あらかじめ規定されたルールに基づいて、前記ターゲット帯域幅部分に対して無線リンク監視を実施するために使用すべき無線リソースの前記複数のセットのうちの１つまたは複数を選択すること
をさらに含む、請求項１から１４のいずれか一項に記載の方法。
【請求項１６】
複数の無線リンク監視設定が前記ターゲット帯域幅部分に関連し、前記方法が、
前記ターゲット帯域幅部分に対して無線リンク監視を実施するために前記複数の無線リンク監視設定のうちの１つを使用するようにとの命令をダウンリンク制御情報を介して受信すること
をさらに含む、請求項１から１５のいずれか一項に記載の方法。
【請求項１７】
前記ソース帯域幅部分に関連する無線リンク監視設定と、前記ターゲット帯域幅部分に関連する前記無線リンク監視設定とが、同じ無線リソースを使用し、前記ターゲット帯域幅部分に関連する前記取得された無線リンク監視設定に従って前記ターゲット帯域幅部分に対して無線リンク監視を実施することが、
同期外れイベントおよび同期中イベントを生成するために、前に実施された測定および前に実施された測定サンプルのうちの１つまたは複数を使用すること
を含む、請求項１から１６のいずれか一項に記載の方法。
【請求項１８】
前記ソース帯域幅部分に関連する無線リンク監視設定と前記ターゲット帯域幅部分に関連する前記無線リンク監視設定とが、異なる無線リソースを使用する、請求項１から１６のいずれか一項に記載の方法。
【請求項１９】
前記ターゲット帯域幅部分に関連する前記取得された無線リンク監視設定に従って、前記ターゲット帯域幅部分に対して無線リンク監視を実施することが、
無線リンク失敗タイマーまたは無線リンク失敗カウンタをリセットすることなしに同期外れイベントおよび同期中イベントを生成するために、前に実施された測定および前に実施された測定サンプルのうちの１つまたは複数に相関関数を適用すること
を含む、請求項１８に記載の方法。
【請求項２０】
前記ターゲット帯域幅部分に関連する前記取得された無線リンク監視設定に従って、前記ターゲット帯域幅部分に対して無線リンク監視を実施することが、
無線リンク失敗タイマーおよび無線リンク失敗カウンタのうちの少なくとも１つをリセットすること
を含む、請求項１８に記載の方法。
【請求項２１】
無線リンク失敗タイマーおよび無線リンク失敗カウンタのうちの少なくとも１つをリセットすることは、
同期外れイベントのための無線リンク監視に関連する無線リンク失敗タイマーおよび無線リンク失敗カウンタのセットをリセットすることと、
同期中イベントのための無線リンク監視に関連する無線リンク失敗タイマーおよび無線リンク失敗カウンタのセットが継続することを可能にすることと
を含む、請求項２０に記載の方法。
【請求項２２】
無線リンク失敗タイマーおよび無線リンク失敗カウンタのうちの少なくとも１つをリセットすることが、
無線リンク失敗カウンタをリセットすることなしに１つまたは複数の無線リンク失敗タイマーをリセットすること
を含む、請求項２０に記載の方法。
【請求項２３】
ネットワークノード（１６０）における方法であって、
１つまたは複数の無線リンク監視設定を決定すること（９０１）であって、各無線リンク監視設定が少なくとも１つの帯域幅部分に関連する、１つまたは複数の無線リンク監視設定を決定すること（９０１）と、
ターゲット帯域幅部分に関連する無線リンク監視設定に従って、前記ターゲット帯域幅部分に対して無線リンク監視を実施するようにユーザ機器（ＵＥ）（１１０）を設定すること（９０２）と
を含む、方法。
【請求項２４】
前記ターゲット帯域幅部分に関連する前記無線リンク監視設定に従って、前記ターゲット帯域幅部分に対して無線リンク監視を実施するように前記ＵＥを設定することが、
前記ターゲット帯域幅部分に関連する前記無線リンク監視設定の指示を前記ＵＥに送ること
を含む、請求項２３に記載の方法。
【請求項２５】
前記ターゲット帯域幅部分に関連する前記無線リンク監視設定の前記指示を前記ＵＥに送ることが、
前記ターゲット帯域幅部分のための帯域幅部分設定内の情報エレメント中で、前記ターゲット帯域幅部分に関連する前記無線リンク監視設定の指示を送ること
を含む、請求項２４に記載の方法。
【請求項２６】
前記ターゲット帯域幅部分に関連する前記無線リンク監視設定の前記指示を前記ＵＥに送ることが、
サービングセル設定内の情報エレメント中で、前記ターゲット帯域幅部分に関連する前記無線リンク監視設定の指示を送ること
を含む、請求項２４に記載の方法。
【請求項２７】
前記指示が無線リンク監視設定識別子を含む、請求項２６に記載の方法。
【請求項２８】
前記ターゲット帯域幅部分に関連する前記無線リンク監視設定に従って、前記ターゲット帯域幅部分に対して無線リンク監視を実施するように前記ＵＥを設定することが、
１つまたは複数のあらかじめ規定されたルールに従って、前記ターゲット帯域幅部分に関連する前記無線リンク監視設定を決定するように前記ＵＥを設定すること
を含む、請求項２３に記載の方法。
【請求項２９】
各無線リンク監視設定が、
その関連する帯域幅部分内で無線リンク監視を実施するための無線リソースのセットと、
その関連する帯域幅部分内で無線リンク監視を実施するための１つまたは複数の設定パラメータと
を含む、請求項２３から２８のいずれか一項に記載の方法。
【請求項３０】
無線リソースの前記セットがチャネル状態情報参照信号（ＣＳＩ−ＲＳ）リソースを含む、請求項２９に記載の方法。
【請求項３１】
無線リソースの前記セットが同期信号ブロック（ＳＳＢ）を含む、請求項２９に記載の方法。
【請求項３２】
その関連する帯域幅部分内で無線リンク監視を実施するための前記１つまたは複数の設定パラメータは、
１つまたは複数のフィルタ処理パラメータと、
１つまたは複数の無線リンク失敗タイマーと、
評価期間と、
無線リンク失敗が宣言される前の再送信の数と、
仮想的チャネル設定と、
仮想的信号設定と、
測定されたリンク品質および仮想的チャネルブロック誤り率についての、マッピング関数と
のうちの１つまたは複数を含む、請求項２９から３１のいずれか一項に記載の方法。
【請求項３３】
その関連する帯域幅部分内で無線リンク監視を実施するための前記１つまたは複数の設定パラメータが、１つまたは複数のフィルタ処理パラメータを含み、
前記１つまたは複数のフィルタ処理パラメータが、Ｎ３１０、Ｎ３１１、Ｎ３１３、およびＮ３１４カウンタのうちの１つまたは複数を含む、
請求項３２に記載の方法。
【請求項３４】
その関連する帯域幅部分内で無線リンク監視を実施するための前記１つまたは複数の設定パラメータが、１つまたは複数の無線リンク失敗タイマーを含み、
前記１つまたは複数の無線リンク失敗タイマーが、Ｔ３１０、Ｔ３１１、Ｔ３１３、およびＴ３１４タイマーのうちの１つまたは複数を含む、
請求項３２または３３に記載の方法。
【請求項３５】
前記決定された１つまたは複数の無線リンク監視設定のうちの少なくとも１つが、デフォルト無線リンク監視設定を含む、請求項２３から３４のいずれか一項に記載の方法。
【請求項３６】
前記デフォルト無線リンク監視設定がデフォルト帯域幅部分に関連する、請求項３５に記載の方法。
【請求項３７】
前記ターゲット帯域幅部分に関連する前記無線リンク監視設定が、無線リソースの複数のセットを含み、前記方法が、
あらかじめ規定されたルールに基づいて、前記ターゲット帯域幅部分に対して無線リンク監視を実施するために使用すべき無線リソースの前記複数のセットのうちの１つまたは複数を選択するように前記ＵＥを設定すること
をさらに含む、請求項２３から３６のいずれか一項に記載の方法。
【請求項３８】
複数の無線リンク監視設定が前記ターゲット帯域幅部分に関連し、前記方法が、
前記ターゲット帯域幅部分に対して無線リンク監視を実施するために前記複数の無線リンク監視設定のうちの１つを使用するようにとの命令を前記ＵＥに送ること
をさらに含む、請求項２３から３７のいずれか一項に記載の方法。
【請求項３９】
ソース帯域幅部分に関連する無線リンク監視設定と、前記ターゲット帯域幅部分に関連する前記無線リンク監視設定とが、同じ無線リソースを使用し、前記ターゲット帯域幅部分に関連する前記無線リンク監視設定に従って前記ターゲット帯域幅部分に対して無線リンク監視を実施するように前記ＵＥを設定することが、
同期外れイベントおよび同期中イベントを生成するために、前に実施された測定および前に実施された測定サンプルのうちの１つまたは複数を使用するように前記ＵＥを設定すること
を含む、請求項２３から３８のいずれか一項に記載の方法。
【請求項４０】
ソース帯域幅部分に関連する無線リンク監視設定と前記ターゲット帯域幅部分に関連する前記無線リンク監視設定とが、異なる無線リソースを使用する、請求項２３から３８のいずれか一項に記載の方法。
【請求項４１】
前記ターゲット帯域幅部分に関連する前記無線リンク監視設定に従って、前記ターゲット帯域幅部分に対して無線リンク監視を実施するように前記ＵＥを設定することが、
無線リンク失敗タイマーまたは無線リンク失敗カウンタをリセットすることなしに同期外れイベントおよび同期中イベントを生成するために、１つまたは複数の前に実施された測定および前に実施された測定サンプルに相関関数を適用するように前記ＵＥを設定すること
を含む、請求項４０に記載の方法。
【請求項４２】
前記ターゲット帯域幅部分に関連する前記無線リンク監視設定に従って、前記ターゲット帯域幅部分に対して無線リンク監視を実施するように前記ＵＥを設定することが、
無線リンク失敗タイマーおよび無線リンク失敗カウンタのうちの少なくとも１つをリセットするように前記ＵＥを設定すること
を含む、請求項４０に記載の方法。
【請求項４３】
無線リンク失敗タイマーおよび無線リンク失敗カウンタのうちの少なくとも１つをリセットするように前記ＵＥを設定することは、
同期外れイベントのための無線リンク監視に関連する無線リンク失敗タイマーおよび無線リンク失敗カウンタのセットをリセットするように前記ＵＥを設定することと、
同期中測定のための無線リンク監視に関連する無線リンク失敗タイマーおよび無線リンク失敗カウンタのセットが継続することを可能にするように前記ＵＥを設定することと
を含む、請求項４２に記載の方法。
【請求項４４】
無線リンク失敗タイマーおよび無線リンク失敗カウンタのうちの少なくとも１つをリセットするように前記ＵＥを設定することが、
無線リンク失敗カウンタをリセットすることなしに１つまたは複数の無線リンク失敗タイマーをリセットするように前記ＵＥを設定すること
を含む、請求項４２に記載の方法。
【請求項４５】
ユーザ機器（ＵＥ）（１１０）であって、
受信機（１１４、１２２）と、
送信機（１１４、１２２）と、
前記受信機および前記送信機に結合された処理回路要素（１２０）と
を含み、前記処理回路要素は、
１つまたは複数の無線リンク監視設定を取得すること（７０１）であって、各無線リンク監視設定が少なくとも１つの帯域幅部分に関連する、１つまたは複数の無線リンク監視設定を取得すること（７０１）と、
前記ＵＥがソース帯域幅部分からターゲット帯域幅部分に切り替えるべきであると決定すること（７０２）と、
前記ターゲット帯域幅部分に関連する取得された無線リンク監視設定に従って、前記ターゲット帯域幅部分に対して無線リンク監視を実施すること（７０３）と
を行うように設定された、ユーザ機器（ＵＥ）（１１０）。
【請求項４６】
前記１つまたは複数の無線リンク監視設定を取得するように設定された前記処理回路要素が、ネットワークノード（１６０）からのメッセージ中で前記１つまたは複数の無線リンク監視設定を受信するようにさらに設定された、請求項４５に記載のＵＥ。
【請求項４７】
前記１つまたは複数の無線リンク監視設定を取得するように設定された前記処理回路要素が、１つまたは複数のあらかじめ規定されたルールに従って前記１つまたは複数の無線リンク監視設定を決定するようにさらに設定された、請求項４５に記載のＵＥ。
【請求項４８】
各無線リンク監視設定が、
その関連する帯域幅部分内で無線リンク監視を実施するための無線リソースのセットと、
その関連する帯域幅部分内で無線リンク監視を実施するための１つまたは複数の設定パラメータと
を含む、請求項４５から４７のいずれか一項に記載のＵＥ。
【請求項４９】
無線リソースの前記セットがチャネル状態情報参照信号（ＣＳＩ−ＲＳ）リソースを含む、請求項４８に記載のＵＥ。
【請求項５０】
無線リソースの前記セットが同期信号ブロック（ＳＳＢ）を含む、請求項４８に記載のＵＥ。
【請求項５１】
その関連する帯域幅部分内で無線リンク監視を実施するための前記１つまたは複数の設定パラメータは、
１つまたは複数のフィルタ処理パラメータと、
１つまたは複数の無線リンク失敗タイマーと、
評価期間と、
無線リンク失敗が宣言される前の再送信の数と、
仮想的チャネル設定と、
仮想的信号設定と、
測定されたリンク品質および仮想的チャネルブロック誤り率についての、マッピング関数と
のうちの１つまたは複数を含む、請求項４８から５０のいずれか一項に記載のＵＥ。
【請求項５２】
その関連する帯域幅部分内で無線リンク監視を実施するための前記１つまたは複数の設定パラメータが、１つまたは複数のフィルタ処理パラメータを含み、
前記１つまたは複数のフィルタ処理パラメータが、Ｎ３１０、Ｎ３１１、Ｎ３１３、およびＮ３１４カウンタのうちの１つまたは複数を含む、
請求項５１に記載のＵＥ。
【請求項５３】
その関連する帯域幅部分内で無線リンク監視を実施するための前記１つまたは複数の設定パラメータが、１つまたは複数の無線リンク失敗タイマーを含み、
前記１つまたは複数の無線リンク失敗タイマーが、Ｔ３１０、Ｔ３１１、Ｔ３１３、およびＴ３１４タイマーのうちの１つまたは複数を含む、
請求項５１または５２に記載のＵＥ。
【請求項５４】
前記取得された１つまたは複数の無線リンク監視設定のうちの少なくとも１つが、デフォルト無線リンク監視設定を含む、請求項４５から５３のいずれか一項に記載のＵＥ。
【請求項５５】
前記デフォルト無線リンク監視設定がデフォルト帯域幅部分に関連する、請求項５４に記載のＵＥ。
【請求項５６】
前記処理回路要素が、第１の帯域幅部分および第２の帯域幅部分のダウンリンクチャネル品質の監視を実施するようにさらに設定され、監視を実施するように設定された前記処理回路要素は、
第１の時間期間中に、前記第１の帯域幅部分に関連する無線リンク監視設定に従って前記第１の帯域幅部分の無線リンク品質を推定することと、
第２の時間期間中に、前記第２の帯域幅部分に関連する無線リンク監視設定に従って前記第２の帯域幅部分の無線リンク品質を推定することであって、前記第２の時間期間が前記第１の時間期間と少なくとも部分的に重複する、前記第２の帯域幅部分の無線リンク品質を推定することと
を行うようにさらに設定された、請求項４５から５５のいずれか一項に記載のＵＥ。
【請求項５７】
前記第１の帯域幅部分が前記ソース帯域幅部分を含み、
前記第２の帯域幅部分が前記ターゲット帯域幅部分を含む、
請求項５６に記載のＵＥ。
【請求項５８】
前記処理回路要素が、前記第１の帯域幅部分および前記第２の帯域幅部分のうちの１つまたは複数のアクティブ化レートに基づいて前記監視をトリガするようにさらに設定された、請求項５６または５７に記載のＵＥ。
【請求項５９】
前記ターゲット帯域幅部分に関連する前記無線リンク監視設定が、無線リソースの複数のセットを含み、前記処理回路要素が、
あらかじめ規定されたルールに基づいて、前記ターゲット帯域幅部分に対して無線リンク監視を実施するために使用すべき無線リソースの前記複数のセットのうちの１つまたは複数を選択する
ようにさらに設定された、請求項４５から５８のいずれか一項に記載のＵＥ。
【請求項６０】
複数の無線リンク監視設定が前記ターゲット帯域幅部分に関連し、前記処理回路要素が、
前記ターゲット帯域幅部分に対して無線リンク監視を実施するために前記複数の無線リンク監視設定のうちの１つを使用するようにとの命令をダウンリンク制御情報を介して受信する
ようにさらに設定された、請求項４５から５９のいずれか一項に記載のＵＥ。
【請求項６１】
前記ソース帯域幅部分に関連する無線リンク監視設定と、前記ターゲット帯域幅部分に関連する前記無線リンク監視設定とが、同じ無線リソースを使用し、前記ターゲット帯域幅部分に関連する前記取得された無線リンク監視設定に従って前記ターゲット帯域幅部分に対して無線リンク監視を実施するように設定された前記処理回路要素が、
同期外れイベントおよび同期中イベントを生成するために、前に実施された測定および前に実施された測定サンプルのうちの１つまたは複数を使用する
ようにさらに設定された、請求項４５から６０のいずれか一項に記載のＵＥ。
【請求項６２】
前記ソース帯域幅部分に関連する無線リンク監視設定と前記ターゲット帯域幅部分に関連する前記無線リンク監視設定とが、異なる無線リソースを使用する、請求項４５から６０のいずれか一項に記載のＵＥ。
【請求項６３】
前記ターゲット帯域幅部分に関連する前記取得された無線リンク監視設定に従って、前記ターゲット帯域幅部分に対して無線リンク監視を実施するように設定された前記処理回路要素が、
無線リンク失敗タイマーまたは無線リンク失敗カウンタをリセットすることなしに同期外れイベントおよび同期中イベントを生成するために、前に実施された測定および前に実施された測定サンプルのうちの１つまたは複数に相関関数を適用する
ようにさらに設定された、請求項６２に記載のＵＥ。
【請求項６４】
前記ターゲット帯域幅部分に関連する前記取得された無線リンク監視設定に従って、前記ターゲット帯域幅部分に対して無線リンク監視を実施するように設定された前記処理回路要素が、
無線リンク失敗タイマーおよび無線リンク失敗カウンタのうちの少なくとも１つをリセットする
ようにさらに設定された、請求項６２に記載のＵＥ。
【請求項６５】
無線リンク失敗タイマーおよび無線リンク失敗カウンタのうちの少なくとも１つをリセットするように設定された前記処理回路要素は、
同期外れイベントのための無線リンク監視に関連する無線リンク失敗タイマーおよび無線リンク失敗カウンタのセットをリセットすることと、
同期中イベントのための無線リンク監視に関連する無線リンク失敗タイマーおよび無線リンク失敗カウンタのセットが継続することを可能にすることと
を行うようにさらに設定された、請求項６４に記載のＵＥ。
【請求項６６】
無線リンク失敗タイマーおよび無線リンク失敗カウンタのうちの少なくとも１つをリセットするように設定された前記処理回路要素が、
無線リンク失敗カウンタをリセットすることなしに１つまたは複数の無線リンク失敗タイマーをリセットする
ようにさらに設定された、請求項６２に記載のＵＥ。
【請求項６７】
ネットワークノード（１６０）であって、
受信機（１９０、１７２）と、
送信機（１９０、１７２）と、
前記受信機および前記送信機に結合された処理回路要素（１７０）と
を含み、前記処理回路要素は、
１つまたは複数の無線リンク監視設定を決定すること（９０１）であって、各無線リンク監視設定が少なくとも１つの帯域幅部分に関連する、１つまたは複数の無線リンク監視設定を決定すること（９０１）と、
ターゲット帯域幅部分に関連する無線リンク監視設定に従って、前記ターゲット帯域幅部分に対して無線リンク監視を実施するようにユーザ機器（ＵＥ）（１１０）を設定すること（９０２）と
を行うように設定された、ネットワークノード（１６０）。
【請求項６８】
前記ターゲット帯域幅部分に関連する前記無線リンク監視設定に従って、前記ターゲット帯域幅部分に対して無線リンク監視を実施するように前記ＵＥを設定するように設定された前記処理回路要素が、
前記ターゲット帯域幅部分に関連する前記無線リンク監視設定の指示を前記ＵＥに送る
ようにさらに設定された、請求項６７に記載のネットワークノード。
【請求項６９】
前記ターゲット帯域幅部分に関連する前記無線リンク監視設定の前記指示を前記ＵＥに送るように設定された前記処理回路要素が、
前記ターゲット帯域幅部分のための帯域幅部分設定内の情報エレメント中で、前記ターゲット帯域幅部分に関連する前記無線リンク監視設定の指示を送る
ようにさらに設定された、請求項６８に記載のネットワークノード。
【請求項７０】
前記ターゲット帯域幅部分に関連する前記無線リンク監視設定の前記指示を前記ＵＥに送るように設定された前記処理回路要素が、
サービングセル設定内の情報エレメント中で、前記ターゲット帯域幅部分に関連する前記無線リンク監視設定の指示を送る
ようにさらに設定された、請求項６８に記載のネットワークノード。
【請求項７１】
前記指示が無線リンク監視設定識別子を含む、請求項７０に記載のネットワークノード。
【請求項７２】
前記ターゲット帯域幅部分に関連する前記無線リンク監視設定に従って、前記ターゲット帯域幅部分に対して無線リンク監視を実施するように前記ＵＥを設定するように設定された前記処理回路要素が、
１つまたは複数のあらかじめ規定されたルールに従って、前記ターゲット帯域幅部分に関連する前記無線リンク監視設定を決定するように前記ＵＥを設定する
ようにさらに設定された、請求項６７に記載のネットワークノード。
【請求項７３】
各無線リンク監視設定が、
その関連する帯域幅部分内で無線リンク監視を実施するための無線リソースのセットと、
その関連する帯域幅部分内で無線リンク監視を実施するための１つまたは複数の設定パラメータと
を含む、請求項６７から７２のいずれか一項に記載のネットワークノード。
【請求項７４】
無線リソースの前記セットがチャネル状態情報参照信号（ＣＳＩ−ＲＳ）リソースを含む、請求項７３に記載のネットワークノード。
【請求項７５】
無線リソースの前記セットが同期信号ブロック（ＳＳＢ）を含む、請求項７３に記載のネットワークノード。
【請求項７６】
その関連する帯域幅部分内で無線リンク監視を実施するための前記１つまたは複数の設定パラメータは、
１つまたは複数のフィルタ処理パラメータと、
１つまたは複数の無線リンク失敗タイマーと、
評価期間と、
無線リンク失敗が宣言される前の再送信の数と、
仮想的チャネル設定と、
仮想的信号設定と、
測定されたリンク品質および仮想的チャネルブロック誤り率についての、マッピング関数と
のうちの１つまたは複数を含む、請求項７３から７５のいずれか一項に記載のネットワークノード。
【請求項７７】
その関連する帯域幅部分内で無線リンク監視を実施するための前記１つまたは複数の設定パラメータが、１つまたは複数のフィルタ処理パラメータを含み、
前記１つまたは複数のフィルタ処理パラメータが、Ｎ３１０、Ｎ３１１、Ｎ３１３、およびＮ３１４カウンタのうちの１つまたは複数を含む、
請求項７６に記載のネットワークノード。
【請求項７８】
その関連する帯域幅部分内で無線リンク監視を実施するための前記１つまたは複数の設定パラメータが、１つまたは複数の無線リンク失敗タイマーを含み、
前記１つまたは複数の無線リンク失敗タイマーが、Ｔ３１０、Ｔ３１１、Ｔ３１３、およびＴ３１４タイマーのうちの１つまたは複数を含む、
請求項７６または７７に記載のネットワークノード。
【請求項７９】
前記決定された１つまたは複数の無線リンク監視設定のうちの少なくとも１つが、デフォルト無線リンク監視設定を含む、請求項６７から７８のいずれか一項に記載のネットワークノード。
【請求項８０】
前記デフォルト無線リンク監視設定がデフォルト帯域幅部分に関連する、請求項７９に記載のネットワークノード。
【請求項８１】
前記ターゲット帯域幅部分に関連する前記無線リンク監視設定が、無線リソースの複数のセットを含み、前記処理回路要素が、
あらかじめ規定されたルールに基づいて、前記ターゲット帯域幅部分に対して無線リンク監視を実施するために使用すべき無線リソースの前記複数のセットのうちの１つまたは複数を選択するように前記ＵＥを設定する
ようにさらに設定された、請求項６７から８０のいずれか一項に記載のネットワークノード。
【請求項８２】
複数の無線リンク監視設定が前記ターゲット帯域幅部分に関連し、前記処理回路要素が、
前記ターゲット帯域幅部分に対して無線リンク監視を実施するために前記複数の無線リンク監視設定のうちの１つを使用するようにとの命令を前記ＵＥに送る
ようにさらに設定された、請求項６７から８７のいずれか一項に記載のネットワークノード。
【請求項８３】
ソース帯域幅部分に関連する無線リンク監視設定と、前記ターゲット帯域幅部分に関連する前記無線リンク監視設定とが、同じ無線リソースを使用し、前記ターゲット帯域幅部分に関連する前記無線リンク監視設定に従って前記ターゲット帯域幅部分に対して無線リンク監視を実施するように前記ＵＥを設定するように設定された前記処理回路要素が、
同期外れイベントおよび同期中イベントを生成するために、前に実施された測定および前に実施された測定サンプルのうちの１つまたは複数を使用するように前記ＵＥを設定する
ようにさらに設定された、請求項６７から８２のいずれか一項に記載のネットワークノード。
【請求項８４】
ソース帯域幅部分に関連する無線リンク監視設定と前記ターゲット帯域幅部分に関連する前記無線リンク監視設定とが、異なる無線リソースを使用する、請求項６７から８２のいずれか一項に記載のネットワークノード。
【請求項８５】
前記ターゲット帯域幅部分に関連する前記無線リンク監視設定に従って、前記ターゲット帯域幅部分に対して無線リンク監視を実施するように前記ＵＥを設定するように設定された前記処理回路要素が、
無線リンク失敗タイマーまたは無線リンク失敗カウンタをリセットすることなしに同期外れイベントおよび同期中イベントを生成するために、１つまたは複数の前に実施された測定および前に実施された測定サンプルに相関関数を適用するように前記ＵＥを設定する
ようにさらに設定された、請求項８４に記載のネットワークノード。
【請求項８６】
前記ターゲット帯域幅部分に関連する前記無線リンク監視設定に従って、前記ターゲット帯域幅部分に対して無線リンク監視を実施するように前記ＵＥを設定するように設定された前記処理回路要素が、
無線リンク失敗タイマーおよび無線リンク失敗カウンタのうちの少なくとも１つをリセットするように前記ＵＥを設定する
ようにさらに設定された、請求項８４に記載のネットワークノード。
【請求項８７】
無線リンク失敗タイマーおよび無線リンク失敗カウンタのうちの少なくとも１つをリセットするように前記ＵＥを設定するように設定された前記処理回路要素は、
同期外れイベントのための無線リンク監視に関連する無線リンク失敗タイマーおよび無線リンク失敗カウンタのセットをリセットするように前記ＵＥを設定することと、
同期中測定のための無線リンク監視に関連する無線リンク失敗タイマーおよび無線リンク失敗カウンタのセットが継続することを可能にするように前記ＵＥを設定することと
を行うようにさらに設定された、請求項８６に記載のネットワークノード。
【請求項８８】
無線リンク失敗タイマーおよび無線リンク失敗カウンタのうちの少なくとも１つをリセットするように前記ＵＥを設定するように設定された前記処理回路要素が、
無線リンク失敗カウンタをリセットすることなしに１つまたは複数の無線リンク失敗タイマーをリセットするように前記ＵＥを設定する
ようにさらに設定された、請求項８６に記載のネットワークノード。
【発明の詳細な説明】
【技術分野】
【０００１】
本開示は、一般に、無線通信に関し、より詳細には、低減された送信電力制御周波数動作のための最適化を提供することに関する。
【背景技術】
【０００２】
Ｌｏｎｇ  Ｔｅｒｍ  Ｅｖｏｌｕｔｉｏｎ（ＬＴＥ）における無線リンク監視（ＲＬＭ）ハンドリングでは、重要な問いは、ユーザ機器（ＵＥ）が同期中（ＩＳ：Ｉｎ  Ｓｙｎｃｈ）イベントおよび同期外れ（ＯＯＳ：Ｏｕｔ−ｏｆ−Ｓｙｎｃ）イベントをどのように生成するかである。ＵＥにおけるＲＬＭ機能の１つの目的は、ＲＲＣ＿ＣＯＮＮＥＣＴＥＤ状態でサービングセルのダウンリンク（ＤＬ）無線リンク品質を監視することである。これは、セル固有参照信号（ＣＲＳ）に基づき、ＣＲＳは、所与のＬＴＥセルに関連し、物理セル識別子（ＰＣＩ）から導出される。ＲＲＣ＿ＣＯＮＮＥＣＴＥＤ状態にあるとき、これは、ＵＥが、ＵＥがそのサービングセルに関して同期中であるのか同期外れであるのかを決定することを可能にする。
【０００３】
ＤＬ無線リンク品質のＵＥの推定値は、ＲＬＭの目的で、ＯＯＳしきい値およびＩＳしきい値（それぞれ、ＱｏｕｔおよびＱｉｎ）と比較される。これらのしきい値は、サービングセルからの仮想的（ｈｙｐｏｔｈｅｔｉｃａｌ）物理ダウンリンク制御チャネル（ＰＤＣＣＨ）送信のブロック誤り率（ＢＬＥＲ）に関して表現される。具体的には、Ｑｏｕｔは１０％ＢＬＥＲに対応し、Ｑｉｎは２％ＢＬＥＲに対応する。同じしきい値レベルが、間欠受信（ＤＲＸ）有りでおよび無しで適用可能である。
【０００４】
ＣＲＳベースＤＬ品質と仮想的ＰＤＣＣＨ  ＢＬＥＲとの間のマッピングは、ＵＥ実装形態に依存する。しかしながら、様々な環境について規定されたコンフォーマンステストによって、性能が検証される。さらに、ＵＥは、ＰＤＣＣＨがどこにスケジュールされることになるかを必ずしも知っているとは限らないので、ＤＬ品質は、全帯域にわたるＣＲＳの参照信号受信電力（ＲＳＲＰ）に基づいて計算される。これは、以下で図１に関して説明されるように、ＰＤＤＣＨが全ＤＬ送信帯域幅にわたってどこにでもスケジュールされ得るからである。
【０００５】
図１は、ＰＤＣＣＨが全ＤＬ送信帯域幅にわたってどのようにスケジュールされ得るかの一例を示す。より詳細には、図１は、各々が１０ｍｓの持続時間を有する複数の無線フレーム１０を示す。各無線フレーム１０は１０個のサブフレーム１５からなり、各サブフレーム１５が１ｍｓの持続時間を有する。ＵＥは、ＲＬＭのために無線フレーム１０ごとに１つのサンプルを実施する。上述のように、ＵＥは、ＰＤＣＣＨがどこにスケジュールされることになるかを必ずしも知っているとは限らないので、ＤＬ品質は、全帯域にわたるＣＲＳのＲＳＲＰに基づいて計算される。
【０００６】
ＤＲＸが設定されないとき、最後の２００ｍｓ期間にわたって推定されたＤＬ無線リンク品質がしきい値Ｑｏｕｔよりも悪くなったときにＯＯＳが発生する。同様に、ＤＲＸがなければ、最後の１００ｍｓ期間にわたって推定されたＤＬ無線リンク品質がしきい値Ｑｉｎよりも良好になったときにＩＳが発生する。ＯＯＳが検出されると、ＵＥは、ＩＳの評価を始動する。
【０００７】
ＬＴＥにおける無線リンク失敗（ＲＬＦ：Ｒａｄｉｏ  Ｌｉｎｋ  Ｆａｉｌｕｒｅ）モデリングでは、重要な問いは、ＲＲＣ＿ＣＯＮＮＥＣＴＥＤにある間にＵＥがネットワークによって到達され得ないことをＵＥが検出したときのＵＥ自律アクションを制御するために、上位レイヤが、ＲＬＭからの内部で生成されたＩＳ／ＯＯＳイベントをどのように使用するかである。ＬＴＥでは、ＯＯＳイベントおよびＩＳイベントの発生は、ＵＥの物理レイヤによってＵＥの上位レイヤに内部で報告され、上位レイヤは、以下で図２に関してより詳細に説明されるように、ＲＬＦの評価のために無線リソース制御（ＲＲＣ）／レイヤ３（すなわち、上位レイヤ）フィルタ処理を適用し得る。
【０００８】
図２は、ＲＬＦを評価するための例示的なプロシージャを示す。ステップ２０１において、ＵＥは、第１のＯＯＳイベントを検出する。ステップ２０３において、ＵＥは、最高Ｎ３１０個の連続する同期外れイベントを検出し、（その部分が以下で抜粋される、ＲＲＣ仕様３ＧＰＰ  ＴＳ３８．３３１に記載されているように）タイマーＴ３１０を開始する。ステップ２０５において、タイマーＴ３１０が満了し、ＲＬＦが発生する。次いで、ＵＥ送信機が４０ｍｓ内にオフにされ、ＲＲＣ再確立プロシージャが開始する。ＵＥはタイマーＴ３１１を開始し、ＵＥは最良のセルを探索する。ステップ２０７において、ＵＥは、ターゲット（すなわち、最良の）セルを選択する。ステップ２０９において、ＵＥは、ターゲットセルについてのシステム情報（ＳＩ）を収集し、ランダムアクセスチャネル（ＲＡＣＨ）プリアンブルをターゲットセルに送る。ステップ２１１において、ＵＥは、ＵＬグラントを収集し、ＲＲＣ接続再確立要求メッセージを送る。
【０００９】
上述のように、ＲＬＦに関係する詳細なＵＥアクションは、ＲＲＣ仕様（３ＧＰＰ  ＴＳ３８．３３１）において把握される。３ＧＰＰ  ＴＳ３８．３３１の一部分が以下で抜粋される。
５．２．２．９  ＳｙｓｔｅｍＩｎｆｏｒｍａｔｉｏｎＢｌｏｃｋＴｙｐｅ２の受信時のアクション
ＳｙｓｔｅｍＩｎｆｏｒｍａｔｉｏｎＢｌｏｃｋＴｙｐｅ２を受信すると、ＵＥは、以下を行うものとする。
１＞  ｒａｄｉｏＲｅｓｏｕｒｃｅＣｏｎｆｉｇＣｏｍｍｏｎ中に含まれる設定を適用する。
．．．
１＞  ＲＲＣ＿ＣＯＮＮＥＣＴＥＤにあり、ＵＥに、ｒｌｆ−ＴｉｍｅｒｓＡｎｄＣｏｎｓｔａｎｔｓ内に受信されたＲＬＦタイマーおよび定数値が設定された場合、
２＞  タイマーＴ３００の値を除いて、ｕｅ−ＴｉｍｅｒｓＡｎｄＣｏｎｓｔａｎｔｓ中のタイマーおよび定数のその値を更新しない。
．．．
５．３．１０  無線リソース設定
５．３．１０．０  全般
ＵＥは、以下を行うものとする。
．．．
１＞  受信されたｒａｄｉｏＲｅｓｏｕｒｃｅＣｏｎｆｉｇＤｅｄｉｃａｔｅｄがｒｌｆ−ＴｉｍｅｒｓＡｎｄＣｏｎｓｔａｎｔｓを含む場合、
２＞  ５．３．１０．７において指定されているようなタイマーおよび定数の値を再設定する。
．．．
５．３．１０．７  無線リンク失敗タイマーおよび定数再設定
ＵＥは、以下を行うものとする。
１＞  受信されたｒｌｆ−ＴｉｍｅｒｓＡｎｄＣｏｎｓｔａｎｔｓが解放にセットされた場合、
２＞  ＳｙｓｔｅｍＩｎｆｏｒｍａｔｉｏｎＢｌｏｃｋＴｙｐｅ２（またはＮＢ−ＩｏＴにおけるＳｙｓｔｅｍＩｎｆｏｒｍａｔｉｏｎＢｌｏｃｋＴｙｐｅ２−ＮＢ）中で受信されたｕｅ−ＴｉｍｅｒｓＡｎｄＣｏｎｓｔａｎｔｓ中に含まれるような、タイマーＴ３０１、Ｔ３１０、Ｔ３１１および定数Ｎ３１０、Ｎ３１１のための値を使用する。
１＞  他の場合、
２＞  受信されたｒｌｆ−ＴｉｍｅｒｓＡｎｄＣｏｎｓｔａｎｔｓに従ってタイマーおよび定数の値を再設定する。
１＞  受信されたｒｌｆ−ＴｉｍｅｒｓＡｎｄＣｏｎｓｔａｎｔｓＳＣＧが解放にセットされた場合、
２＞  稼働している場合、タイマーＴ３１３を停止し、
２＞  タイマーｔ３１３ならびに定数ｎ３１３およびｎ３１４の値を解放する。
１＞  他の場合、
２＞  受信されたｒｌｆ−ＴｉｍｅｒｓＡｎｄＣｏｎｓｔａｎｔｓＳＣＧに従ってタイマーおよび定数の値を再設定する。
．．．
５．３．１０．１１  ＳＣＧ専用リソース設定
ＵＥは、以下を行うものとする。
．．．
１＞  受信されたｒａｄｉｏＲｅｓｏｕｒｃｅＣｏｎｆｉｇＤｅｄｉｃａｔｅｄＳＣＧがｒｌｆ−ＴｉｍｅｒｓＡｎｄＣｏｎｓｔａｎｔｓＳＣＧを含む場合、
２＞  ５．３．１０．７において指定されているようなタイマーおよび定数の値を再設定する。
．．．
５．３．１１  無線リンク失敗関係アクション
５．３．１１．１  ＲＲＣ＿ＣＯＮＮＥＣＴＥＤでの物理レイヤ問題の検出
ＵＥは、以下を行うものとする。
１＞  Ｔ３００も、Ｔ３０１も、Ｔ３０４も、Ｔ３１１も稼働していない間に、下位レイヤからＰＣｅｌｌについてのＮ３１０個の連続する「同期外れ」指示を受信すると、
２＞  タイマーＴ３１０を開始する。
１＞  Ｔ３０７が稼働していない間に、下位レイヤからＰＳＣｅｌｌについてのＮ３１３個の連続する「同期外れ」指示を受信すると、
２＞  Ｔ３１３を開始する。
注：  物理レイヤ監視および関係する自律アクションは、ＰＳＣｅｌｌを除いてＳＣｅｌｌに適用されない。
５．３．１１．２  物理レイヤ問題の回復
Ｔ３１０が稼働している間に、下位レイヤからＰＣｅｌｌについてのＮ３１１個の連続する「同期中」指示を受信すると、ＵＥは、以下を行うものとする。
１＞  タイマーＴ３１０を停止する。
１＞  稼働している場合、タイマーＴ３１２を停止する。
注１：  この場合、ＵＥは、明示的シグナリングなしにＲＲＣ接続を維持し、すなわち、ＵＥは、無線リソース設定全体を維持する。
注２：  「同期中」も「同期外れ」もレイヤ１によって報告されない時間の期間は、連続する「同期中」または「同期外れ」指示の数の評価に影響を及ぼさない。
Ｔ３１３が稼働している間に、下位レイヤからＰＳＣｅｌｌについてのＮ３１４個の連続する「同期中」指示を受信すると、ＵＥは、以下を行うものとする。
１＞  タイマーＴ３１３を停止する。
５．３．１１．３  無線リンク失敗の検出
ＵＥは、以下を行うものとする。
１＞  Ｔ３１０満了時に、あるいは
１＞  Ｔ３１２満了時に、あるいは
１＞  Ｔ３００も、Ｔ３０１も、Ｔ３０４も、Ｔ３１１も稼働していない間に、ＭＣＧ  ＭＡＣからランダムアクセス問題が指示されると、あるいは
１＞  再送信の最大数が、ＳＲＢについて、あるいはＭＣＧまたはスプリットされたＤＲＢについて到達されたことがＭＣＧ  ＲＬＣから指示されると、
２＞  ＭＣＧについて無線リンク失敗が検出される、すなわちＲＬＦと見なす。
２＞  ＮＢ−ＩｏＴを除いて、以下の無線リンク失敗情報を、以下のようにそのフィールドをセットすることによって、ＶａｒＲＬＦ−Ｒｅｐｏｒｔに記憶する。
３＞  もしあれば、ＶａｒＲＬＦ−Ｒｅｐｏｒｔ中に含まれる情報をクリアする。
．．．
３＞  ｃｏｎｎｅｃｔｉｏｎＦａｉｌｕｒｅＴｙｐｅをｒｌｆにセットする。
３＞  ｃ−ＲＮＴＩを、ＰＣｅｌｌ中で使用されるＣ−ＲＮＴＩにセットする。
３＞  ｒｌｆ−Ｃａｕｓｅを、無線リンク失敗を検出するためのトリガにセットする。
２＞  ＡＳセキュリティがアクティブ化されなかった場合、
３＞  ＵＥがＮＢ−ＩｏＴ  ＵＥである場合、
４＞  解放原因「ＲＲＣ接続失敗」を伴って、５．３．１２において指定されているような、ＲＲＣ＿ＣＯＮＮＥＣＴＥＤを出ると、アクションを実施する。
３＞  他の場合、
４＞  解放原因「その他」を伴って、５．３．１２において指定されているような、ＲＲＣ＿ＣＯＮＮＥＣＴＥＤを出ると、アクションを実施する。
２＞  他の場合、
３＞  ５．３．７において指定されているような接続再確立プロシージャを始動する。
ＵＥは、以下を行うものとする。
１＞  Ｔ３１３満了時に、あるいは
１＞  ＳＣＧ  ＭＡＣからランダムアクセス問題が指示されると、あるいは
１＞  再送信の最大数が、ＳＣＧまたはスプリットされたＤＲＢについて到達されたことがＳＣＧ  ＲＬＣから指示されると、
２＞  ＳＣＧについて無線リンク失敗が検出される、すなわちＳＣＧ−ＲＬＦと見なす。
２＞  ＳＣＧ無線リンク失敗を報告するために、５．６．１３において指定されているようなＳＣＧ失敗情報プロシージャを始動する。
ＵＥは、電源切断時にまたはデタッチ時に、無線リンク失敗が検出されてから４８時間後に、無線リンク失敗情報を廃棄し、すなわち、ＵＥ変数ＶａｒＲＬＦ−Ｒｅｐｏｒｔを解放し得る。
５．３．１２  ＲＲＣ＿ＣＯＮＮＥＣＴＥＤを出たときのＵＥアクション
ＲＲＣ＿ＣＯＮＮＥＣＴＥＤを出ると、ＵＥは、以下を行うものとする。
１＞  ＭＡＣをリセットする。
１＞  Ｔ３２０、Ｔ３２２、Ｔ３２５、Ｔ３３０を除いて、稼働しているすべてのタイマーを停止する。
１＞  ＲＲＣ＿ＣＯＮＮＥＣＴＥＤを出ることが、ＲＲＣの中断によってトリガされた場合、
．．．
１＞  他の場合、
２＞  すべての確立されたＲＢのためのＲＬＣエンティティ、ＭＡＣ設定および関連するＰＤＣＰエンティティの解放を含めて、すべての無線リソースを解放する。
２＞  解放原因とともに上位レイヤにＲＲＣ接続の解放を指示する。
．．．
情報エレメント（ＩＥ）ＲＬＦ−ＴｉｍｅｒｓＡｎｄＣｏｎｓｔａｎｔｓは、ＲＲＣ＿ＣＯＮＮＥＣＴＥＤにあるＵＥのために適用可能なＵＥ固有タイマーおよび定数を含んでいる。ＲＬＦ−ＴｉｍｅｒｓＡｎｄＣｏｎｓｔａｎｔｓ  ＩＥのための抽象構文記法１（ＡＳＮ．１）が、以下で示される。
2021503754.tif 000003
【００１０】
以下の表１は、ＲＬＦ−ＴｉｍｅｒｓＡｎｄＣｏｎｓｔａｎｔｓ  ＩＥのためのフィールド説明を与える。
2021503754.tif 000004
【００１１】
タイマーおよび定数に関する追加情報が、それぞれ、以下の表２および表３において与えられる。
2021503754.tif 000005
2021503754.tif 000006
【００１２】
ＤＲＸが使用中であるとき、ＯＯＳ評価期間およびＩＳ評価期間は、十分なＵＥ電力節約を可能にするために延長される。そのようなシナリオでは、ＯＯＳ評価期間およびＩＳ評価期間の長さは、設定されたＤＲＸサイクル長に依存する。ＵＥは、ＯＯＳが発生したときはいつでもＩＳ評価を開始する。したがって、ＯＯＳおよびＩＳの評価のために、同じ期間（ＴＥｖａｌｕａｔｅ＿Ｑｏｕｔ＿ＤＲＸ）が使用される。しかしながら、ＲＬＦタイマー（Ｔ３１０）を開始すると、その満了まで、ＩＳ評価期間は１００ｍｓに短縮され、これは、ＤＲＸがない場合と同じである。タイマーＴ３１０がＮ３１１個の連続するＩＳ指示により停止された場合、ＵＥは、ＤＲＸベース期間（ＴＥｖａｌｕａｔｅ＿Ｑｏｕｔ＿ＤＲＸ）に従ってＩＳ評価を実施する。
【００１３】
ＬＴＥにおけるＲＬＭのために使用される（すなわち、ＰＤＣＣＨ品質を「推定する」ためにＣＲＳを測定する）全方法論は、ＵＥがＬＴＥセルに接続されるということに依拠し、ＬＴＥセルは、ＰＤＣＣＨおよびＣＲＳを送信する単一のコネクティビティエンティティである。
【００１４】
要約すれば、ＬＴＥにおけるＲＬＭは、ネットワークが任意のパラメータを設定する必要がない（すなわち、ＵＥが、無線リンク問題の検出を制御するために、下位レイヤから上位レイヤまで内部でＩＳ／ＯＯＳイベントを生成する）ように指定された。一方、ＲＬＦ／２次セルグループ（ＳＣＧ）失敗プロシージャは、ＲＲＣによって制御され、カウンタ（たとえば、（あまりに早期にＲＬＦをトリガすることを回避するためのフィルタとして働く）Ｎ３１０、Ｎ３１１、Ｎ３１３、Ｎ３１４）およびタイマー（たとえば、Ｔ３１０、Ｔ３１１、Ｔ３１３およびＴ３１４）を介してネットワークによって設定される。
【００１５】
ＲＬＦパラメータは、ＩＥ  ｒｌｆ−ＴｉｍｅｒｓＡｎｄＣｏｎｓｔａｎｔｓまたはｒａｄｉｏＲｅｓｏｕｒｃｅＣｏｎｆｉｇＤｅｄｉｃａｔｅｄ  ＩＥ中で設定される。ｒｌｆ−ＴｉｍｅｒｓＡｎｄＣｏｎｓｔａｎｔｓ  ＩＥは、ＳｙｓｔｅｍＩｎｆｏｒｍａｔｉｏｎＢｌｏｃｋＴｙｐｅ２（または狭帯域モノのインターネット（ＮＢ−ＩｏＴ）におけるＳｙｓｔｅｍＩｎｆｏｒｍａｔｉｏｎＢｌｏｃｋＴｙｐｅ２−ＮＢ）中で送信され得る。ｒａｄｉｏＲｅｓｏｕｒｃｅＣｏｎｆｉｇＤｅｄｉｃａｔｅｄ  ＩＥは、ＲＲＣＣｏｎｎｅｃｔｉｏｎＲｅｃｏｎｆｉｇｕｒａｔｉｏｎ、ＲＲＣＣｏｎｎｅｃｔｉｏｎＲｅｅｓｔａｂｌｉｓｈｍｅｎｔまたはＲＲＣＣｏｎｎｅｃｔｉｏｎＲｅｓｕｍｅ、およびＲＲＣＣｏｎｎｅｃｔｉｏｎＳｅｔｕｐなど、ＲＲＣメッセージ内にあり得る。
【００１６】
ＳＣＧ失敗パラメータは、ＩＥ  ｒｌｆ−ＴｉｍｅｒｓＡｎｄＣｏｎｓｔａｎｔｓＳＣＧ中で設定され、ＩＥ  ｒｌｆ−ＴｉｍｅｒｓＡｎｄＣｏｎｓｔａｎｔｓＳＣＧは、ＲａｄｉｏＲｅｓｏｕｒｃｅＣｏｎｆｉｇＤｅｄｉｃａｔｅｄＳＣＧ−ｒ１２  ＩＥ中で送信され得る。ＲａｄｉｏＲｅｓｏｕｒｃｅＣｏｎｆｉｇＤｅｄｉｃａｔｅｄＳＣＧ−ｒ１２は、ＲＲＣＣｏｎｎｅｃｔｉｏｎＲｅｃｏｎｆｉｇｕｒａｔｉｏｎ内で送信され得る。
【００１７】
新しい無線（ＮＲ）では、ＲＬＭはまた、ＬＴＥの場合と同様の目的で（すなわち、ＲＲＣ＿ＣＯＮＮＥＣＴＥＤ状態でサービングセルのＤＬ無線リンク品質を監視するために）規定される。しかしながら、ＬＴＥとは異なり、ＮＲでは、あるレベルの設定可能性が、参照信号（ＲＳ）タイプ／ビーム／ＲＬＭリソース設定と、ＩＳ／ＯＯＳ生成のためのＢＬＥＲしきい値とに関して、ＲＬＭのために導入された。
【００１８】
ＲＳタイプ／ビーム／ＲＬＭリソース設定に関して、ＮＲでは、２つのＲＳタイプ、すなわち、物理ブロードキャストチャネル（ＰＢＣＨ）／同期信号（ＳＳ）ブロック（ＳＳＢまたはＳＳブロック）およびチャネル状態情報参照信号（ＣＳＩ−ＲＳ）が、Ｌ３モビリティのために規定される。ＳＳＢは、基本的に、ＬＴＥにおける１次同期信号（ＰＳＳ）および２次同期信号（ＳＳＳ）ならびにＢＣＨ／復調用参照信号（ＤＭＲＳ）と等価な同期信号を備える。Ｌ３モビリティのためのＣＳＩ−ＲＳは、より設定可能であり、専用シグナリングを介して設定される。２つのＲＳタイプを規定する異なる理由があり、それらのうちの１つは、ワイドビーム中でＳＳＢを送信し、ナロービーム中でＣＳＩ−ＲＳを送信する可能性である。
【００１９】
ＲＡＮ１＃ＮＲ  ＡｄＨｏｃ＃２において、ＮＲでは、ＲＬＭのために使用されるＲＳタイプも設定可能である（ＣＳＩ−ＲＳベースＲＬＭとＳＳＢベースＲＬＭの両方がサポートされる）ことが同意された。ＲＬＭのためのＲＳタイプがＲＲＣシグナリングを介して設定されるべきであることは、自然であるように見える。ＲＡＮ１＃９０において、ＵＥについての異なるＲＬＭ−ＲＳリソースに対して、一度に単一のＲＬＭ−ＲＳタイプのみをサポートすることが同意された。
【００２０】
ＮＲが非常に高い周波数（６ＧＨｚ超、ただし、最高１００ＧＨｚ）において動作することができるとき、ＲＬＭのために使用されるこれらのＲＳタイプは、ビームフォーミングされ得る。言い換えれば、展開または動作周波数に応じて、ＵＥは、どちらのＲＳタイプがＲＬＭのために選択されたかにかかわらず、ビームフォーミングされた参照信号を監視するように設定され得る。したがって、ＬＴＥとは異なり、ＲＬＭのためのＲＳは、複数のビーム中で送信され得る。
【００２１】
ＣＳＩ−ＲＳの場合、時間／周波数リソースおよびシーケンスが使用され得る。複数のビームがあり得るとき、ＵＥは、ＲＬＭについてどのビームを監視すべきかと、ＩＳ／ＯＯＳイベントをどのように生成すべきかとを知っている必要がある。ＳＳＢの場合、各ビームは、（ＰＢＣＨおよび／またはＰＢＣＨ／ＤＭＲＳスクランブリングにおける時間インデックスから導出された）ＳＳＢインデックスによって識別され得る。ＲＡＮ１＃９０において、これが設定可能であり、ＮＲにおいて、ネットワークが、ＲＲＣシグナリングによって、ＳＳブロックに関係するかまたはＣＳＩ−ＲＳに関係するかのいずれかである、Ｘ個のＲＬＭリソースを設定することができることが同意された。１つのＲＬＭ−ＲＳリソースは、１つのＰＢＣＨ／ＳＳブロックまたは１つのＣＳＩ−ＲＳリソース／ポートのいずれかであり得る。ＲＬＭ−ＲＳリソースは、少なくともＣＳＩ−ＲＳベースＲＬＭの場合、ＵＥ固有に設定される。ＵＥが１つまたは複数のＲＬＭ−ＲＳリソースに対してＲＬＭを実施するように設定されたとき、すべての設定された（１つまたは複数の）Ｘ個のＲＬＭ−ＲＳリソースのうちの少なくとも（１つまたは複数の）Ｙ個のＲＬＭ−ＲＳリソースに基づく仮想的ＰＤＣＣＨ  ＢＬＥＲに対応する推定されたリンク品質がＱ＿ｉｎしきい値を上回る場合、周期ＩＳが指示され、すべての設定された（１つまたは複数の）Ｘ個のＲＬＭ−ＲＳリソースに基づく仮想的ＰＤＣＣＨ  ＢＬＥＲに対応する推定されたリンク品質がＱ＿ｏｕｔしきい値を下回る場合、周期ＯＯＳが指示される。ＲＬＭリソースの数の変更もあり得る。
【００２２】
ＩＳ／ＯＯＳおよびＢＬＥＲしきい値設定に関して、ＵＥは、どのリソースを監視すべきか、ならびに、上位レイヤに内部で報告されるべきＩＳ／ＯＯＳイベントをどのように生成すべきかを知っている必要がある。（１つまたは複数の）ＩＳ／ＯＯＳ指示の生成に関して、ＲＡＮ１＃８９およびＲＡＮ１＃９０において、ＲＡＮ１が少なくとも周期ＩＳ／ＯＯＳ指示を与えることを計画し、仮想的ＰＤＣＣＨ  ＢＬＥＲが、ＰＢＣＨ／ＳＳブロックベースＲＬＭとＣＳＩ−ＲＳベースＲＬＭの両方についてのＩＳ／ＯＯＳ条件を決定するためのメトリックとして使用されることが同意された。
【００２３】
信号対干渉プラス雑音比（ＳＩＮＲ）がＯＯＳイベントの生成では１０％ＢＬＥＲにマッピングし、ＳＩＮＲがＩＳイベントの生成では２％のＢＬＥＲにマッピングする、ＬＴＥとは異なり、ＮＲでは、設定可能な値が規定され得る。ＲＡＮ１＃９０において、ＮＲが仮想的ＰＤＣＣＨについて２つ以上の同期中ＢＬＥＲ値および同期外れＢＬＥＲ値をサポートすることが同意されたが、ＲＡＮ１＃ＡｄＨｏｃにおいて、（ＲＡＮ４によって決定されるべき）値の２つの可能なペアから、ＵＥについて一度に単一のＩＳ  ＢＬＥＲおよびＯＯＳ  ＢＬＥＲペアが設定され得ることが同意された。したがって、ＬＴＥとは異なり、ＮＲでは、ＩＳ／ＯＯＳ生成のためのＢＬＥＲしきい値は設定可能である。
【００２４】
ＲＬＭ機能性は、ＮＲにおいて有意な変更を有した（すなわち、ネットワークが、ＲＳタイプ、監視されるべき厳密なリソース、さらにはＩＳ指示およびＯＯＳ指示のためのＢＬＥＲを規定することができる、より設定可能なプロシージャが規定された）が、ＲＬＦは、ＬＴＥと比較してＮＲにおいて大きな変更を有しなかった。プラハでのＲＡＮ２＃９９−ｂｉｓにおいて、（１）ＲＬＦ検出が（ＬＴＥの場合のように）ＲＲＣ仕様においてＮＲについて指定され、（２）１２月１７日に、ＲＬＦがＬ１からの周期ＩＳ／ＯＯＳ指示に基づく（すなわち、これがＬＴＥと同じフレームワークである）ことが同意された。その上、接続モードでは、ＵＥが、ＤＬ  ＯＯＳ検出、ランダムアクセスプロシージャ失敗検出、およびＲＬＣ失敗検出により、タイマー満了時にＲＬＦを宣言することが同意された。最大自動再送要求（ＡＲＱ）再送信が無線リンク制御（ＲＬＣ）失敗についての唯一の基準であるかどうかは、さらなる検討が必要（ＦＦＳ：ｆｏｒ  ｆｕｒｔｈｅｒ  ｓｔｕｄｙ）である。また、ＮＲ  ＲＬＭプロシージャでは、物理レイヤがＯＯＳ／ＩＳ指示を実施し、ＲＲＣがＲＬＦを宣言することが同意された。また、ＲＬＦ目的で、マルチビーム動作とシングルビーム動作の両方のための単一のプロシージャを目指して、ＲＡＮ２選好が、ＩＳ／ＯＯＳ指示がセルごとの指示であるべきであることであることが同意された。
【００２５】
ベルリンでのＲＡＮ２＃９９において、少なくとも物理レイヤがＲＲＣに周期ＯＯＳ／ＩＳ指示を通知するというＲＡＮ１同意のＲＡＮ２理解と、ビーム失敗／回復に関係する下位レイヤからの指示がないときのベースライン挙動が、（１）連続するＮ１個の周期ＯＯＳ指示が受信された場合にＲＲＣがＤＬ無線リンク問題を検出し、（２）タイマーが稼働する間に連続するＮ２個の周期ＩＳ指示が受信された場合にＲＲＣがタイマーを停止することであることとがさらに同意された。言い換えれば、ＬＴＥの場合のように、ＮＲにおけるＲＬＦはまた、以下のパラメータまたは等価なもの、すなわち、カウンタＮ３１０、Ｎ３１１、Ｎ３１３、Ｎ３１４、およびタイマーＴ３１０、Ｔ３１１、Ｔ３０１、Ｔ３１３、Ｔ３１４によって支配されると仮定することができる。
【００２６】
ＲＬＦ変数が、ＮＲ、およびＮＲについて最近同意されたようなＵＥ挙動においてどのように設定され得るかは、以下で再現される。
５．３．１１  無線リンク失敗関係アクション
５．３．１１．１  ＲＲＣ＿ＣＯＮＮＥＣＴＥＤでの物理レイヤ問題の検出
ＵＥは、以下を行うものとする。
１＞  Ｔ３１１が稼働していない間に、下位レイヤからＰＣｅｌｌについてのＮ３１０個の連続する「同期外れ」指示を受信すると、
２＞  タイマーＴ３１０を開始する。
１＞  Ｔ３０７が稼働していない間に、下位レイヤからＰＳＣｅｌｌについてのＮ３１３個の連続する「同期外れ」指示を受信すると、
２＞  Ｔ３１３を開始する。
ＦＦＳ：どの条件の下で物理レイヤ問題検出が実施されるか、たとえば、Ｔ３００も、Ｔ３０１も、Ｔ３０４も、Ｔ３１１も稼働していない。これは、ＲＲＣ接続確立／再開／再確立およびＲＲＣ接続再設定のためのＲＲＣプロシージャの調和を受ける。
ＦＦＳ：タイマーのネーミング。
５．３．１１．２  物理レイヤ問題の回復
Ｔ３１０が稼働している間に、下位レイヤからＰＣｅｌｌについてのＮ３１１個の連続する「同期中」指示を受信すると、ＵＥは、以下を行うものとする。
１＞  タイマーＴ３１０を停止する。
ＦＦＳ：ＮＲにおける早期ＲＬＦ宣言のためにＴ３１２をサポートすべきかどうか。
注１：  この場合、ＵＥは、明示的シグナリングなしにＲＲＣ接続を維持し、すなわち、ＵＥは、無線リソース設定全体を維持する。
注２：  「同期中」も「同期外れ」もレイヤ１によって報告されない時間の期間は、連続する「同期中」または「同期外れ」指示の数の評価に影響を及ぼさない。
Ｔ３１３が稼働している間に、下位レイヤからＰＳＣｅｌｌについてのＮ３１４個の連続する「同期中」指示を受信すると、ＵＥは、以下を行うものとする。
１＞  タイマーＴ３１３を停止する。
５．３．１１．３  無線リンク失敗の検出
ＵＥは、以下を行うものとする。
１＞  Ｔ３１０満了時に、あるいは
１＞  Ｔ３１１が稼働していない間に、ＭＣＧ  ＭＡＣからランダムアクセス問題が指示されると、あるいは
ＦＦＳ：どの条件の下で物理レイヤ問題検出が実施されるか、たとえば、Ｔ３００も、Ｔ３０１も、Ｔ３０４も、Ｔ３１１も稼働していない。これは、ＲＲＣ接続確立／再開／再確立およびＲＲＣ接続再設定のためのＲＲＣプロシージャの調和を受ける。
１＞  再送信の最大数が、ＳＲＢについて、あるいはＭＣＧまたはスプリットされたＤＲＢについて到達されたとＭＣＧ  ＲＬＣから指示されると、
ＦＦＳ：最大ＡＲＱ再送信がＲＬＣ失敗についての唯一の基準であるかどうか。
２＞  ＭＣＧについて無線リンク失敗が検出される、すなわちＲＬＦと見なす。
ＦＦＳ：ビーム失敗回復に関係する指示がＲＬＦの宣言に影響を及ぼし得るかどうか。
ＦＦＳ：ＭＣＧ  ＤＲＢおよびＳＲＢについてのＣＡ複製におけるＲＬＣ失敗をどのようにハンドリングすべきか。
ＦＦＳ：ＲＬＦ関係測定報告、たとえばＶａｒＲＬＦ−ＲｅｐｏｒｔがＮＲにおいてサポートされる。
２＞  ＡＳセキュリティがアクティブ化されなかった場合、
３＞  解放原因「その他」を伴って、ｘ．ｘ．ｘにおいて指定されているような、ＲＲＣ＿ＣＯＮＮＥＣＴＥＤを出ると、アクションを実施する。
２＞  他の場合、
３＞  ｘ．ｘ．ｘにおいて指定されているような接続再確立プロシージャを始動する。
ＵＥは、以下を行うものとする。
１＞  Ｔ３１３満了時に、あるいは
１＞  ＳＣＧ  ＭＡＣからランダムアクセス問題が指示されると、あるいは
１＞  再送信の最大数が、ＳＣＧ  ＳＲＢ、ＳＣＧまたはスプリットされたＤＲＢについて到達されたことがＳＣＧ  ＲＬＣから指示されると、
２＞  ＳＣＧについて無線リンク失敗が検出される、すなわちＳＣＧ−ＲＬＦと見なす。
ＦＦＳ：ＳＣＧ  ＤＲＢおよびＳＲＢについてのＣＡ複製におけるＲＬＣ失敗をどのようにハンドリングすべきか。
２＞  ＳＣＧ無線リンク失敗を報告するために、５．６．４において指定されているようなＳＣＧ失敗情報プロシージャを始動する。
タイマーおよび定数に関する追加情報が、ＮＲにおいて設定され得それぞれ、以下の表４および表５において与えられる。
2021503754.tif 000007
2021503754.tif 000008
【００２７】
上述のように、ＩＥ  ＲＬＦ−ＴｉｍｅｒｓＡｎｄＣｏｎｓｔａｎｔｓは、ＲＲＣ＿ＣＯＮＮＥＣＴＥＤにあるＵＥのために適用可能なＵＥ固有タイマーおよび定数を含んでいる。ＲＬＦ−ＴｉｍｅｒｓＡｎｄＣｏｎｓｔａｎｔｓ  ＩＥのためのＡＳＮ．１がＮＲにおいてどのように現れ得るかの一例が、以下で示される。
2021503754.tif 000009
【００２８】
ＲＡＮ１は帯域幅部分（ＢＷＰ）の概念を導入し、ＢＷＰの概念は、実際のキャリア帯域幅よりも小さくなり得る動作帯域幅をＵＥに設定することを意図する。これは、ＬＴＥ（Ｃａｔ−Ｍ１）における「帯域幅低減（ｂａｎｄｗｉｄｔｈ  ｒｅｄｕｃｅｄ）」ＵＥのハンドリングとの類似点を有し、「帯域幅低減」ＵＥは、キャリア帯域幅全体上で動作することが可能でない。この説明は、主に、数１００ＭＨｚに及ぶキャリアと、たとえば、１００ＭＨｚのキャリア「のみ」をサポートするＵＥとに関するものであることに留意されたい。言い換えれば、この概念は、Ｃａｔ−Ｍ１の場合よりも１００倍広い動作帯域幅をサポートするＵＥに対処する。ＬＴＥ  Ｃａｔ−Ｍ１の場合のように、設定されたＢＷＰは、キャリアのＳＳＢ（ＰＳＳ／ＳＳＳ／ＰＢＣＨ／マスタ情報ブロック（ＭＩＢ））と一致しないことがあり、そのような場合、ＵＥが、どのようにセル同期を収集し、測定を実施し、システム情報ブロック（ＳＩＢ）を収集するかが決定されなければならない。ＢＷＰ機能性のこのコア部分のほかに、ＲＡＮ１はまた、他の変形形態について議論した（たとえば、同じキャリアにおけるまたは同じＢＷＰにおける追加のＳＳＢ、ならびに、ネットワークがＬ１制御信号（たとえば、ダウンリンク制御情報（ＤＣＩ））によって切り替えることができるいくつかの、場合によっては重複するＢＷＰをＵＥに設定する可能性がある。
【００２９】
図３は、帯域幅部分の一例を示す。より詳細には、図３は、いくつかの物理リソースブロック（ＰＲＢ）１〜Ｎからなる単一のワイドコンポーネントキャリア３００の帯域幅を示す。図３の例では、３つのＢＷＰ、ＢＷＰ３０５Ａ、３０５Ｂ、および３０５Ｃが示されている。ＢＷＰ３０５Ａは、第１のＵＥ、ＵＥ１のための第１の帯域幅部分である。ＢＷＰ３０５Ｂは、第２のＵＥ、ＵＥ２のための第１の帯域幅部分である。ＢＷＰ３０５Ｃは、第２のＵＥ、ＵＥ２のための第２の帯域幅部分である。ＵＥ１のためのＢＷＰ３０５ＡはＵＥ１の最大帯域幅に対応し、ＢＷＰ３０５ＣはＵＥ２の最大帯域幅に対応する。
【００３０】
ＤＬ  ＢＷＰおよびＵＬ  ＢＷＰは、ＵＥが、データチャネル（たとえば、物理ＤＬ共有チャネル（ＰＤＳＣＨ）および物理ＵＬ共有チャネル（ＰＵＳＣＨ））と、対応する制御チャネル（ＰＤＣＣＨおよび物理ＵＬ制御チャネル（ＰＵＣＣＨ））とを受信および送信することを必要とされる、周波数範囲を決定する。開始点として、ＢＷＰは、設定されたキャリア帯域幅超に及ぶことができない。したがって、ＢＷＰは、キャリア帯域幅よりも小さいかまたはキャリア帯域幅に等しい（ただし、キャリア帯域幅よりも大きくない）。
【００３１】
（キャリア帯域幅のみを使用することとは対照的に）ＢＷＰ概念の重要な側面は、キャリア帯域幅全体をハンドリングすることができないＵＥをサポートすることである。全キャリア帯域幅をサポートするＵＥは、キャリア全体をも利用することができる。したがって、ネットワークがＵＥ能力に従って専用シグナリングにおいてＤＬ  ＢＷＰおよびＵＬ  ＢＷＰを設定することが想定される。
【００３２】
たとえば、ＢＷＰは、接続確立後に（すなわち、ネットワークがＵＥ能力を知っているときに）第１のＲＲＣＣｏｎｎｅｃｔｉｏｎＲｅｃｏｎｆｉｇｕｒａｔｉｏｎ中で専用シグナリングによって設定され得る。しかしながら、その時点の前に、ＵＥは、ページングメッセージを受信するために、および（ランダムアクセスプロシージャの）Ｍｓｇ２、Ｍｓｇ４と上記で説明されたＲＲＣＣｏｎｎｅｃｔｉｏｎＲｅｃｏｎｆｉｇｕｒａｔｉｏｎとを受信するために、ＰＤＣＣＨおよびＰＤＳＣＨを読み取ってＳＩＢ１を収集しなければならない。したがって、ＵＥには、「初期ＢＷＰ」が設定されなければならない。ＲＡＮ１において、ＲＲＣ接続中にまたはＲＲＣ接続が確立された後に、ＵＥに（１つまたは複数の）ＢＷＰが明示的に設定（または再設定）されるまで、そのＵＥについて有効である初期アクティブＤＬ／ＵＬ  ＢＷＰペアがあることが同意された。初期アクティブＤＬ／ＵＬ帯域幅部分が所与の周波数帯域についてＵＥ最小帯域幅内に制限されることがさらに同意された。初期アクティブＤＬ／ＵＬ  ＢＷＰの詳細は、さらなる検討が必要である。
【００３３】
いくつかの場合には、ネットワークは、いくつかのＵＥがサポートするものよりも広い初期ＢＷＰを設定することを決定し得る。これは、たとえば、ネットワークが、より広い帯域幅を使用することによってＳＩＢ収集時間または接続確立時間を最適化することを希望する場合、当てはまり得る。しかし、この状況はまた、レガシーネットワークが、より低い複雑さを伴ってＵＥをまだサポートしていない場合、発生し得る。ＵＥは、ＭＩＢ中で設定された初期ＢＷＰに基づいてこれを発見し、ＵＥは、ＳＩＢ１を収集することができないので、ＵＥは、セルを、禁止されているものと見なすべきである。
【００３４】
接続確立が成功すると、ネットワークは、ＵＥ能力に従ってＢＷＰを設定するべきである。ＢＷＰ設定は、サービングセルについて固有である（すなわち、ネットワークは、各サービングセルについて少なくともＤＬ  ＢＷＰを設定しなければならない）。ＵＬ  ＢＷＰは、設定されたＵＬを伴う１次セル（ＰＣｅｌｌ）と２次セル（ＳＣｅｌｌ）について設定される。
【００３５】
図４は、デフォルト帯域幅部分の一例を示す。より詳細には、図４は、いくつかのＰＲＢ１〜Ｎからなる単一のワイドコンポーネントキャリア４００の帯域幅を示す。さらに、コンポーネントキャリア４００はＳＳＢをも含む。図４の例では、４つのＢＷＰ、ＢＷＰ４０５Ａ、４０５Ｂ、４０５Ｃ、および４０５Ｄが示されている。ＢＷＰ４０５Ａは第１の帯域幅部分であり、ＢＷＰ４０５ＢはＢＷＰ４０５Ａのためのデフォルト帯域幅部分である。同様に、ＢＷＰ４０５Ｃは第２の帯域幅部分であり、ＢＷＰ４０５ＤはＢＷＰ４０５ＣのためのデフォルトＢＷＰである。
【００３６】
ＬＴＥでは、各セルは、その中心周波数（周波数分割複信（ＦＤＤ）の場合、ＵＬ＋ＤＬ）によって、キャリア帯域幅によって、およびＰＳＳ／ＳＳＳ中で伝達されるＰＣＩによって、特徴づけられた。ＰＳＳ／ＳＳＳは、キャリアの中心周波数にあるのが常であった。しかしながら、ＮＲでは、ＳＳＢ周波数は必ずしも中心周波数であるとは限らず、これは、（無線リソース管理（ＲＲＭ）測定のコンテキストにおいてすでに説明されたように）両方の値または一方の値、およびオフセットをシグナリングすることを必要とする。初期アクセス時に、ＵＥは、（１つの）ＳＳＢを発見し、同期を収集し、ＭＩＢを収集し、次いでＳＩＢ１を読み取ることを試みなければならない。この時点で、ＵＥは、セル（すなわち、ある周波数上のＳＳＢ）を選択した。
【００３７】
ＵＥがＲＲＣ接続を確立したとき、ネットワークは、専用ＢＷＰを設定し得る。そのＢＷＰは、ＳＳＢの周波数と重複し得る。そのＢＷＰがＳＳＢの周波数と重複し得る場合、ＵＥは、同期を再獲得するために、およびＳＳベース測定を実施するために、任意の時間にＳＳＢを収集（または再収集）することが可能である。ＵＥのＤＬ  ＢＷＰがＵＥのサービングセルのＳＳＢ周波数と一致する場合、ＵＥは、ＳＳＢを収集（または再収集）するために、およびＳＳベース測定を実施するために、周波数間測定ギャップを必要としない。
【００３８】
しかしながら、セル（キャリア）の動作帯域幅が広い場合、および多くのＵＥがキャリア帯域幅よりも著しく狭い動作帯域幅を有する場合、ネットワークは、負荷を分散するために、およびシステム容量を最大にするために、ＵＥを、ＳＳＢ周波数と一致しないＢＷＰに割り当てる。そのようなシナリオは図４に示されており、ここで、ＢＷＰ４０５Ａおよび４０５Ｃは、コンポーネントキャリア４００上のＳＳＢと一致しない。ＬＴＥ  Ｃａｔ−Ｍ１の場合のように、これは、これらのＵＥが、それらのサービングセルのＳＳＢと再同期するために、およびネイバーセルを検出し、測定するために、（周波数間、キャリア内）測定ギャップを必要とすることを暗示する。言い換えれば、ＵＥのＤＬ  ＢＷＰがＵＥのサービングセルのＳＳＢ周波数と一致しない場合、ＵＥは、ＳＳＢを収集（または再収集）するために、およびＳＳベース測定を実施するために、周波数間（キャリア内）測定ギャップを必要とする。
【００３９】
これは、ただ単一のＳＳＢとシステム情報の単一の発生とを伴って広い動作帯域幅をもつセルを展開するという決定の自然な帰結である。それにもかかわらず、ＲＡＮ１は、キャリア内の追加のＳＳＢ周波数についてＵＥに通知し、それにより、各／さらなるＵＥがそれらの設定されたＢＷＰ中でＳＳＢを見つけることを保証する可能性をもたらすことを示唆する。一見、これは、測定ギャップの必要を取り除く。しかしながら、これは、ＲＡＮ２がＲＲＭ測定をどのように規定したかと適合しない。たいていのＲＲＭ測定イベントでは、ＵＥは、ネイバーセルをサービングセルと比較する。上記で説明されたように、セルは、ある周波数上のＳＳＢと、関連するＳＩＢ１とによって特徴づけられる。ＵＥには、そのようなセルを選択する（初期アクセス）か、または、（たとえば、ハンドオーバ（ＨＯ）ＳＣｅｌｌ追加中に）そのサービングセルが設定される。これは、それ自体のＳＳＢを含んでいるＢＷＰが設定されているＵＥがそのセルに移動されるべきである（すなわち、ＵＥが、その元のサービングセルのＳＳＢからＢＷＰのＳＳＢへの周波数間ＨＯを行わなければならない）ことを示唆するように見える。そのＳＳＢもシステム情報（少なくともＳＩＢ１）に関連する場合、ＵＥはそのＳＳＢにキャンプオンすることができ、そのＳＳＢは、実際は別のセルにすぎない。したがって、ＢＷＰおよびそのＢＷＰ内のＳＳＢをＵＥに設定することは、そのＳＳＢが少なくともＳＩＢ１に関連する場合、周波数間ＨＯと等価である。
【００４０】
これは、すべてのＲＲＭ測定規定が不変のままである（すなわち、ＵＥが、単に、その新しいＳＳＢをＵＥのサービングセルと見なし、（典型的に）同じ周波数上のネイバーセルのＳＳＢを探索する）ことを保証する。
【００４１】
ＢＷＰの変更は、典型的に、ＵＥの無線周波数（ＲＦ）を再同調させることを必要とする。そのようなＲＦ再同調は、たとえば、ＬＴＥにおけるＳＣｅｌｌアクティブ化／非アクティブ化時に発生する。ＲＡＮ４アセスメントに基づいて、これは、少なくとも、サブフレームのオーダーの少なくとも割込み（たとえば、グリッチ）を引き起こした。新しいキャリアをアクティブ化することは、最高約３０ｍｓを要することがわかった。ＲＡＮ４は、ＢＷＰの間で切り替えるのにどのくらいの時間を要し得るかを調査しなかった。これは、ＢＷＰが同期参照として同じＳＳＢを使用するかどうかと、一方のＢＷＰが他方のＢＷＰのサブセットにすぎないか否かとに依存し得る。ＲＡＮ１は、ＲＲＣを介して、いくつかの、場合によっては重複するＢＷＰを設定し、次いでＬ１制御シグナリングによってより動的にトグルする可能性を議論した。
【００４２】
キャリアごとのＢＷＰおよびマルチＳＳＢの議題がＲＡＮ２＃９９−ｂｉｓにおいて議論され、ＣＯＮＮＥＣＴＥＤモードでのＢＷＰ動作について、以下の同意がなされた。ＲＲＣシグナリングは、サービングセル（ＰＣｅｌｌ、ＰＳＣｅｌｌ）について１つまたは複数のＢＷＰ（ＤＬ  ＢＷＰの場合とＵＬ  ＢＷＰの場合の両方）を設定するようにサポートする。ＲＲＣシグナリングは、サービングセルＳＣｅｌｌについて０個、１つ、または複数のＢＷＰ（ＤＬ  ＢＷＰの場合とＵＬ  ＢＷＰの場合の両方）（少なくとも１つはＤＬ  ＢＷＰ）を設定するようにサポートする。ＵＥでは、ＰＣｅｌｌ、ＰＳＣｅｌｌおよび各ＳＣｅｌｌは、周波数において単一の関連するＳＳＢを有する（ＲＡＮ１用語は「セル規定（ｃｅｌｌ  ｄｅｆｉｎｉｎｇ）ＳＳＢ」である）。セル規定ＳＳブロックは、ＰＣｅｌｌ／ＰＳＣｅｌｌおよびＳＣｅｌｌについてのＳＣｅｌｌ解放／追加のための同期再設定によって変更され得る。ＵＥによって測定される必要がある各ＳＳブロック周波数は、個々の測定対象として設定されるべきである（すなわち、１つの測定対象が単一のＳＳブロック周波数に対応する）。セル規定ＳＳブロックは、サービングセルの時間参照と見なされ、（どのＢＷＰがアクティブ化されるかにかかわらず）ＳＳＢに基づくＲＲＭサービングセル測定について考慮される。Ｌ２関与なしに物理レイヤパラメータのＲＲＣ再設定によって変更されることになる周波数におけるＳＳブロックロケーションの変更（ただし、ＰＣＩの変更およびシステムフレーム番号（ＳＦＮ）の変更なし）のためにさらなる最適化が必要とされるかどうかは、さらなる検討が必要である。
【００４３】
ＰＢＣＨ／ＳＳブロックまたはＣＳＩ−ＲＳリソースを設定することによってＲＬＭが実施され得ること、および所与のセルについて１つのＰＢＣＨ／ＳＳブロックのみがあり、そのＰＢＣＨ／ＳＳブロックがアクティブＢＷＰ内に入らないことがあることを考慮すると、ＢＷＰのコンテキストにおけるＲＬＭ設定についていくつかの問題がある。主要な問題は、（たとえば、Ｌ１シグナリングを使用して、または、タイマーが満了したときにＵＥがあるＢＷＰから別のＢＷＰに切り替えるべきである、タイマーベースソリューションに依拠して）ＢＷＰを変更するとき、ＲＲＭ測定がＰＢＣＨ／ＳＳブロックに基づくように設定され、サービングセルのためのＰＢＣＨ／ＳＳブロックが、ＵＥがそこに切り替えられているアクティブＢＷＰ内にない場合、ＵＥが、サービングセルについてでさえこれらのＲＲＭ測定を実施するために測定ギャップを使用することを必要とし得ることである。さらに、ＢＷＰを変更することは、特にＰＤＣＣＨ設定も変化する場合、ＵＥが監視するＲＬＭリソースの変更につながり得る。さらに、ターゲットアクティブＢＷＰは、ＵＥが前のアクティブＢＷＰ中で監視していたＲＳタイプ／リソースを含まないことがあるので、ＵＥが監視するＲＳタイプを変更する必要があり得る。ＲＬＭリソースの数の変更もあり得る。
【発明の概要】
【００４４】
既存のソリューションを用いて上記の問題に対処するために、ＵＥにおける方法が開示される。本方法は、１つまたは複数の無線リンク監視設定を取得することであって、各無線リンク監視設定が少なくとも１つの帯域幅部分に関連する、１つまたは複数の無線リンク監視設定を取得することを含む。本方法は、ＵＥがソース帯域幅部分からターゲット帯域幅部分に切り替えるべきであると決定することを含む。本方法は、ターゲット帯域幅部分に関連する取得された無線リンク監視設定に従って、ターゲット帯域幅部分に対して無線リンク監視を実施することを含む。
【００４５】
いくつかの実施形態では、１つまたは複数の無線リンク監視設定を取得することは、ネットワークノードからのメッセージ中で１つまたは複数の無線リンク監視設定を受信することを含み得る。いくつかの実施形態では、１つまたは複数の無線リンク監視設定を取得することは、１つまたは複数のあらかじめ規定されたルールに従って１つまたは複数の無線リンク監視設定を決定することを含み得る。
【００４６】
いくつかの実施形態では、各無線リンク監視設定は、その関連する帯域幅部分内で無線リンク監視を実施するための無線リソースのセットと、その関連する帯域幅部分内で無線リンク監視を実施するための１つまたは複数の設定パラメータとを備え得る。
【００４７】
いくつかの実施形態では、無線リソースのセットは、ＣＳＩ−ＲＳリソースを備え得る。いくつかの実施形態では、無線リソースのセットは、ＳＳＢを備え得る。
【００４８】
いくつかの実施形態では、その関連する帯域幅部分内で無線リンク監視を実施するための１つまたは複数の設定パラメータは、１つまたは複数のフィルタ処理パラメータと、１つまたは複数の無線リンク失敗タイマーと、評価期間と、無線リンク失敗が宣言される前の再送信の数と、仮想的チャネル設定と、仮想的信号設定と、測定されたリンク品質および仮想的チャネルブロック誤り率についての、マッピング関数とのうちの１つまたは複数を備え得る。いくつかの実施形態では、その関連する帯域幅部分内で無線リンク監視を実施するための１つまたは複数の設定パラメータは、１つまたは複数のフィルタ処理パラメータを備え得、１つまたは複数のフィルタ処理パラメータは、Ｎ３１０、Ｎ３１１、Ｎ３１３、およびＮ３１４カウンタのうちの１つまたは複数を備え得る。いくつかの実施形態では、その関連する帯域幅部分内で無線リンク監視を実施するための１つまたは複数の設定パラメータは、１つまたは複数の無線リンク失敗タイマーを備え得、１つまたは複数の無線リンク失敗タイマーは、Ｔ３１０、Ｔ３１１、Ｔ３１３、およびＴ３１４タイマーのうちの１つまたは複数を備え得る。
【００４９】
いくつかの実施形態では、取得された１つまたは複数の無線リンク監視設定のうちの少なくとも１つが、デフォルト無線リンク監視設定を備え得る。いくつかの実施形態では、デフォルト無線リンク監視設定はデフォルト帯域幅部分に関連し得る。
【００５０】
いくつかの実施形態では、本方法は、第１の帯域幅部分および第２の帯域幅部分のダウンリンクチャネル品質の監視を実施することを含み得る。いくつかの実施形態では、監視を実施することは、第１の時間期間中に、第１の帯域幅部分に関連する無線リンク監視設定に従って第１の帯域幅部分の無線リンク品質を推定することと、第２の時間期間中に、第２の帯域幅部分に関連する無線リンク監視設定に従って第２の帯域幅部分の無線リンク品質を推定することであって、第２の時間期間が第１の時間期間と少なくとも部分的に重複する、第２の帯域幅部分の無線リンク品質を推定することとを含み得る。いくつかの実施形態では、第１の帯域幅部分はソース帯域幅部分を備え得、第２の帯域幅部分はターゲット帯域幅部分を備え得る。いくつかの実施形態では、監視は、第１の帯域幅部分および第２の帯域幅部分のうちの１つまたは複数のアクティブ化レートに基づいてトリガされ得る。
【００５１】
いくつかの実施形態では、ターゲット帯域幅部分に関連する無線リンク監視設定は、無線リソースの複数のセットを備え得、本方法は、あらかじめ規定されたルールに基づいて、ターゲット帯域幅部分に対して無線リンク監視を実施するために使用すべき無線リソースの複数のセットのうちの１つまたは複数を選択することをさらに含み得る。
【００５２】
いくつかの実施形態では、複数の無線リンク監視設定がターゲット帯域幅部分に関連し得、本方法は、ターゲット帯域幅部分に対して無線リンク監視を実施するために複数の無線リンク監視設定のうちの１つを使用するようにとの命令をダウンリンク制御情報を介して受信することをさらに含み得る。
【００５３】
いくつかの実施形態では、ソース帯域幅部分に関連する無線リンク監視設定と、ターゲット帯域幅部分に関連する無線リンク監視設定とは、同じ無線リソースを使用し得、ターゲット帯域幅部分に関連する取得された無線リンク監視設定に従ってターゲット帯域幅部分に対して無線リンク監視を実施することは、同期外れイベントおよび同期中イベントを生成するために、前に実施された測定および前に実施された測定サンプルのうちの１つまたは複数を使用することを含み得る。
【００５４】
いくつかの実施形態では、ソース帯域幅部分に関連する無線リンク監視設定とターゲット帯域幅部分に関連する無線リンク監視設定とは、異なる無線リソースを使用し得る。いくつかの実施形態では、ターゲット帯域幅部分に関連する取得された無線リンク監視設定に従って、ターゲット帯域幅部分に対して無線リンク監視を実施することは、無線リンク失敗タイマーまたは無線リンク失敗カウンタをリセットすることなしに同期外れイベントおよび同期中イベントを生成するために、前に実施された測定および前に実施された測定サンプルのうちの１つまたは複数に相関関数を適用することを含み得る。いくつかの実施形態では、ターゲット帯域幅部分に関連する取得された無線リンク監視設定に従って、ターゲット帯域幅部分に対して無線リンク監視を実施することは、無線リンク失敗タイマーおよび無線リンク失敗カウンタのうちの少なくとも１つをリセットすることを含み得る。いくつかの実施形態では、無線リンク失敗タイマーおよび無線リンク失敗カウンタのうちの少なくとも１つをリセットすることは、同期外れイベントのための無線リンク監視に関連する無線リンク失敗タイマーおよび無線リンク失敗カウンタのセットをリセットすることと、同期中イベントのための無線リンク監視に関連する無線リンク失敗タイマーおよび無線リンク失敗カウンタのセットが継続することを可能にすることとを含み得る。いくつかの実施形態では、無線リンク失敗タイマーおよび無線リンク失敗カウンタのうちの少なくとも１つをリセットすることは、無線リンク失敗カウンタをリセットすることなしに１つまたは複数の無線リンク失敗タイマーをリセットすることを含み得る。
【００５５】
ＵＥも開示される。本ＵＥは、受信機と、送信機と、受信機および送信機に結合された処理回路要素とを備える。処理回路要素は、１つまたは複数の無線リンク監視設定を取得することであって、各無線リンク監視設定が少なくとも１つの帯域幅部分に関連する、１つまたは複数の無線リンク監視設定を取得することを行うように設定される。処理回路要素は、本ＵＥがソース帯域幅部分からターゲット帯域幅部分に切り替えるべきであると決定するように設定される。処理回路要素は、ターゲット帯域幅部分に関連する取得された無線リンク監視設定に従って、ターゲット帯域幅部分に対して無線リンク監視を実施するように設定される。
【００５６】
ＵＥにおける上記で説明された方法を実施するように設定された命令を備えるコンピュータプログラムも開示される。
【００５７】
非一時的コンピュータ可読記憶媒体を備えるコンピュータプログラム製品であって、非一時的コンピュータ可読記憶媒体が、プロセッサ上で実行されたとき、ＵＥにおける上記で説明された方法を実施するように設定されたコンピュータ実行可能命令を備えるコンピュータプログラムを備える、コンピュータプログラム製品も開示される。
【００５８】
ネットワークノードにおける方法も開示される。本方法は、１つまたは複数の無線リンク監視設定を決定することであって、各無線リンク監視設定が少なくとも１つの帯域幅部分に関連する、１つまたは複数の無線リンク監視設定を決定することを含む。本方法は、ターゲット帯域幅部分に関連する無線リンク監視設定に従って、ターゲット帯域幅部分に対して無線リンク監視を実施するようにＵＥを設定することを含む。
【００５９】
いくつかの実施形態では、ターゲット帯域幅部分に関連する無線リンク監視設定に従って、ターゲット帯域幅部分に対して無線リンク監視を実施するようにＵＥを設定することは、ターゲット帯域幅部分に関連する無線リンク監視設定の指示をＵＥに送ることを含み得る。いくつかの実施形態では、ターゲット帯域幅部分に関連する無線リンク監視設定の指示をＵＥに送ることは、ターゲット帯域幅部分のための帯域幅部分設定内の情報エレメント中で、ターゲット帯域幅部分に関連する無線リンク監視設定の指示を送ることを含み得る。いくつかの実施形態では、ターゲット帯域幅部分に関連する無線リンク監視設定の指示をＵＥに送ることは、サービングセル設定内の情報エレメント中で、ターゲット帯域幅部分に関連する無線リンク監視設定の指示を送ることを含み得る。いくつかの実施形態では、指示は、無線リンク監視設定識別子を備え得る。
【００６０】
いくつかの実施形態では、ターゲット帯域幅部分に関連する無線リンク監視設定に従って、ターゲット帯域幅部分に対して無線リンク監視を実施するようにＵＥを設定することは、１つまたは複数のあらかじめ規定されたルールに従って、ターゲット帯域幅部分に関連する無線リンク監視設定を決定するようにＵＥを設定することを含み得る。
【００６１】
いくつかの実施形態では、各無線リンク監視設定は、その関連する帯域幅部分内で無線リンク監視を実施するための無線リソースのセットと、その関連する帯域幅部分内で無線リンク監視を実施するための１つまたは複数の設定パラメータとを備え得る。いくつかの実施形態では、無線リソースのセットは、ＣＳＩ−ＲＳリソースを備え得る。いくつかの実施形態では、無線リソースのセットは、ＳＳＢを備え得る。
【００６２】
いくつかの実施形態では、その関連する帯域幅部分内で無線リンク監視を実施するための１つまたは複数の設定パラメータは、１つまたは複数のフィルタ処理パラメータと、１つまたは複数の無線リンク失敗タイマーと、評価期間と、無線リンク失敗が宣言される前の再送信の数と、仮想的チャネル設定と、仮想的信号設定と、測定されたリンク品質および仮想的チャネルブロック誤り率についての、マッピング関数とのうちの１つまたは複数を備える。いくつかの実施形態では、その関連する帯域幅部分内で無線リンク監視を実施するための１つまたは複数の設定パラメータは、１つまたは複数のフィルタ処理パラメータを備え得、１つまたは複数のフィルタ処理パラメータは、Ｎ３１０、Ｎ３１１、Ｎ３１３、およびＮ３１４カウンタのうちの１つまたは複数を備え得る。いくつかの実施形態では、その関連する帯域幅部分内で無線リンク監視を実施するための１つまたは複数の設定パラメータは、１つまたは複数の無線リンク失敗タイマーを備え得、１つまたは複数の無線リンク失敗タイマーは、Ｔ３１０、Ｔ３１１、Ｔ３１３、およびＴ３１４タイマーのうちの１つまたは複数を備え得る。
【００６３】
いくつかの実施形態では、決定された１つまたは複数の無線リンク監視設定のうちの少なくとも１つが、デフォルト無線リンク監視設定を備え得る。いくつかの実施形態では、デフォルト無線リンク監視設定はデフォルト帯域幅部分に関連し得る。
【００６４】
いくつかの実施形態では、ターゲット帯域幅部分に関連する無線リンク監視設定は、無線リソースの複数のセットを備え得、本方法は、あらかじめ規定されたルールに基づいて、ターゲット帯域幅部分に対して無線リンク監視を実施するために使用すべき無線リソースの複数のセットのうちの１つまたは複数を選択するようにＵＥを設定することをさらに含み得る。
【００６５】
いくつかの実施形態では、複数の無線リンク監視設定がターゲット帯域幅部分に関連し得、本方法は、ターゲット帯域幅部分に対して無線リンク監視を実施するために複数の無線リンク監視設定のうちの１つを使用するようにとの命令をＵＥに送ることをさらに含み得る。
【００６６】
いくつかの実施形態では、ソース帯域幅部分に関連する無線リンク監視設定と、ターゲット帯域幅部分に関連する無線リンク監視設定とは、同じ無線リソースを使用し得、ターゲット帯域幅部分に関連する無線リンク監視設定に従って、ターゲット帯域幅部分に対して無線リンク監視を実施するようにＵＥを設定することは、同期外れイベントおよび同期中イベントを生成するために、前に実施された測定および前に実施された測定サンプルのうちの１つまたは複数を使用するようにＵＥを設定することを含み得る。
【００６７】
いくつかの実施形態では、ソース帯域幅部分に関連する無線リンク監視設定とターゲット帯域幅部分に関連する無線リンク監視設定とは、異なる無線リソースを使用し得る。いくつかの実施形態では、ターゲット帯域幅部分に関連する無線リンク監視設定に従って、ターゲット帯域幅部分に対して無線リンク監視を実施するようにＵＥを設定することは、無線リンク失敗タイマーまたは無線リンク失敗カウンタをリセットすることなしに同期外れイベントおよび同期中イベントを生成するために、１つまたは複数の前に実施された測定および前に実施された測定サンプルに相関関数を適用するようにＵＥを設定することを含み得る。いくつかの実施形態では、ターゲット帯域幅部分に関連する無線リンク監視設定に従って、ターゲット帯域幅部分に対して無線リンク監視を実施するようにＵＥを設定することは、無線リンク失敗タイマーおよび無線リンク失敗カウンタのうちの少なくとも１つをリセットするようにＵＥを設定することを含み得る。いくつかの実施形態では、無線リンク失敗タイマーおよび無線リンク失敗カウンタのうちの少なくとも１つをリセットするようにＵＥを設定することは、同期外れイベントのための無線リンク監視に関連する無線リンク失敗タイマーおよび無線リンク失敗カウンタのセットをリセットするようにＵＥを設定することと、同期中測定のための無線リンク監視に関連する無線リンク失敗タイマーおよび無線リンク失敗カウンタのセットが継続することを可能にするようにＵＥを設定することとを含み得る。いくつかの実施形態では、無線リンク失敗タイマーおよび無線リンク失敗カウンタのうちの少なくとも１つをリセットするようにＵＥを設定することは、無線リンク失敗カウンタをリセットすることなしに１つまたは複数の無線リンク失敗タイマーをリセットするようにＵＥを設定することを含み得る。
【００６８】
ネットワークノードも開示される。本ネットワークノードは、受信機と、送信機と、受信機および送信機に結合された処理回路要素とを備える。処理回路要素は、１つまたは複数の無線リンク監視設定を決定することであって、各無線リンク監視設定が少なくとも１つの帯域幅部分に関連する、１つまたは複数の無線リンク監視設定を決定することを行うように設定される。処理回路要素は、ターゲット帯域幅部分に関連する無線リンク監視設定に従って、ターゲット帯域幅部分に対して無線リンク監視を実施するようにＵＥを設定するように設定される。
【００６９】
ネットワークノードにおける上記で説明された方法を実施するように設定された命令を備えるコンピュータプログラムも開示される。
【００７０】
非一時的コンピュータ可読記憶媒体を備えるコンピュータプログラム製品であって、非一時的コンピュータ可読記憶媒体が、プロセッサ上で実行されたとき、ネットワークノードにおける上記で説明された方法を実施するように設定されたコンピュータ実行可能命令を備えるコンピュータプログラムを備える、コンピュータプログラム製品も開示される。
【００７１】
本開示のいくつかの実施形態は、１つまたは複数の技術的利点を与え得る。たとえば、いくつかの実施形態は、有利には、ＵＥが帯域幅部分を変更するときの無線リンク監視／無線リンク失敗設定の効率的な変更を可能にし得る。これは、有利には、頻繁な測定ギャップが、過度の追加のシグナリングなしに回避されることを可能にし得る。他の利点が、当業者に容易に明らかになり得る。いくつかの実施形態は、具陳された利点のいずれをも有しないか、いくつかを有するか、またはすべてを有し得る。
【００７２】
開示される実施形態ならびにそれらの特徴および利点のより完全な理解のために、次に、添付の図面とともに、以下の説明が参照される。
【図面の簡単な説明】
【００７３】
【図１】ＰＤＣＣＨが全ＤＬ送信帯域幅にわたってどのようにスケジュールされ得るかの一例を示す図である。
【図２】ＲＬＦを評価するための例示的なプロシージャを示す図である。
【図３】帯域幅部分の一例を示す図である。
【図４】デフォルト帯域幅部分の一例を示す図である。
【図５】Ａ〜Ｂは、単一のＳＳＢ周波数ロケーションと複数の帯域幅部分とをもつ広帯域コンポーネントキャリアを示す図である。
【図６】いくつかの実施形態による、例示的な無線通信ネットワークを示す図である。
【図７】いくつかの実施形態による、ＵＥにおける方法のフローチャートである。
【図８】いくつかの実施形態による、仮想化装置の概略ブロック図である。
【図９】いくつかの実施形態による、ネットワークノードにおける方法のフローチャートである。
【図１０】いくつかの実施形態による、仮想化装置の概略ブロック図である。
【図１１】いくつかの実施形態による、ＵＥの一実施形態を示す図である。
【図１２】いくつかの実施形態による、仮想化環境を示す概略ブロック図である。
【図１３】いくつかの実施形態による、中間ネットワークを介してホストコンピュータに接続された例示的な電気通信ネットワークを示す図である。
【図１４】いくつかの実施形態による、部分的無線接続上で基地局を介してＵＥと通信するホストコンピュータの一例を示す図である。
【図１５】いくつかの実施形態による、通信システムにおいて実装される方法のフローチャートである。
【図１６】いくつかの実施形態による、通信システムにおいて実装される方法のフローチャートである。
【図１７】いくつかの実施形態による、通信システムにおいて実装される方法のフローチャートである。
【図１８】いくつかの実施形態による、通信システムにおいて実装される方法のフローチャートである。
【発明を実施するための形態】
【００７４】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【００７５】
上記で説明されたように、ＮＲでは、ＲＬＭは、ＰＢＣＨ／ＳＳブロックまたはＣＳＩ−ＲＳリソースを設定することによって実施され得、所与のセルについて、（アクティブＢＷＰ内に入らないことがある）１つのＰＢＣＨ／ＳＳブロックのみがあり得る。その結果、ＢＷＰのコンテキストにおいて発生し得るＲＬＭ設定について、いくつかの問題がある。たとえば、ＢＷＰを変更するとき、ＵＥは、ＲＲＭ測定がＰＢＣＨ／ＳＳブロックに基づくように設定され、サービングセルのためのＰＢＣＨ／ＳＳブロックが、ＵＥがそこに切り替えられているアクティブＢＷＰ内にない場合、サービングセルについてでさえＲＲＭ測定を実施するために測定ギャップを使用する必要があり得る。
【００７６】
サービングセルに対するＲＲＭ測定では、測定ギャップは、ＬＴＥ  Ｃａｔ−Ｍ１  ＵＥの場合のように使用され得る。しかしながら、ＳＩＮＲを算出するために（次いで、ＩＳ／ＯＯＳイベントが生成され得るように、マッピングされたＢＬＥＲに対するＱｏｕｔ／Ｑｉｎしきい値にマッピングするために）使用されるＲＬＭ測定は、ＲＲＭ測定よりもはるかに高い頻度で（ＬＴＥでは、４倍程度の頻度で）実施されるべきである。言い換えれば、ＲＲＭ測定は、典型的に、４０ｍｓごとに実施され、ＲＬＭ測定は、無線フレームごとに（すなわち、１０ｍｓごとに）実施される。このことは、（たとえば、ＲＬＭについて監視されるべきＲＳタイプおよび／または周波数リソースがアクティブＢＷＰ外にある設定において）極端に頻繁な測定ギャップを使用することを意味し、これは、実現性がない。測定ギャップの必要に対してＰＢＣＨ／ＳＳブロックの配置が有することができる影響が図５Ａおよび図５Ｂに示されており、図５Ａおよび図５Ｂは以下でより詳細に説明される。
【００７７】
図５Ａおよび図５Ｂは、単一のＳＳＢ周波数ロケーションと複数のＢＷＰとをもつ広帯域コンポーネントキャリアを示す。図５Ａでは、３つのＢＷＰ５０５Ａ、５０５Ｂ、および５０５Ｃが示されている。さらに、単一のＳＳＢ５１０Ａがある。図５Ａからわかるように、ＳＳＢ５１０Ａは、ＢＷＰ５０５Ａ、５０５Ｂ、および５０５Ｃの各々内に入る。したがって、（たとえばＬ１シグナリングを介して）ＢＷＰ５０５ＡとＢＷＰ５０５ＢとＢＷＰ５０５Ｃとの間で切り替えるとき、ＢＷＰを切り替えるときにＲＲＭ測定を再設定する必要がない。したがって、図５Ａに示されているシナリオでは、ギャップの必要がない。
【００７８】
一方、図５Ｂは、３つのＢＷＰ５０５Ｄ、５０５Ｅ、および５０５Ｆを示す。図５Ｂは、単一のＳＳＢ５１０Ｂをも図示する。図５Ａに示されているシナリオとは対照的に、図５Ｂでは、ＢＷＰのうちの１つ、すなわち、ＢＷ５０５ＥのみがＳＳＢ５１０Ｂを含む。したがって、（たとえばＬ１シグナリングを介して）ＢＷＰ間で切り替えるとき、アクティブＢＷＰがＢＷＰ５０５ＤまたはＢＷＰ５０５Ｆになるように再設定される場合、ＵＥはギャップを必要とし得る（すなわち、ＢＷＰ切替え時の再設定が必要とされるか、または、少なくとも、ＵＥは、前に設定されたギャップを使用することを開始するべきである（前に設定されたギャップのアクティブ化））。ＲＬＭでは、これは、あまりに頻繁に発生し、特にＳＳＢ５１０ＢがＲＬＭのために使用される場合、あまり効率的でない。
【００７９】
上記で説明されたようにＲＲＭ測定を実施するために測定ギャップを使用する必要があることに加えて、ＢＷＰのコンテキストにおいて発生し得るＲＬＭ設定について、他の問題がある。追加の例として、ＢＷＰを変更することは、（特にＰＤＣＣＨ設定も変化する場合）ＵＥが監視するＲＬＭリソースの変更につながり得る。別の例として、ターゲットアクティブＢＷＰは、ＵＥが前のアクティブＢＷＰ中で監視していたＲＳタイプ／リソースを含まないことがあるので、ＵＥが監視するＲＳタイプを変更する必要があり得る。また別の例として、ＲＬＭリソースの数の変更もあり得る。
【００８０】
可能な代替形態は、ＵＥがソースＢＷＰ中にＲＬＭ目的で監視していたリソースを、アクティブになるべきターゲットＢＷＰが含まないシナリオの場合、ＲＲＣシグナリング（たとえば、ＲＲＣ接続再設定）に依拠することであり得る。しかしながら、これは、（Ｌ１シグナリングを介して行われるのか、ＲＡＮ１が同意したタイマーに基づいて行われのるかにかかわらず）ソースＢＷＰからターゲットＢＷＰへの変更があるたびに、ＲＲＣシグナリングが必要とされることを意味する。これは、ＢＷＰ切替えのためのシグナリング最適化の目的にそぐわない。
【００８１】
さらに、測定されたチャネル品質（たとえば、ＳＩＮＲ）と仮想的制御チャネルＢＬＥＲとの間の関係（したがって、マッピング）は、ＢＷＰに応じて異なり得る。さらに、古いＢＷＰはＳＳブロックを含んでいることがあり、したがってＳＳブロックベースＲＬＭが設定され得、新しいＢＷＰはＳＳブロックを含んでいないことがあり、したがって（ＣＳＩ−ＲＳが新しいＢＷＰ内に含まれている）ＣＳＩ−ＲＳベースＲＬＭがより有用であり得る。
【００８２】
本開示のいくつかの態様および本明細書で説明される実施形態は、これらまたは他の課題のソリューションを提供し得る。１つの例示的な実施形態によれば、無線デバイス（ＷＤ）（たとえば、ＵＥ）における方法が開示される。ＷＤは、１つまたは複数のＲＬＭ設定を取得し、各ＲＬＭ設定が少なくとも１つのＢＷＰに関連する。いくつかの実施形態では、ＷＤは、ネットワークノード（たとえば、ｇＮＢ）からのメッセージ中で１つまたは複数のＲＬＭ設定を受信することによって、１つまたは複数のＲＬＭ設定を取得し得る。いくつかの実施形態では、ＷＤは、１つまたは複数のあらかじめ規定されたルールに従って１つまたは複数のＲＬＭ設定を決定することによって１つまたは複数のＲＬＭ設定を取得し得る。いくつかの実施形態では、各ＲＬＭ設定は、その関連するＢＷＰ内でＲＬＭを実施するための無線リソースのセットと、その関連する帯域幅部分内でＲＬＭを実施するための１つまたは複数の設定パラメータとを備え得る。ＷＤは、ＷＤがソースＢＷＰからターゲットＢＷＰに切り替えるべきであると決定する。ＷＤは、ターゲットＢＷＰに関連する取得されたＲＬＭ設定に従って、ターゲットＢＷＰに対してＲＬＭを実施する。
【００８３】
別の例示的な実施形態によれば、ネットワークノード（たとえば、ｇＮＢ）における方法が開示される。ネットワークノードは、１つまたは複数のＲＬＭ設定を決定し、各ＲＬＭ設定が少なくとも１つのＢＷＰに関連する。ネットワークノードは、ターゲットＢＷＰに関連するＲＬＭ設定に従って、ターゲットＢＷＰに対してＲＬＭを実施するようにＷＤを設定する。いくつかの実施形態では、ネットワークノードは、（たとえば、ターゲットＢＷＰのためのＢＷＰ設定内のＩＥ中で、および／またはサービングセル設定内のＩＥ中で）ターゲットＢＷＰに関連するＲＬＭ設定の指示をＷＤに送り得る。いくつかの実施形態では、指示は、ＲＬＭ設定識別子を備え得る。
【００８４】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００８５】
図６は、いくつかの実施形態による、例示的な無線通信ネットワークを示す。本明細書で説明される主題は、任意の好適な構成要素を使用する任意の適切なタイプのシステムにおいて実装され得るが、本明細書で開示される実施形態は、図６に示されている例示的な無線ネットワークなどの無線ネットワークに関して説明される。簡単のために、図６の無線ネットワークは、ネットワーク１０６、ネットワークノード１６０および１６０ｂ、ならびに無線デバイス（ＷＤ）１１０、１１０ｂ、および１１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１６０およびＷＤ１１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００８６】
無線ネットワークは、任意のタイプの通信、電気通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００８７】
ネットワーク１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００８８】
ネットワークノード１６０およびＷＤ１１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００８９】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００９０】
図６では、ネットワークノード１６０は、処理回路要素１７０と、デバイス可読媒体１８０と、インターフェース１９０と、補助機器１８４と、電源１８６と、電力回路要素１８７と、アンテナ１６２とを含む。図６の例示的な無線ネットワーク中に示されているネットワークノード１６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード１６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体１８０は、複数の別個のハードドライブならびに複数のＲＡＭモジュールを備え得る）。
【００９１】
同様に、ネットワークノード１６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード１６０は、複数の無線アクセス技術（ＲＡＴ）をサポートするように設定され得る。そのような実施形態では、いくつかの構成要素は複製され得（たとえば、異なるＲＡＴのための別個のデバイス可読媒体１８０）、いくつかの構成要素は再使用され得る（たとえば、同じアンテナ１６２がＲＡＴによって共有され得る）。ネットワークノード１６０は、ネットワークノード１６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々に示されている構成要素の複数のセットをも含み得る。これらの無線技術は、同じまたは異なるチップまたはチップのセット、およびネットワークノード１６０内の他の構成要素に統合され得る。
【００９２】
処理回路要素１７０は、ネットワークノードによって提供されるものとして本明細書で説明される、任意の決定動作、計算動作、または同様の動作（たとえば、いくつかの取得動作）を実施するように設定される。処理回路要素１７０によって実施されるこれらの動作は、処理回路要素１７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００９３】
処理回路要素１７０は、単体で、またはデバイス可読媒体１８０などの他のネットワークノード１６０構成要素と併せてのいずれかで、ネットワークノード１６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素１７０は、デバイス可読媒体１８０に記憶された命令、または処理回路要素１７０内のメモリに記憶された命令を実行し得る。そのような機能性は、本明細書で説明される様々な無線特徴、機能、または利益のうちのいずれかを提供することを含み得る。いくつかの実施形態では、処理回路要素１７０は、システムオンチップ（ＳＯＣ）を含み得る。
【００９４】
いくつかの実施形態では、処理回路要素１７０は、無線周波数（ＲＦ）トランシーバ回路要素１７２とベースバンド処理回路要素１７４とのうちの１つまたは複数を含み得る。いくつかの実施形態では、無線周波数（ＲＦ）トランシーバ回路要素１７２とベースバンド処理回路要素１７４とは、別個のチップ（またはチップのセット）、ボード、または無線ユニットおよびデジタルユニットなどのユニット上にあり得る。代替実施形態では、ＲＦトランシーバ回路要素１７２とベースバンド処理回路要素１７４との一部または全部は、同じチップまたはチップのセット、ボード、あるいはユニット上にあり得る。
【００９５】
いくつかの実施形態では、ネットワークノード、基地局、ｅＮＢまたは他のそのようなネットワークデバイスによって提供されるものとして本明細書で説明される機能性の一部または全部は、デバイス可読媒体１８０、または処理回路要素１７０内のメモリに記憶された、命令を実行する処理回路要素１７０によって実施され得る。代替実施形態では、機能性の一部または全部は、ハードワイヤード様式などで、別個のまたは個別のデバイス可読媒体に記憶された命令を実行することなしに、処理回路要素１７０によって提供され得る。それらの実施形態のいずれでも、デバイス可読記憶媒体に記憶された命令を実行するか否かにかかわらず、処理回路要素１７０は、説明される機能性を実施するように設定され得る。そのような機能性によって提供される利益は、処理回路要素１７０単独に、またはネットワークノード１６０の他の構成要素に限定されないが、全体としてネットワークノード１６０によって、ならびに／または概してエンドユーザおよび無線ネットワークによって、享受される。
【００９６】
デバイス可読媒体１８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素１７０によって使用され得る情報、データ、および／または命令を記憶する、任意の他の揮発性または不揮発性、非一時的デバイス可読および／またはコンピュータ実行可能メモリデバイスを備え得る。デバイス可読媒体１８０は、コンピュータプログラム、ソフトウェア、論理、ルール、コード、テーブルなどのうちの１つまたは複数を含むアプリケーション、および／または処理回路要素１７０によって実行されることが可能であり、ネットワークノード１６０によって利用される、他の命令を含む、任意の好適な命令、データまたは情報を記憶し得る。デバイス可読媒体１８０は、処理回路要素１７０によって行われた計算および／またはインターフェース１９０を介して受信されたデータを記憶するために使用され得る。いくつかの実施形態では、処理回路要素１７０およびデバイス可読媒体１８０は、統合されていると見なされ得る。
【００９７】
インターフェース１９０は、ネットワークノード１６０、ネットワーク１０６、および／またはＷＤ１１０の間のシグナリングおよび／またはデータの有線または無線通信において使用される。示されているように、インターフェース１９０は、たとえば有線接続上でネットワーク１０６との間でデータを送るおよび受信するための（１つまたは複数の）ポート／（１つまたは複数の）端末１９４を備える。インターフェース１９０は、アンテナ１６２に結合されるか、またはいくつかの実施形態では、アンテナ１６２の一部であり得る、無線フロントエンド回路要素１９２をも含む。無線フロントエンド回路要素１９２は、フィルタ１９８と増幅器１９６とを備える。無線フロントエンド回路要素１９２は、アンテナ１６２および処理回路要素１７０に接続され得る。無線フロントエンド回路要素は、アンテナ１６２と処理回路要素１７０との間で通信される信号を調節するように設定され得る。無線フロントエンド回路要素１９２は、無線接続を介して他のネットワークノードまたはＷＤに送出されるべきであるデジタルデータを受信し得る。無線フロントエンド回路要素１９２は、デジタルデータを、フィルタ１９８および／または増幅器１９６の組合せを使用して適切なチャネルおよび帯域幅パラメータを有する無線信号に変換し得る。無線信号は、次いで、アンテナ１６２を介して送信され得る。同様に、データを受信するとき、アンテナ１６２は無線信号を集め得、次いで、無線信号は無線フロントエンド回路要素１９２によってデジタルデータに変換される。デジタルデータは、処理回路要素１７０に受け渡され得る。他の実施形態では、インターフェースは、異なる構成要素および／または構成要素の異なる組合せを備え得る。
【００９８】
いくつかの代替実施形態では、ネットワークノード１６０は別個の無線フロントエンド回路要素１９２を含まないことがあり、代わりに、処理回路要素１７０は、無線フロントエンド回路要素を備え得、別個の無線フロントエンド回路要素１９２なしでアンテナ１６２に接続され得る。同様に、いくつかの実施形態では、ＲＦトランシーバ回路要素１７２の全部または一部が、インターフェース１９０の一部と見なされ得る。さらに他の実施形態では、インターフェース１９０は、無線ユニット（図示せず）の一部として、１つまたは複数のポートまたは端末１９４と、無線フロントエンド回路要素１９２と、ＲＦトランシーバ回路要素１７２とを含み得、インターフェース１９０は、デジタルユニット（図示せず）の一部であるベースバンド処理回路要素１７４と通信し得る。
【００９９】
アンテナ１６２は、無線信号を送り、および／または受信するように設定された、１つまたは複数のアンテナまたはアンテナアレイを含み得る。アンテナ１６２は、無線フロントエンド回路要素１９２に結合され得、データおよび／または信号を無線で送信および受信することが可能な任意のタイプのアンテナであり得る。いくつかの実施形態では、アンテナ１６２は、たとえば２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１６２は、ネットワークノード１６０とは別個であり得、インターフェースまたはポートを通してネットワークノード１６０に接続可能であり得る。
【０１００】
アンテナ１６２、インターフェース１９０、および／または処理回路要素１７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ１６２、インターフェース１９０、および／または処理回路要素１７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【０１０１】
電力回路要素１８７は、電力管理回路要素を備えるか、または電力管理回路要素に結合され得、本明細書で説明される機能性を実施するための電力を、ネットワークノード１６０の構成要素に供給するように設定される。電力回路要素１８７は、電源１８６から電力を受信し得る。電源１８６および／または電力回路要素１８７は、それぞれの構成要素に好適な形式で（たとえば、各それぞれの構成要素のために必要とされる電圧および電流レベルにおいて）、ネットワークノード１６０の様々な構成要素に電力を提供するように設定され得る。電源１８６は、電力回路要素１８７および／またはネットワークノード１６０中に含まれるか、あるいは電力回路要素１８７および／またはネットワークノード１６０の外部にあるかのいずれかであり得る。たとえば、ネットワークノード１６０は、電気ケーブルなどの入力回路要素またはインターフェースを介して外部電源（たとえば、電気コンセント）に接続可能であり得、それにより、外部電源は電力回路要素１８７に電力を供給する。さらなる例として、電源１８６は、電力回路要素１８７に接続された、または電力回路要素１８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１０２】
ネットワークノード１６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図６に示されている構成要素以外の追加の構成要素を含み得る。たとえば、ネットワークノード１６０は、ネットワークノード１６０への情報の入力を可能にするための、およびネットワークノード１６０からの情報の出力を可能にするための、ユーザインターフェース機器を含み得る。これは、ユーザが、ネットワークノード１６０のための診断、メンテナンス、修復、および他の管理機能を実施することを可能にし得る。
【０１０３】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、車両対車両（Ｖ２Ｖ）、車両対インフラストラクチャ（Ｖ２Ｉ）、車両対あらゆるモノ（Ｖ２Ｘ）のための３ＧＰＰ規格を実装することによって、デバイス間（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシン間（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデバイスまたはモバイル端末と呼ばれることもある。
【０１０４】
示されているように、無線デバイス１１０は、アンテナ１１１と、インターフェース１１４と、処理回路要素１２０と、デバイス可読媒体１３０と、ユーザインターフェース機器１３２と、補助機器１３４と、電源１３６と、電力回路要素１３７とを含む。ＷＤ１１０は、ＷＤ１１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ１１０内の他の構成要素と同じまたは異なるチップまたはチップのセットに統合され得る。
【０１０５】
アンテナ１１１は、無線信号を送り、および／または受信するように設定された、１つまたは複数のアンテナまたはアンテナアレイを含み得、インターフェース１１４に接続される。いくつかの代替実施形態では、アンテナ１１１は、ＷＤ１１０とは別個であり、インターフェースまたはポートを通してＷＤ１１０に接続可能であり得る。アンテナ１１１、インターフェース１１４、および／または処理回路要素１２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ１１１は、インターフェースと見なされ得る。
【０１０６】
示されているように、インターフェース１１４は、無線フロントエンド回路要素１１２とアンテナ１１１とを備える。無線フロントエンド回路要素１１２は、１つまたは複数のフィルタ１１８と増幅器１１６とを備える。無線フロントエンド回路要素１１２は、アンテナ１１１および処理回路要素１２０に接続され、アンテナ１１１と処理回路要素１２０との間で通信される信号を調節するように設定される。無線フロントエンド回路要素１１２は、アンテナ１１１に結合されるか、またはアンテナ１１１の一部であり得る。いくつかの実施形態では、ＷＤ１１０は別個の無線フロントエンド回路要素１１２を含まないことがあり、むしろ、処理回路要素１２０は、無線フロントエンド回路要素を備え得、アンテナ１１１に接続され得る。同様に、いくつかの実施形態では、ＲＦトランシーバ回路要素１２２の一部または全部が、インターフェース１１４の一部と見なされ得る。無線フロントエンド回路要素１１２は、無線接続を介して他のネットワークノードまたはＷＤに送出されるべきであるデジタルデータを受信し得る。無線フロントエンド回路要素１１２は、デジタルデータを、フィルタ１１８および／または増幅器１１６の組合せを使用して適切なチャネルおよび帯域幅パラメータを有する無線信号に変換し得る。無線信号は、次いで、アンテナ１１１を介して送信され得る。同様に、データを受信するとき、アンテナ１１１は無線信号を集め得、次いで、無線信号は無線フロントエンド回路要素１１２によってデジタルデータに変換される。デジタルデータは、処理回路要素１２０に受け渡され得る。他の実施形態では、インターフェースは、異なる構成要素および／または構成要素の異なる組合せを備え得る。
【０１０７】
処理回路要素１２０は、単体で、またはデバイス可読媒体１３０などの他のＷＤ１１０構成要素と併せてのいずれかで、ＷＤ１１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素１２０は、本明細書で開示される機能性を提供するために、デバイス可読媒体１３０に記憶された命令、または処理回路要素１２０内のメモリに記憶された命令を実行し得る。
【０１０８】
示されているように、処理回路要素１２０は、ＲＦトランシーバ回路要素１２２、ベースバンド処理回路要素１２４、およびアプリケーション処理回路要素１２６のうちの１つまたは複数を含む。他の実施形態では、処理回路要素は、異なる構成要素および／または構成要素の異なる組合せを備え得る。いくつかの実施形態では、ＷＤ１１０の処理回路要素１２０は、ＳＯＣを備え得る。いくつかの実施形態では、ＲＦトランシーバ回路要素１２２、ベースバンド処理回路要素１２４、およびアプリケーション処理回路要素１２６は、別個のチップまたはチップのセット上にあり得る。代替実施形態では、ベースバンド処理回路要素１２４およびアプリケーション処理回路要素１２６の一部または全部は１つのチップまたはチップのセットになるように組み合わせられ得、ＲＦトランシーバ回路要素１２２は別個のチップまたはチップのセット上にあり得る。さらに代替の実施形態では、ＲＦトランシーバ回路要素１２２およびベースバンド処理回路要素１２４の一部または全部は同じチップまたはチップのセット上にあり得、アプリケーション処理回路要素１２６は別個のチップまたはチップのセット上にあり得る。また他の代替実施形態では、ＲＦトランシーバ回路要素１２２、ベースバンド処理回路要素１２４、およびアプリケーション処理回路要素１２６の一部または全部は、同じチップまたはチップのセット中で組み合わせられ得る。いくつかの実施形態では、ＲＦトランシーバ回路要素１２２は、インターフェース１１４の一部であり得る。ＲＦトランシーバ回路要素１２２は、処理回路要素１２０のためのＲＦ信号を調節し得る。
【０１０９】
いくつかの実施形態では、ＷＤによって実施されるものとして本明細書で説明される機能性の一部または全部は、デバイス可読媒体１３０に記憶された命令を実行する処理回路要素１２０によって提供され得、デバイス可読媒体１３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素１２０によって提供され得る。それらの特定の実施形態のいずれでも、デバイス可読記憶媒体に記憶された命令を実行するか否かにかかわらず、処理回路要素１２０は、説明される機能性を実施するように設定され得る。そのような機能性によって提供される利益は、処理回路要素１２０単独に、またはＷＤ１１０の他の構成要素に限定されないが、全体としてＷＤ１１０によって、ならびに／または概してエンドユーザおよび無線ネットワークによって、享受される。
【０１１０】
処理回路要素１２０は、ＷＤによって実施されるものとして本明細書で説明される、任意の決定動作、計算動作、または同様の動作（たとえば、いくつかの取得動作）を実施するように設定され得る。処理回路要素１２０によって実施されるようなこれらの動作は、処理回路要素１２０によって取得された情報を、たとえば、取得された情報を他の情報に変換することによって、処理すること、取得された情報または変換された情報をＷＤ１１０によって記憶された情報と比較すること、ならびに／あるいは、取得された情報または変換された情報に基づいて、および前記処理が決定を行ったことの結果として、１つまたは複数の動作を実施することを含み得る。
【０１１１】
デバイス可読媒体１３０は、コンピュータプログラム、ソフトウェア、論理、ルール、コード、テーブルなどのうちの１つまたは複数を含むアプリケーション、および／または処理回路要素１２０によって実行されることが可能な他の命令を記憶するように動作可能であり得る。デバイス可読媒体１３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素１２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素１２０およびデバイス可読媒体１３０は、統合されていると見なされ得る。
【０１１２】
ユーザインターフェース機器１３２は、人間のユーザがＷＤ１１０と対話することを可能にする構成要素を提供し得る。そのような対話は、視覚、聴覚、触覚など、多くの形式のものであり得る。ユーザインターフェース機器１３２は、ユーザへの出力を作り出すように、およびユーザがＷＤ１１０への入力を提供することを可能にするように動作可能であり得る。対話のタイプは、ＷＤ１１０にインストールされるユーザインターフェース機器１３２のタイプに応じて変動し得る。たとえば、ＷＤ１１０がスマートフォンである場合、対話はタッチスクリーンを介したものであり得、ＷＤ１１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１３２は、入力インターフェース、デバイスおよび回路、ならびに、出力インターフェース、デバイスおよび回路を含み得る。ユーザインターフェース機器１３２は、ＷＤ１１０への情報の入力を可能にするように設定され、処理回路要素１２０が入力情報を処理することを可能にするために、処理回路要素１２０に接続される。ユーザインターフェース機器１３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器１３２はまた、ＷＤ１１０からの情報の出力を可能にするように、および処理回路要素１２０がＷＤ１１０からの情報を出力することを可能にするように設定される。ユーザインターフェース機器１３２は、たとえば、スピーカー、ディスプレイ、振動回路要素、ＵＳＢポート、ヘッドフォンインターフェース、または他の出力回路要素を含み得る。ユーザインターフェース機器１３２の１つまたは複数の入力および出力インターフェース、デバイス、および回路を使用して、ＷＤ１１０は、エンドユーザおよび／または無線ネットワークと通信し、エンドユーザおよび／または無線ネットワークが本明細書で説明される機能性から利益を得ることを可能にし得る。
【０１１３】
補助機器１３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器１３４の構成要素の包含およびタイプは、実施形態および／またはシナリオに応じて変動し得る。
【０１１４】
電源１３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ１１０は、電源１３６から、本明細書で説明または指示される任意の機能性を行うために電源１３６からの電力を必要とする、ＷＤ１１０の様々な部分に電力を配信するための、電力回路要素１３７をさらに備え得る。電力回路要素１３７は、いくつかの実施形態では、電力管理回路要素を備え得る。電力回路要素１３７は、追加または代替として、外部電源から電力を受信するように動作可能であり得、その場合、ＷＤ１１０は、電力ケーブルなどの入力回路要素またはインターフェースを介して（電気コンセントなどの）外部電源に接続可能であり得る。電力回路要素１３７はまた、いくつかの実施形態では、外部電源から電源１３６に電力を配信するように動作可能であり得る。これは、たとえば、電源１３６の充電のためのものであり得る。電力回路要素１３７は、電源１３６からの電力に対して、その電力を、電力が供給されるＷＤ１１０のそれぞれの構成要素に好適であるようにするために、任意のフォーマッティング、変換、または他の修正を実施し得る。
【０１１５】
上記で説明されたように、ＮＲでは、ＷＤ１１０は、第１のＢＷＰ（すなわち、ソースＢＷＰ）から第２のＢＷＰ（すなわち、ターゲットＢＷＰ）に切り替えることを必要とされ得る。ＷＤ１１０がＢＷＰを切り替える必要は、上記で説明されたものなど、ＲＬＭおよびＲＬＦに関する問題を引き起こし得る。以下で詳細に説明されるように、本明細書で説明される様々な実施形態は、ＢＷＰ切替えに関係するこれらおよび／または他の問題を解決し得る、ＲＬＭ設定およびＢＷＰ切替え時のＲＬＦのコンテキストにおけるＷＤ（たとえば、ＷＤ１１０）およびネットワーク（たとえば、ネットワークノード１６０）によって実施されるアクションに関する。
【０１１６】
いくつかの実施形態では、ＷＤ１１０（たとえば、ＵＥ）は、１つまたは複数のＲＬＭ設定を取得する。各ＲＬＭ設定は、少なくとも１つのＢＷＰに関連し得る。たとえば、１つまたは複数のＲＬＭ設定は、ターゲットＢＷＰに関連するＲＬＭ設定を含み得る。いくつかの実施形態では、ネットワークノード１６０（たとえば、ｇＮＢ）は、１つまたは複数のＲＬＭ設定を決定し得る。
【０１１７】
ＷＤ１１０は、任意の好適な様式で１つまたは複数のＲＬＭ設定を取得し得る。一例として、ＷＤ１１０は、１つまたは複数のＲＬＭ設定をネットワークノード１６０によって設定され得る。たとえば、ＷＤ１１０は、ネットワークノード１６０からのメッセージ中で１つまたは複数のＲＬＭ設定を受信することによって、１つまたは複数のＲＬＭ設定を取得し得る。いくつかの場合には、ネットワークノード１６０からのメッセージは、ネットワークノード１６０が、ＢＷＰ（たとえば、ターゲットＢＷＰ）に関連するＲＬＭ設定に従ってそのＢＷＰに対してＲＬＭを実施するようにＷＤ１１０を設定することの一部として送られ得る。いくつかの実施形態では、メッセージは、そのＢＷＰに関連するＲＬＭ設定の指示を含み得る。いくつかの場合には、指示は、ＢＷＰのためのＢＷＰ設定内のＩＥ中に含まれ得る。いくつかの場合には、指示は、サービングセル設定内のＩＥ中に含まれ得る。いくつかの場合には、指示は、ＲＬＭ設定識別子を備え得る。
【０１１８】
別の例として、ＷＤ１１０は、（たとえば、１つまたは複数のあらかじめ規定されたルールに従って）１つまたは複数のＲＬＭ設定を決定することによって１つまたは複数のＲＬＭ設定を取得し得る。たとえば、ＷＤ１１０は、１つまたは複数のＲＬＭ設定パラメータを決定し得る。いくつかの場合には、決定は、アクティブＢＷＰまたはアクティブＢＷＰのセットに基づき得る。いくつかの実施形態では、ネットワークノード１６０は、１つまたは複数のあらかじめ規定されたルールに従ってＢＷＰに関連するＲＬＭ設定を決定するようにＷＤ１１０を設定し得る。
【０１１９】
いくつかの実施形態では、取得されたＲＬＭ設定のうちの１つは、アクティブＲＬＭ設定であり得る。いくつかの実施形態では、ＷＤ１１０は、ＲＬＭ設定のうちの１つがアクティブＲＬＭ設定であると決定し得る。ＷＤ１１０は、任意の好適な様式でＲＬＭ設定のうちの１つがアクティブＲＬＭ設定であると決定し得る。一例として、ＷＤ１１０は、アクティブＲＬＭ設定をネットワークノード１６０によって設定され得る。言い換えれば、取得された１つまたは複数のＲＬＭ設定のうちの１つは、アクティブＲＬＭ設定としてネットワークノード１６０によって設定され得る。別の例として、ＷＤ１１０は、（たとえば、あらかじめ規定されたルールに基づいて）アクティブＲＬＭ設定を決定し得る。
【０１２０】
いくつかの実施形態では、取得された１つまたは複数のＲＬＭ設定のうちの１つは、デフォルトＲＬＭ再設定であり得る。デフォルトＲＬＭ設定は、ネットワークによって（たとえば、ネットワークノード１６０によって）設定され、規格によって指定され、および／または（たとえば、あらかじめ規定されたルールに基づいて）ＷＤ１１０によって決定され得る。いくつかの場合には、デフォルトＲＬＭ設定はデフォルトＢＷＰに関連し得る。いくつかの場合には、デフォルトＲＬＭ設定はデフォルトＢＷＰに関連しないことがある。
【０１２１】
各ＲＬＭ設定は、ＲＬＭに関係する情報を含み得る。概して、各ＲＬＭ設定は、その関連するＢＷＰ内で無線リンク監視を実施するための無線リソースのセット、ならびに、その関連するＢＷＰ内でＲＬＭを実施するための１つまたは複数の設定パラメータを含む。無線リソースの例は、ＣＳＩ−ＲＳリソース、（ＳＳ／ＰＢＣＨブロックまたはＳＳブロックとしても知られる）ＳＳＢ、またはＲＬＭに好適な他の無線リソースを含む。ＲＬＭ設定中に含まれ得る、ＲＬＭを実施するための設定パラメータの例は、フィルタ処理パラメータ（たとえば、Ｎ３１０、Ｎ３１１、Ｎ３１３、Ｎ３１４カウンタまたは別の好適なカウンタ）、（１つまたは複数の）ＲＬＦタイマー（たとえばＴ３１０、Ｔ３１１、Ｔ３１３、Ｔ３１４ＲＬＦタイマーまたは別の好適なタイマー）、評価期間、ＲＬＦが宣言される前の再送信の数、仮想的チャネル／信号設定、測定されたリンク品質と仮想的チャネルＢＬＥＲとの間のマッピング関数、または他の好適な設定パラメータである。ＲＬＭ設定中に含まれ得る情報は、以下でより詳細に説明される。
【０１２２】
いくつかの実施形態では、各ＲＬＭ設定は、以下のタイプの情報のうちの１つ、またはその組合せを含み得る。
【０１２３】
各ＲＬＭ設定は、ＲＬＭについて監視されるべきである（１つまたは複数の）ＲＳタイプ（すなわち、ＰＢＣＨ／ＳＳブロック、ＣＳＩ−ＲＳ、またはＣＳＩ−ＲＳリソースとＳＳＢリソースとの組合せ）を含み得る。
【０１２４】
各ＲＬＭ設定は、ＲＬＭについて監視されるべき設定されたＲＳタイプのための特定のリソースを含み得る。ＣＳＩ−ＲＳリソースが使用される場合の一例として、各ＲＬＭ設定は、時間／周波数および厳密なシーケンスにおける特定のＲＬＭ  ＣＳＩ−ＲＳリソースを含み得る。ＳＳ／ＰＢＣＨブロックリソースが使用される場合の別の例として、各ＲＬＭ設定は、特定のＳＳ／ＰＢＣＨブロックインデックスを含み得る。いくつかの実施形態では、特定のＳＳ／ＰＢＣＨブロックインデックスは、ＷＤ１１０によって導出され得る。いくつかの実施形態では、特定のＳＳ／ＰＢＣＨブロックインデックスは、明示的に指示され得る。ＳＳＢリソースとＣＳＩ−ＲＳリソースとの組合せが使用される場合の別の例として、各ＲＬＭ設定は、ＳＳＢリソースとＣＳＩ−ＲＳリソースとの組合せ（たとえば、時間／周波数および厳密なシーケンスにおける特定のＲＬＭ  ＣＳＩ−ＲＳリソースならびに特定のＳＳ／ＰＢＣＨブロックインデックス）を含み得る。
【０１２５】
各ＲＬＭ設定は、リンクおよび／またはチャネル品質関係しきい値（たとえば、ＳＩＮＲしきい値ならびに／またはＩＳおよびＯＯＳイベント生成のためのＢＬＥＲしきい値のペア）を含み得る。これらのパラメータは、ＢＷＰが変更されるときに変化し得る。
【０１２６】
各ＲＬＭ設定は、１つまたは複数のＲＬＭ／ＲＬＦ関係タイマーまたはカウンタ（たとえば、Ｔ３１０タイマーおよびＮ３１０カウンタ）を含み得る。本明細書で説明される他のタイプのタイマーおよびカウンタなど、他のタイマーおよびカウンタが追加として（または代替として）含まれ得る。
【０１２７】
各ＲＬＭ設定は、ＳＩＮＲとＢＬＥＲとの間のマッピングを決定する１つまたは複数のパラメータ、あるいはマッピング関数、マッピングルール、またはマッピングテーブルを含み得る。ＷＤ１１０によって使用されるべきマッピングは、ネットワークによって（たとえば、ネットワークノード１６０によって）明示的に設定または制御され得ることに留意されたい。
【０１２８】
各ＲＬＭ設定は、チャネル品質（たとえば、仮想的制御チャネルＢＬＥＲ）へのマッピングより前にＳＩＮＲに適用されるべき補償係数を含み得る。いくつかの実施形態では、補償係数は、たとえば、ＢＷＰ、ＲＬＭリソースのタイプ、ＢＬＥＲ、ＲＬＭのための測定帯域幅、（サブキャリア間隔、シンボル長、またはサイクリックプレフィックス（ＣＰ）長などの）ヌメロロジー、周波数、および他の好適な基準のうちの１つまたは複数に依存し得る。
【０１２９】
各ＲＬＭ設定は、ＲＬＭのためのリンク評価期間および／またはリンク評価のために使用されるべきサンプルの数を含み得る。
【０１３０】
各ＲＬＭ設定は、帯域幅、アグリゲーションレベル、ＤＣＩサイズ、シンボルの数、制御チャネルエネルギーとＳＳＳリソースエレメント（ＲＥ）エネルギーとの比、または他の好適な設定パラメータのうちの１つまたは複数など、仮想的チャネル（たとえば、仮想的ＰＤＣＣＨ）の１つまたは複数の設定パラメータを含み得る。
【０１３１】
いくつかの実施形態では、ＷＤ１１０は、ＲＬＦ／ＳＣＧ失敗設定を取得し得る。いくつかの場合には、ＲＬＦ／ＳＣＧ失敗設定は、ＲＬＭ設定中に含まれ得る。いくつかの場合には、ＲＬＦ／ＳＣＧ失敗設定は、ＲＬＭ設定とは別個であり得る。そのようなシナリオでは、ＷＤ１１０は、ＷＤ１１０が１つまたは複数のＲＬＭ設定を取得することに関して上記で説明されたものと同様の様式で、ＲＬＦ／ＳＣＧ失敗設定を取得し得る。いくつかの実施形態では、各ＲＬＦ／ＳＣＧ失敗設定は、タイマー（たとえば、タイマーＴ３１０、Ｔ３１１、Ｔ３１３、Ｔ３１４のうちの１つまたは複数）およびカウンタ（たとえば、カウンタＮ３１０、Ｎ３１１、Ｎ３１３、Ｎ３１４のうちの１つまたは複数）のうちの１つまたは複数を含み得る。
【０１３２】
いくつかの実施形態では、ＷＤ１１０は、ＷＤ１１０がソースＢＷＰからターゲットＢＷＰに切り替えるべきであると決定する。たとえば、ＷＤ１１０は、（たとえば、ＤＣＩを介して）ソースＢＷＰからターゲットＢＷＰに切り替えるようにとの命令を受信し得る。ＷＤ１１０は、ターゲットＢＷＰに関連する取得されたＲＬＭ設定に従って、ターゲット帯域幅部分に対してＲＬＭを実施する。いくつかの実施形態では、新しいＢＷＰをアクティブ化すると、ＷＤ１１０は、様々なルールおよび／または基準に基づいて、前に設定されたＲＬＭ設定をアクティブ化し得る。
【０１３３】
例示的な一実施形態では、ターゲットＢＷＰおよびソースＢＷＰのうちの１つまたは複数は、（たとえば、対スペクトルまたはＦＤＤのための）ＤＬ  ＢＷＰであり得る。別の例示的な実施形態では、ターゲットＢＷＰおよびソースＢＷＰのうちの１つまたは複数は、（たとえば、不対スペクトルまたはＴＤＤのための）ＤＬ／ＵＬ  ＢＷＰであり得、ここで、ＤＬ  ＢＷＰおよびＵＬ  ＢＷＰは、同じまたは異なる帯域幅を有し得るが、同じ周波数中心を有し、同時にアクティブ化される。また別の例示的な実施形態では、ターゲットＢＷＰおよびソースＢＷＰのうちの１つまたは複数は、ＵＬ  ＢＷＰであり得、これはまた、ＲＬＭ／ＲＬＦがどのように設定されるかに潜在的に影響を与え得る。
【０１３４】
上記のことを示すために、次に、特定の例示的な実施形態が説明される。ＷＤ１１０は、Ｋ２  ＢＷＰ設定に関連するＫ１  ＲＬＭ設定を取得し得る（たとえば、ＲＬＭ設定ｋ１＊はＢＷＰ設定ｋ２＊に関連する）。上記で説明されたように、ＷＤ１１０は、ネットワークノード１６０から受信されたメッセージに基づいてＫ１  ＲＬＭ設定を取得し、および／または、（たとえば、あらかじめ規定されたルールに基づいて）Ｋ１  ＲＬＭ設定を決定し得る。ＷＤ１１０は、Ｋ１  ＲＬＭ設定のうちの少なくとも１つのＲＬＭ設定のための少なくとも１つのＲＬＭ設定パラメータを決定し（たとえば、あらかじめ規定されたルールまたは規格に基づいて導出するか、あるいは、あらかじめ規定された値のセットから選択し）得る。所与のＢＷＰ（たとえば、ｋ２＊）のアクティブ化をトリガすると、ＷＤ１１０は、関連するＲＬＭ設定、ｋ１＊をアクティブ化する。
【０１３５】
ＲＬＭ設定とＢＷＰ設定とは、様々なやり方で関連し得る。第１の例として、各ＲＬＭ設定が各ＢＷＰ設定内のＩＥとして与えられ得る。第２の例として、各ＲＬＭ設定が、サービングセル設定内のＩＥとして与えられ、ＲＬＭ設定識別子に関連し得、ここで、ＲＬＭ設定識別子のみが各ＢＷＰ設定ＩＥの一部である。これは、有利には、ＲＬＭ設定がＲＲＣシグナリング中で効率的に伝達されることを可能にする。第３の例として、各ＲＬＭ設定がサービングセル設定内のＩＥとして与えられ得、各ＲＬＭ設定ＩＥ内にＢＷＰ  ＩＤのリストがあり得る。ＢＷＰごとのＲＬＭ設定は、上述の場合のいずれでも、ＢＷＰ設定におけるＯＰＴＩＯＮＡＬフィールドであり得る。言い換えれば、セルベースデフォルトＲＬＭ設定があり得、セルベースデフォルトＲＬＭ設定は、ＷＤ１１０がＲＬＭ設定なしにＢＷＰに切り替えられる場合に仮定される。
【０１３６】
ソース（すなわち、古い）ＢＷＰの設定とターゲット（すなわち、新しいアクティブ）ＢＷＰの設定とは、ＲＳタイプに関して同じであるかまたは異なり得る。以下でより詳細に説明されるように、異なる組合せが存在し得る。第１の例として、ソースＢＷＰ設定に関連するＲＬＭ設定は、ＲＳタイプ＝ＳＳブロックを規定し得、ターゲットＢＷＰ設定に関連するＲＬＭ設定も、ＲＳタイプ＝ＳＳブロックを規定し得る。いくつかの場合には、ＲＬＭ測定のための新しい（すなわち、ターゲット）ＳＳＢは、古い（すなわち、ソース）ＳＳＢと同じ周波数位置にあり得る。いくつかの場合には、ＲＬＭ測定のための新しいＳＳＢは、古いＳＳＢとは異なる周波数位置にあり得る。いくつかの場合には、ＲＬＭ測定のための新しいＳＳＢは、古いＳＳＢと同じ時間領域パターンを有し得る。いくつかの場合には、ＲＬＭ測定のための新しいＳＳＢは、古いＳＳＢとは異なる時間領域パターンを有し得る。いくつかの場合には、ＲＬＭ測定のための新しいＳＳＢは、古いＳＳＢと同じ物理セル識別子（ＰＣＩＤ）を有し得る。いくつかの場合には、ＲＬＭ測定のための新しいＳＳＢは、古いＳＳＢとは異なるＰＣＩＤを有し得る。いくつかの場合には、ＲＬＭ測定のための新しいＳＳＢは、古いＳＳＢと同じＲＬＭリソース（すなわち、ＳＳＢインデックス）を規定し得る。いくつかの場合には、ＲＬＭ測定のための新しいＳＳＢは、古いＳＳＢとは異なるＲＬＭリソース（すなわち、ＳＳＢインデックス）を規定し得る。これらは、追加のリソースまたはより少数のリソースのいずれかであり得る。
【０１３７】
第２の例として、ソースＢＷＰ設定に関連するＲＬＭ設定は、ＲＳタイプ＝ＣＳＩ−ＲＳを規定し得、ターゲットＢＷＰ設定に関連するＲＬＭ設定は、ＲＳタイプ＝ＣＳＩ−ＲＳを規定し得る。いくつかの場合には、ＲＬＭ測定のための新しいＣＳＩ−ＲＳリソースは、古いＣＳＩ−ＲＳリソースと同じ周波数位置にあり得る。いくつかの場合には、ＲＬＭ測定のための新しいＣＳＩ−ＲＳリソースは、古いＣＳＩ−ＲＳリソースとは異なる周波数位置にあり得る。いくつかの場合には、古いＣＳＩ−ＲＳ設定と新しいＣＳＩ−ＲＳ設定とは、同じＣＳＩ−ＲＳ測定帯域幅を規定し得る。いくつかの場合には、古いＣＳＩ−ＲＳ設定と新しいＣＳＩ−ＲＳ設定とは、異なるＣＳＩ−ＲＳ測定帯域幅を規定し得る。いくつかの場合には、ＲＬＭ測定のための（１つまたは複数の）新しいＣＳＩ−ＲＳリソースは、ＲＬＭのための（１つまたは複数の）古いＣＳＩ−ＲＳリソースと同じ時間領域パターンを有し得る。いくつかの場合には、ＲＬＭ測定のための（１つまたは複数の）新しいＣＳＩ−ＲＳリソースは、ＲＬＭのための（１つまたは複数の）古いＣＳＩ−ＲＳリソースとは異なる時間領域パターンを有し得る。いくつかの場合には、ＲＬＭ測定のための（１つまたは複数の）新しいＣＳＩ−ＲＳリソースは、（１つまたは複数の）古いＣＳＩ−ＲＳリソースと同じシーケンスを有し得る。いくつかの場合には、ＲＬＭ測定のための（１つまたは複数の）新しいＣＳＩ−ＲＳリソースは、（１つまたは複数の）古いＣＳＩ−ＲＳリソースとは異なるシーケンスを有し得る。いくつかの場合には、ＲＬＭ測定のための新しいＣＳＩ−ＲＳリソースは、古いＣＳＩ−ＲＳと同じＲＬＭリソース（すなわち、ＣＳＩ−ＲＳ時間／周波数／シーケンス）を規定し得る。いくつかの場合には、ＲＬＭ測定のための新しいＣＳＩ−ＲＳリソースは、古いＣＳＩ−ＲＳとは異なるＲＬＭリソース（すなわち、ＣＳＩ−ＲＳ時間／周波数／シーケンス）を規定し得る。
【０１３８】
ＲＬＭ  ＲＳがＣＳＩ−ＲＳである場合、ＷＤ１１０は、場合によっては全セル帯域幅の異なる部分において割り当てられた（すなわち、複数のＢＷＰを備える）、（１つまたは複数の）ＣＳＩ−ＲＳリソースの１つまたは複数のセットに基づいて、１つまたは複数のＲＬＭ設定をネットワーク（たとえば、ネットワークノード１６０）によって設定され得る。したがって、新しいアクティブＢＷＰに切り替えると、ＷＤ１１０は、ＲＬＭのためにソースＢＷＰ内の（１つまたは複数の）前に使用されたＣＳＩ−ＲＳリソースを使用することを停止し（すなわち、ＷＤ１１０は、（１つまたは複数の）前に使用されたＣＳＩ−ＲＳリソースに対して（１つまたは複数の）測定を実施することを停止し、これらを、ＩＳ／ＯＯＳイベントを生成するためにＢＬＥＲしきい値にマッピングすることを停止し）、ＲＬＭのために新しいＢＷＰ内の（１つまたは複数の）設定されたＣＳＩ−ＲＳリソースを使用することを開始する（すなわち、ＷＤ１１０は、設定されたＢＬＥＲ値にマッピングされることになるＳＩＮＲ測定を実施する）。
【０１３９】
いくつかの実施形態では、複数の設定されたＣＳＩ−ＲＳリソースは、新しいＢＷＰ内にあり得る。そのようなシナリオでは、ネットワークノード１６０は、（たとえば、あらかじめ規定されたルールに基づいて）ターゲットＢＷＰに対してＲＬＭを実施するために使用すべき無線リソースの１つまたは複数のセットを選択するようにＷＤ１１０を設定し得る。ＷＤ１１０は、（たとえば、あらかじめ規定されたルールに基づいて）ターゲットＢＷＰに対してＲＬＭを実施するために使用すべき無線リソースのセットのうちの１つまたは複数を選択し得る。ＷＤ１１０は、任意の好適な様式で、ＲＬＭ監視のためにどのＣＳＩ−ＲＳリソースを使用すべきかを決定し得る。いくつかの実施形態では、この決定は、あらかじめ規定されたルール（たとえば、ＷＤ１１０がＲＬＭ監視のためにどのＣＳＩ−ＲＳリソースを使用するべきであるかを支配するルール）に基づき得る。一例として、ルールは、ＷＤ１１０が、ＲＬＭ監視のために使用するために、最も高い周波数成分をもつＣＳＩ−ＲＳリソースを選択することであり得る。別の例として、ルールは、ＷＤ１１０が、ＢＷＰ内で設定されたすべてのＣＳＩ−ＲＳにわたってＲＬＭ測定を実施することであり得る。代替的に、いくつかの実施形態では、ＷＤ１１０は、ＲＬＭ監視のための複数の設定されたＣＳＩ−ＲＳリソースのうちの１つを任意に選定するように設定され得る。
【０１４０】
同様に、ＳＳＢの複数の設定および対応するＷＤ１１０挙動は、ＲＬＭ  ＲＳタイプがＳＳＢにセットされるとき、実現可能である。言い換えれば、ネットワークノード１６０は、ターゲット帯域幅部分に対してＲＬＭを実施するために使用すべき無線リソース（この事例では、ＳＳＢリソース）の１つまたは複数のセットを選択するようにＷＤ１１０を設定し得、ＷＤ１１０は、（たとえば、ＣＳＩ−ＲＳリソースの複数のセットが設定されるシナリオについて上記で説明されたものなど、あらかじめ規定されたルールに基づいて）ターゲットＢＷＰに対してＲＬＭを実施するために使用すべき無線リソースの複数のセットのうちの１つまたは複数を選択し得る。
【０１４１】
いくつかの実施形態では、ネットワークノード１６０は、同じＢＷＰに関連する複数のＲＬＭ  ＲＳ設定（たとえば、設定されたＢＷＰの各々についての１つまたは複数のＲＳ設定）を与え得る。たとえば、ネットワークノード１６０は、その両方が同じＢＷＰに関連する、ＳＳＢを使用する１つのＲＬＭ設定とＣＳＩ−ＲＳを使用する１つのＲＬＭ設定とをＷＤ１１０に与え得る。別の例として、ネットワークノード１６０は、同じＲＳタイプの複数のＲＳ設定（たとえば、両方ともＣＳＩ−ＲＳ設定を使用するか、または両方ともＳＳＢを使用する２つのＲＬＭ設定）をＷＤ１１０に与え得る。いずれの例示的なシナリオでも、ネットワークノード１６０は、ターゲットＢＷＰに関連するＲＳ設定のうちのどれがＲＬＭのために使用されるべきであるかを（たとえば、ＢＷＰスイッチを順序付けるＤＣＩ中で）指示し得る。いくつかの実施形態では、ネットワークノード１６０はまた、（たとえば、対応するＲＳが、同じＢＷＰを使用する別のＷＤのためにすでにアクティブ化されたのでない限り）その対応するＲＳをアクティブ化し得る。
【０１４２】
いくつかの実施形態では、異なるＢＬＥＲしきい値設定の使用は、同様のやり方でハンドリングされ得る。言い換えれば、同じＢＷＰに関連する複数のＢＬＥＲしきい値設定があり得、ネットワークノード１６０は、複数のＢＬＥＲしきい値設定のうちのどれがＲＬＭのためにＢＷＰとともに使用されるべきであるかの指示をＷＤ１１０に与え得る。
【０１４３】
代替的に、いくつかの実施形態では、ネットワークノード１６０は、ＢＷＰとの関連付けなしにＲＬＭ  ＲＳ設定のリストを与え得る。そのようなシナリオでは、ネットワークノード１６０は、リストされたＲＳ設定のうちのどれが新しいＢＷＰ中でのＲＬＭのために使用されるべきであるかを、ＢＷＰスイッチを順序付けるＤＣＩ中で指示し得る。異なるＢＬＥＲしきい値設定も、同様のやり方でハンドリングされ得る。
【０１４４】
上記で説明された例に加えて、以下で説明される例示的なルールを含む、ＲＬＭ／ＲＬＦ設定がＢＷＰに関連し得る様々な他のやり方がある。これらのルールは、ＲＬＭ／ＲＬＦとＢＷＰと（またはＢＷＰとＲＬＭ／ＲＬＦ設定との間の関連付け）を設定するネットワーク（たとえば、ネットワークノード１６０）によって、または、アクティブＢＷＰのセットを変更すると適切なＲＬＭ／ＲＬＦ設定を選択するＷＤ１１０によって使用され得る。いくつかの実施形態におけるＲＬＭ／ＲＬＦ設定をＢＷＰに関連付けるために使用され得るルールの例が、以下でより詳細に説明される。
【０１４５】
第１の例示的なルールとして、いくつかの実施形態では、第１のＢＷＰ（ＢＷＰ１）がアクティブであるときは、ＲＬＭは、第１の帯域幅（ＢＷ１）（たとえば、ＳＳＢベースＲＬＭのためのＳＳＢまたはＣＳＩ−ＲＳベースＲＬＭのためのＣＳＩ−ＲＳ）に基づき、第２のＢＷＰ（ＢＷＰ２）がアクティブであるときは、ＲＬＭは、第２の帯域幅（ＢＷ２）（たとえば、ＳＳＢベースＲＬＭのためのＳＳＢまたはＣＳＩ−ＲＳベースＲＬＭのためのＣＳＩ−ＲＳ）に基づく。そのようなシナリオでは、第１の帯域幅は第２の帯域幅よりも小さいかまたはそれに等しく（すなわち、ＢＷ１≦ＢＷ２）、ＢＷＰ１の帯域幅はＢＷＰ２の帯域幅よりも大きくない。
【０１４６】
第２の例示的なルールとして、いくつかの実施形態では、ＳＳブロックがＢＷＰ内に備えられるときは、第１のタイプのＲＬＭ  ＲＳ（たとえば、ＳＳブロック中に備えられる信号）が使用され、他の場合は、第２のタイプのＲＬＭ  ＲＳ（たとえば、ＣＳＩ−ＲＳ）が使用される。
【０１４７】
第３の例示的なルールとして、いくつかの実施形態では、ＲＬＭが第１のＲＬＭ  ＲＳタイプ（たとえば、ＳＳブロックベース）に基づくときは、第１のタイプのしきい値、タイマー、および／またはカウンタが使用され、ＲＬＭが第２のＲＬＭ  ＲＳタイプ（たとえば、ＣＳＩ−ＲＳ）に基づくときは、第２のタイプのしきい値、タイマー、および／またはカウンタが使用される。
【０１４８】
第４の例示的なルールとして、いくつかの実施形態では、第１のＢＷＰがアクティブであるときは、第１の補償係数が適用され、第２のＢＷＰがアクティブであるときは、第２の補償係数が適用される。そのようなシナリオでは、第１の補償係数および第２の補償係数のうちの少なくとも１つが、ＲＬＭ測定（たとえば、ＳＩＮＲ）を異なる値に変更する（たとえば、それがＳＩＮＲに加算される場合、非０補償係数、または、それがＳＩＮＲをスケーリングする場合、１に等しくない補償係数）。
【０１４９】
第５の例示的なルールとして、いくつかの実施形態では、第１のＢＷＰがアクティブであるときは、仮想的チャネル（たとえば、仮想的制御チャネル）の設定パラメータ（たとえば、帯域幅、アグリゲーションレベル、ＤＣＩサイズ、シンボルの数、制御チャネルエネルギーとＳＳＳ  ＲＥエネルギーとの比など）の第１のセットが使用され、第２のＢＷＰがアクティであるときは、仮想的チャネルの設定パラメータの第２のセットが使用される。
【０１５０】
第６の例示的なルールとして、いくつかの実施形態では、（たとえば、時間および／または周波数においてより疎なＲＥ構造をもつ）第１のＲＬＭ  ＲＳのためのより長いＲＬＭ評価期間と、（たとえば、時間および／または周波数においてより密なＲＥ構造をもつ）第２のＲＬＭ  ＲＳのためのより短いＲＬＭ評価期間とが、同じＢＬＥＲのために使用される。さらに、いくつかの実施形態では、評価期間は、ＢＷＰ変更によりＲＬＭ  ＲＳを変更すると、再開し得るが、ＲＬＭ／ＲＬＦ関係タイマーおよびカウンタは継続し得る。
【０１５１】
第７の例示的なルールとして、いくつかの実施形態では、仮想的チャネルおよび／またはＢＷＰの帯域幅が低減される場合は、評価期間は延長され、仮想的チャネルおよび／またはＢＷＰの帯域幅が増加する場合は、評価期間は低減される。いくつかの実施形態では、評価期間は、遷移時間中に（すなわち、評価期間がＢＷＰ変更時に再開しないときに）新しいＢＷＰに対応する評価期間と古いＢＷＰに対応する評価期間との間で最も長くなり得る。
【０１５２】
上記で説明されたように、ＲＬＭを実施することは、ＯＯＳイベントおよびＩＳイベントを生成するために測定を使用することを伴う。いくつかの実施形態では、ＷＤ１１０は、ＷＤ１１０がＢＷＰを変更する必要があるとき、測定に関係する特定のアクションを実施し得る。これらのアクションは、たとえば、前のＢＷＰ中で実施された測定が、新たにアクティブ化されたＢＷＰ中で使用され得るかどうか（およびどのように使用され得るか）、前のＢＷＰ中で生成されたＯＯＳイベントおよびＩＳイベントがどのように使用され得るか、ならびに、ＷＤ１１０およびネットワークノード１６０がこれらのイベントのためのカウンタ（たとえば、Ｎ３１０、Ｎ３１１、Ｎ３１３、Ｎ３１４カウンタ）およびタイマー（たとえば、Ｔ３１０、Ｔ３１１、Ｔ３１３およびＴ３１４タイマー）をどのように管理するかに関係し得る。ＷＤ１１０がＢＷＰを変更するときにＷＤ１１０がその測定をどのようにハンドリングするかに関係する様々な例示的な実施形態が、以下で詳細に説明される。
【０１５３】
たとえば、いくつかの場合には、ＲＬＭのために使用される仮想的チャネル設定は、新しいＢＷＰについて異なり得る。そのようなシナリオでは、ＷＤ１１０は、ＲＬＭのために使用される仮想的チャネル設定を更新し得る。同様に、ＲＬＭ測定帯域幅、ＲＬＭのために使用されるＢＬＥＲまたはＢＬＥＲペア、補償係数、およびＲＬＭ測定（たとえば、ＳＩＮＲ）とＢＬＥＲとの間のマッピングなど、他の変数が、新しいＢＷＰについて異なり得る。ＲＬＭ測定帯域幅が新しいＢＷＰについて異なる場合、ＷＤ１１０は、そのＲＬＭ測定帯域幅を変更し得る。ＲＬＭのために使用されるＢＬＥＲまたはＢＬＥＲペアが新しいＢＷＰについて異なる場合、ＷＤ１１０は、ＲＬＭのために使用されるＢＬＥＲまたはＢＬＥＲペアを更新し得る。新しいＢＷＰについての補償係数が異なる場合、ＷＤ１１０は、異なる補償係数を適用し得る。ＲＬＭ測定とＢＬＥＲとの間のマッピングが新しいＢＷＰについて異なる場合、ＷＤ１１０は、ＲＬＭ測定とＢＬＥＲとの間の新しいマッピングを使用し得る。
【０１５４】
別の例として、いくつかの場合には、新たにアクティブなＢＷＰについての評価期間が異なり得る。そのようなシナリオでは、ＷＤ１１０は、ＲＬＭ評価期間を変更し得る。たとえば、評価期間は、ＲＬＭ／ＲＬＦ設定をＢＷＰに関連付けるための第６および第７の例示的なルールに関して上記で説明されたように変更され得る。
【０１５５】
いくつかの場合には、新たにアクティブなＢＷＰ（すなわち、ターゲットＢＷＰ）中で同じＲＳタイプおよびリソースが使用され得る。そのようなシナリオでは、ＷＤ１１０は、ＯＯＳイベントおよびＩＳイベントを生成するために、前に実施された測定または測定サンプルを使用することを継続し得る（すなわち、ＷＤ１１０は、カウントし続ける）。いくつかの実施形態では、ＷＤ１１０は、カウンタ変数（たとえば、Ｎ３１０、Ｎ３１１、Ｎ３１３、Ｎ３１４）を維持する。したがって、カウンタ変数は、生成されたＯＯＳイベントおよび／またはＩＳイベントに基づいて増加／減少し続ける。言い換えれば、上位レイヤの観点から、ＩＳ／ＯＯＳイベントがどのように生成されるかは、透過的なままである。いくつかの実施形態では、ネットワークノード１６０は、新たにアクティブなＢＷＰ中で同じＲＳタイプおよびリソースが使用されるとき、ＯＯＳイベントおよびＩＳイベントを生成するために、前に実施された測定および前に実施された測定サンプルのうちの１つまたは複数を使用するようにＷＤ１１０を設定し得る。
【０１５６】
しかしながら、いくつかの場合には、ＲＬＭ測定は、新しいＢＷＰがアクティブ化されるときに再使用されることが可能でないことがある。新しいＢＷＰがアクティブ化されるときにＲＬＭ測定が再使用され得ない場合、ＷＤ１１０は、１つまたは複数のタイマーまたはカウンタを再開し得る。他の場合（すなわち、ＲＬＭ測定が再使用され得る場合）、ＷＤ１１０は、（たとえば、上記で説明されたように）タイマーまたはカウンタのうちの少なくとも１つを使用することを継続し得る。
【０１５７】
新たにアクティブなＢＷＰ中で異なるリソースが使用されるとき、ＷＤ１１０が、ＩＳ／ＯＯＳイベントを生成するために使用されるカウンタおよびタイマーをハンドリングすることができる様々なやり方がある。新たにアクティブなＢＷＰ中で異なるリソースが使用されるときにＷＤ１１０が挙動するやり方を詳述する異なる例示的な実施形態が、以下でより詳細に説明される。
【０１５８】
例示的な一実施形態では、異なるＢＷＰについて異なるＲＬＭ  ＲＳが使用される場合、ＷＤ１１０は、ＲＬＭ評価が継続することを可能にし、タイマーおよびカウンタを継続することを可能にするために、測定に相関関数を適用する。一例では、相関関数は、第２のＲＬＭ  ＲＳに基づくＳＩＮＲと比較して第１のＲＬＭ  ＲＳに基づくＳＩＮＲに適用されるオフセットであり得る。いくつかの実施形態では、ネットワークノード１６０は、新たにアクティブなＢＷＰ中で異なるＲＬＭ  ＲＳが使用されるとき、ＲＬＦタイマーまたはＲＬＦカウンタをリセットすることなしにＯＯＳイベントおよびＩＳイベントを生成するために、１つまたは複数の前に実施された測定および前に実施された測定サンプルに相関関数を適用するようにＷＤ１１０を設定し得る。
【０１５９】
別の例示的な実施形態では、ＷＤ１１０は、ＲＬＭ  ＲＳがＢＷＰの変更時に異なるとき、タイマーまたはカウンタのうちの少なくとも１つをリセットする。いくつかの実施形態では、ネットワークノード１６０は、新たにアクティブなＢＷＰ中で異なるリソースが使用されるとき、ＲＬＦタイマーおよびＲＬＦカウンタのうちの少なくとも１つをリセットするようにＷＤ１１０を設定し得る。
【０１６０】
別の例示的な実施形態では、ＷＤ１１０は、（たとえば、ＲＬＭ  ＯＯＳのための）タイマーおよびカウンタのあるセットをリセットし、（たとえば、ＲＬＭ  ＩＳのための）タイマーおよびカウンタの別のセットが継続することを可能にする。いくつかの実施形態では、ネットワークノード１６０は、新たにアクティブなＢＷＰ中で異なるＲＬＭ  ＲＳが使用されるとき、（たとえば、ＯＯＳイベントのための）ＲＬＦタイマーおよびＲＬＦカウンタのセットをリセットするようにＷＤ１１０を設定し、（たとえば、ＩＳイベントのための）ＲＬＦタイマーおよびＲＬＦカウンタのセットが継続することを可能にするようにＷＤ１１０を設定し得る。
【０１６１】
別の例示的な実施形態では、ＷＤ１１０は、タイマーが継続することを可能にするが、カウンタが継続することを可能にしない。いくつかの実施形態では、ネットワークノード１６０は、新たにアクティブなＢＷＰ中で異なるＲＬＭ  ＲＳが使用されるとき、ＲＬＦカウンタをリセットすることなしに１つまたは複数のＲＬＦタイマーをリセットするようにＷＤ１１０を設定し得る。
【０１６２】
別の例示的な実施形態では、ＷＤ１１０は、少なくとも１つのカウンタまたはタイマーに（たとえば、時間を延長するか、または、アクションをトリガする前の可能にされるＲＬＭ物理レイヤ報告の数を増加させるための）オフセットを適用する。いくつかの実施形態では、ネットワークノード１６０は、新たにアクティブなＢＷＰ中で異なるＲＬＭ  ＲＳが使用されるとき、少なくとも１つのカウンタまたはタイマーにオフセットを適用するようにＷＤ１１０を設定し得る。
【０１６３】
上記で説明されたように、ＷＤ１１０は、ＲＬＦ／ＳＣＧ失敗設定を取得し得、各ＲＬＦ／ＳＣＧ失敗設定は、以下のパラメータ、すなわち、タイマー（たとえば、タイマーＴ３１０、Ｔ３１１、Ｔ３１３、Ｔ３１４のうちの１つまたは複数）およびカウンタ（たとえば、カウンタＮ３１０、Ｎ３１１、Ｎ３１３、Ｎ３１４のうちの１つまたは複数）のうちの１つ、またはこれらのパラメータの組合せを含み得る。ＲＬＦ／ＳＣＧ失敗パラメータの設定に関係する様々な実施形態が、以下でより詳細に説明される。
【０１６４】
いくつかの場合には、ＲＬＦまたはＳＣＧ失敗をトリガするタイマー（たとえば、タイマーＴ３１０またはＴ３１３）のうちの少なくとも１つが、ＢＷＰ切替えがトリガされるときに稼働していることがある。ＲＬＦまたはＳＣＧ失敗をトリガするタイマーのうちのいずれかが、ＢＷＰ切替えがトリガされるときに稼働している場合にＷＤ１１０によって実施され得る様々な例示的なアクションが、以下でより詳細に説明される。以下の例の目的で、ＲＬＦまたはＳＣＧ失敗をトリガするタイマーのうちの１つが、ＢＷＰ切替えがトリガされるときに稼働していると仮定されるべきである。
【０１６５】
第１の例として、いくつかの場合には、ＲＬＭ  ＲＳタイプは古い（すなわち、ソース）ＢＷＰと新しい（すなわち、ターゲット）ＢＷＰの両方におけるＳＳＢであり得、新しいＢＷＰは、新たにアクティブなＢＷＰ内に、新しいＢＷＰに関連する新しいＳＳＢを有しないことがある。言い換えれば、ＷＤ１１０は、ＲＲＭ測定とＲＬＭとのために同じＳＳＢを使用することを継続するように設定され得る。そのようなシナリオでは、いくつかの実施形態において、ＷＤ１１０は以下のアクションを実施し、すなわち、ＷＤ１１０は（１つまたは複数の）タイマーをリセットせず、ＷＤ１１０は前に実施された測定を廃棄せず、ＷＤ１１０は前に生成されたＩＳ／ＯＯＳイベントを廃棄せず、ＷＤ１１０は（１つまたは複数の）カウンタを増分することを継続する。
【０１６６】
第２の例として、いくつかの場合には、古いＢＷＰ中のＲＬＭ  ＲＳタイプは、ＳＳＢまたはＣＳＩ−ＲＳのいずれかであり得、ＲＬＭ  ＲＳタイプは、新しいＢＷＰ中のＳＳＢであり得る。さらに、新しいＢＷＰは、ＲＲＭ測定および／またはＲＬＭのために使用されるべき新たにアクティブなＢＷＰ内に、新しいＢＷＰに関連する新しいＳＳＢを有し得る。そのようなシナリオでは、いくつかの実施形態において、ＷＤ１１０は以下のアクションを実施し、すなわち、ＷＤ１１０は（１つまたは複数の）タイマーをリセットし、ＷＤ１１０は（１つまたは複数の）前に実施された測定を廃棄し、ＷＤ１１０は（１つまたは複数の）前に生成されたＩＳ／ＯＯＳイベントを廃棄し、ＷＤ１１０は（１つまたは複数の）カウンタをリセットする。
【０１６７】
第３の例として、いくつかの場合には、ＲＬＭ  ＲＳタイプは古いＢＷＰと新しいＢＷＰの両方におけるＣＳＩ−ＲＳであり得、新しいＢＷＰは、新たにアクティブなＢＷＰ内に、新しいＢＷＰに関連する新しいＣＳＩ−ＲＳ設定を有しないことがある。言い換えれば、ＷＤ１１０は、ＲＲＭ測定とＲＬＭとのために同じＣＳＩ−ＲＳ設定を使用することを継続するように設定され得る。そのようなシナリオでは、いくつかの実施形態において、ＷＤ１１０は以下のアクションを実施し、すなわち、ＷＤ１１０は（１つまたは複数の）タイマーをリセットせず、ＷＤ１１０は（１つまたは複数の）前に実施された測定を廃棄せず、ＷＤ１１０は（１つまたは複数の）前に生成されたＩＳ／ＯＯＳイベントを廃棄せず、ＷＤ１１０は（１つまたは複数の）カウンタを増分し続ける。
【０１６８】
第４の例として、いくつかの場合には、古いＢＷＰ中のＲＬＭ  ＲＳタイプは、ＳＳＢまたはＣＳＩ−ＲＳのいずれかであり得、ＲＬＭ  ＲＳタイプは、新しいＢＷＰ中のＣＳＩ−ＲＳであり得る。さらに、新しいＢＷＰは、新たにアクティブなＢＷＰ内に、新しいＢＷＰに関連する新しいＣＳＩ−ＲＳ設定を有し得る。そのようなシナリオでは、いくつかの実施形態において、ＷＤ１１０は以下のアクションを実施し、すなわち、ＷＤ１１０は（１つまたは複数の）タイマーをリセットせず、ＷＤ１１０は（１つまたは複数の）前に実施された測定を廃棄せず、ＷＤ１１０は（１つまたは複数の）前に生成されたＩＳ／ＯＯＳイベントを廃棄せず、ＷＤ１１０はカウンタを増分し続ける。
【０１６９】
第５の例として、いくつかの場合には、古いＢＷＰ中のＲＬＭ  ＲＳタイプは、ＳＳＢまたはＣＳＩ−ＲＳのいずれかであり得、ＲＬＭ  ＲＳタイプは、新しいＢＷＰ中のＣＳＩ−ＲＳであり得る。さらに、新しいＢＷＰは、新たにアクティブなＢＷＰ内に、新しいＢＷＰに関連する新しいＣＳＩ−ＲＳ設定を有し得る。そのようなシナリオでは、いくつかの実施形態において、ＷＤ１１０は以下のアクションを実施し、すなわち、ＷＤ１１０は（１つまたは複数の）タイマーをリセットし、ＷＤ１１０は（１つまたは複数の）前に実施された測定を廃棄し、ＷＤ１１０は（１つまたは複数の）前に生成されたＩＳ／ＯＯＳイベントを廃棄し、ＷＤ１１０は（１つまたは複数の）カウンタをリセットする。
【０１７０】
ＲＬＦまたはＳＣＧ失敗をトリガするタイマーのうちの少なくとも１つが、ＢＷＰ切替えがトリガされるときに稼働しているときにＷＤ１１０によって実施されるアクションに関係する上記で説明された様々な例示的な実施形態に関して、ＷＤ１１０によって実施されるものとして説明されるアクションは、任意の順序で実施され得、本開示は、上記で説明された順序でアクションを実施することに限定されないことに留意されたい。
【０１７１】
その上、いくつかのシナリオにおけるＷＤ１１０によって実施され得る上記で説明されたアクションは、限定するものでも、消耗するものでもない。いくつかの場合には、ＷＤ１１０による他のアクションが、異なるＲＬＭ  ＲＳタイプの場合について、ＢＷＰ切替えと併せて適切であり得る。したがって、いくつかの実施形態では、反対の挙動（または上記で説明された例示的な実施形態の変形形態）が、いくつかの切替えの場合において使用され得る。したがって、他の実施形態では、ＷＤ１１０があるＢＷＰから別のＢＷＰに切り替え、ここで、新しいＢＷＰが、新しいＲＳタイプ、または同じＲＳタイプについての新しい設定を有するとき、ＷＤ１１０は、（１つまたは複数の）タイマーおよび（１つまたは複数の）カウンタを稼働させ続け、（１つまたは複数の）前に実施された測定および（１つまたは複数の）前に生成されたＩＳ／ＯＯＳイベントを続け得る。いくつかの実施形態では、これは、より粒度の細かい実施形態において、細分化され得る。たとえば、ＷＤ１１０は、ＲＳタイプが新しいＢＷＰ中で同じである場合、（１つまたは複数の）タイマー、（１つまたは複数の）カウンタ、（１つまたは複数の）測定および（１つまたは複数の）イベントを続け得るが、他の場合、それらを続けない。
【０１７２】
いくつかの実施形態では、（１つまたは複数の）タイマーおよび／または（１つまたは複数の）カウンタをリセットすること、またはＲＬＭリソース設定の更新に基づいて（１つまたは複数の）タイマーおよび／または（１つまたは複数の）カウンタを維持することに関してＷＤ１１０によってとられるアクションは、ネットワークによって設定され得る。ＲＬＭ状態変数を変更しないことの背後の論理は、ＷＤ１１０が依然として同じセル上にとどまるということである。したがって、ＷＤ１１０が同期することが困難であり、古いＢＷＰ中で十分に良好なチャネル品質を有していた場合、ＢＷＰを変更することにより、それが変わる可能性はあまり高くない。一方、ＢＷＰ変更がＰＤＣＣＨ設定更新（たとえば、ＣＯＲＥＳＥＴ設定更新）につながり（または少なくともつながり得）、これがＰＤＣＣＨのビームフォーミング特性をも変更し得るので、ネットワークは、ＲＬＭおよびＲＬＦに関係する状態変数をリセットすることを希望し得る。
【０１７３】
いくつかの実施形態では、ネットワーク（たとえば、ネットワークノード１６０）は、様々なやり方で、（上記で説明されたＷＤ１１０による様々なアクションなどの）（１つまたは複数の）タイマーおよび／または（１つまたは複数の）カウンタをリセットするかまたは維持することに関してＷＤ１１０によってとられるべきアクションを設定し得る。いくつかの実施形態では、ＷＤ１１０によって実施されるアクションの設定は、ＢＷＰが設定されるときに与えられ得る。たとえば、すべてのＢＷＰスイッチに適用され得る単一の一般的なアクションルール設定の形態で。いくつかの実施形態では、一般的なアクションルール設定は、スイッチに関与するＢＷＰにかかわらず同じアクションが実施されるべきであることを指定し得る。いくつかの実施形態では、一般的なアクションルール設定は、（たとえば、上記の異なるシナリオ、すなわち、ＲＳタイプの変更の有無、ＲＳリソース設定の変更の有無に関して）ＢＷＰスイッチのタイプに応じて異なるアクションが実施されるべきであることを指定し得る。代替的に、いくつかの実施形態では、ネットワークは、各設定されたＢＷＰに関連する別個のアクションを設定し得る。たとえば、ＷＤ１１０が特定のＢＷＰに切り替えるとき、その特定のＢＷＰに関連するアクションが実施され得る。別の例として、ＵＥが特定のＢＷＰから別のＢＷＰに切り替えるとき、その特定のＢＷＰに関連するアクションが実施され得る。さらに別の例として、ネットワークノード１６０（たとえば、ｇＮＢ）は、アクション設定のリストをＷＤ１１０に与え得る。アクション設定のリストは、ＢＷＰ関連付けを含まないことがある。ネットワークノード１６０は、リストされたアクション設定のうちのどれを、ＷＤ１１０が、関係するＢＷＰスイッチと併せて適用するべきであるかを（たとえば、ＢＷＰスイッチを順序付けるＤＣＩ中で）指示し得る。
【０１７４】
いくつかの実施形態では、ＷＤ１１０は、少なくとも部分的に重複する時間期間（たとえば、評価期間）にわたって少なくとも２つの異なるＢＷＰ中で、（たとえば、ＯＯＳおよびＩＳ評価のために）ＲＬＭの目的で（たとえば、ＣＳＩ−ＲＳまたはＳＳＢ信号に基づいて）ＤＬリンク品質を監視するために、無線リンク品質を推定し得る。いくつかの場合には、これは、本明細書では、ＲＬＭのための異なるＢＷＰ中でのＤＬリンク品質の「並列監視」または「部分並列監視」と呼ばれることがある。
【０１７５】
いくつかの場合には、あらゆるサンプルにおける最良のビームの品質は、ＯＯＳ／ＩＳイベントを生成することに関連していることがある。ＣＳＩ−ＲＳベースＲＬＭのためのＯＯＳ評価期間およびＩＳ評価期間の例は、（たとえば、ＯＯＳ／ＩＳ評価が、ＣＳＩ−ＲＳに対して測定されたＤＬリンク品質に基づくとき）それぞれ１００ｍｓおよび２００ｍｓである。ＳＳＢベースＲＬＭのためのＯＯＳ評価期間およびＩＳ評価期間の例は、（たとえば、ＯＯＳ／ＩＳ評価が、ＳＳＢ信号に対して測定されたＤＬリンク品質に基づくとき、およびＴＳＳＢが、ＲＬＭのためにＷＤ１１０において設定されたＳＳバースト周期性である場合）それぞれ３＊ＴＳＳＢおよび６＊ＴＳＳＢである。
【０１７６】
以下でより詳細に説明されるように、例示的な一実施形態によれば、ＷＤ１１０は、２つまたはそれ以上のＢＷＰがアクティブ化されるレートにかかわらず、これらのＢＷＰ中でＤＬリンク品質の並列監視を実施し得る。別の例示的な実施形態では、ＷＤ１１０は、２つまたはそれ以上のＢＷＰがアクティブ化されるレートに応じて、これらのＢＷＰ中でＤＬリンク品質の並列監視を実施し得る。たとえば、ＷＤ１１０は、ＵＥがＴ１時間単位（たとえば、Ｔ１＝１０ｍｓ）ごとに少なくとも１回、ある時間期間の間各ＢＷＰをアクティブ化するように設定されるとすれば、任意の２つのＢＷＰ中でＤＬリンク品質の並列監視を実施し得る。たとえば、このルールは、２つまたはそれ以上のＢＷＰが（たとえば、ＤＬ無線リンク品質の評価期間よりも短い）より短い持続時間の間継続的にアクティブのままである場合のみ、ＷＤ１１０に、これらのＢＷＰ中で並列にＤＬリンク品質を監視するように求める。
【０１７７】
いくつかの実施形態では、ＷＤ１１０は、選択的に、および／または１つまたは複数の基準に基づいて、２つまたはそれ以上のＢＷＰ中で並列にＤＬリンク品質の並列評価を（すなわち、少なくとも部分的に重複する時間期間中に）実施するように設定され得る。基準は、任意の好適な基準であり得る。基準の例は、限定はしないが、ＵＥが１つまたは複数の設定されたＢＷＰ中でアクティブのままである持続時間、および、ＷＤ１１０が異なるアクティブＢＷＰ間で切り替えられるレートを含む。より具体的には、ＷＤ１１０は、ＵＥについての、ＢＷＰのうちの１つまたは複数がアクティブのままである持続時間に基づいて、少なくとも部分的に重複する時間期間にわたって２つまたはそれ以上のＢＷＰ中で並列にＤＬリンク品質の並列評価を実施するようにさらに設定され得る。
【０１７８】
例示のために、以下の例示的な実施形態を考慮する。この例では、ＷＤ１１０に２つのＢＷＰ、すなわち、第１のＢＷＰ（ＢＷＰ１）および第２のＢＷＰ（ＢＷＰ２）が（たとえば、ＲＲＣを介して）設定されると仮定する。１つの時間インスタンスにおいて、ＷＤ１１０に１つのアクティブＢＷＰのみが（たとえば、ＤＣＩを介して）設定され得る（すなわち、ＷＤ１１０のアクティブ化されたまたはアクティブなＢＷＰが、本例ではＢＷＰ１またはＢＷＰ２のいずれかである）とさらに仮定する。ＷＤ１１０に、ある時間しきい値（Ｔａ）よりも短い持続時間にわたってアクティブＢＷＰ１またはアクティブＢＷＰ２が設定される場合、ＷＤ１１０がそれぞれのＢＷＰ中でアクティブになるときはいつでも、ＷＤ１１０は、ＢＷＰ１とＢＷＰ２の両方においてＤＬ信号のＤＬ無線リンク監視を実施し得る。しかし、ＷＤ１１０に、時間しきい値Ｔａに等しいかまたはそれよりも大きい持続時間にわたってアクティブＢＷＰ１またはアクティブＢＷＰ２が設定される場合、ＷＤ１１０は、Ｔａの後にアクティブのままであるＢＷＰ中でのみＤＬ信号のＤＬ  ＲＬＭを実施する。Ｔａの例は、１０ｍｓ、１００ｍｓなどを含む。
【０１７９】
前者の場合（ＢＷＰ１またはＢＷＰ２が時間しきい値Ｔａ未満の間アクティブであるとき）、いくつかの実施形態では、ＷＤ１１０は、ＢＷ１およびＢＷ２にわたって測定されたＤＬ無線リンク品質の組合せに基づいて、ＯＯＳまたはＩＳ検出をさらに評価し得る。別の例として、いくつかの実施形態では、ＷＤ１１０は、ＢＷ１およびＢＷ２にわたって測定された無線リンク品質に基づいて、ＯＯＳおよびＩＳ検出を独立して評価し得る。いくつかの実施形態では、ＷＤ１１０が、ＯＯＳおよびＩＳ検出のために組み合わせられたメトリックを使用するべきであるのか、ＯＯＳおよびＩＳ検出のためにＤＬ無線リンク品質を独立して適用するべきであるのかは、規格におけるルールとしてあらかじめ規定され得る。いくつかの実施形態では、ＷＤ１１０が、ＯＯＳおよびＩＳ検出のために組み合わせられたメトリックを使用するべきであるのか、ＯＯＳおよびＩＳ検出のためにＤＬ無線リンク品質を独立して適用するべきであるのかは、（たとえば、ＲＲＣ、ＭＡＣ、および／またはＰＤＣＣＨ上のＤＣＩ、あるいは何らかの他の好適な様式を介して）ネットワークノード１６０によってＵＥにおいて設定され得る。ＤＬ無線リンク品質の組合せを取得するためのメトリックの例は、限定はしないが、平均値、最大値、最小値、または何らかの他の好適なメトリックを含む。この機構は、ＷＤ１１０が常時複数のＢＷＰ中でＯＯＳおよびＩＳ検出のための並列評価を実施する必要があるとは限らない（代わりに、ＷＤ１１０は選択的にその並列評価を行い得る）ので、ＲＬＭ性能を向上させ、ＷＤ１１０における電力節約につながる。
【０１８０】
いくつかの実施形態では、ＷＤ１１０には、Ｎ個のＢＷＰが設定され得る。設定されたＮ個のＢＷＰのうちの１つは、デフォルトＢＷＰとして設定され得る。そのようなシナリオでは、いくつかの実施形態において、ＷＤ１１０は、デフォルトＢＷＰ中で（たとえば、ＣＳＩ−ＲＳまたはＳＳＢ信号に基づいて）ＤＬリンク品質を監視するために常に無線リンク品質を推定し得る。さらに、いくつかの実施形態では、ＷＤ１１０は、現在のアクティブＢＷＰがデフォルトＢＷＰでないとき、現在のアクティブＢＷＰの無線リンク品質を監視し得る。いくつかの場合には、タイマーが使用され得る（たとえば、ＷＤ１１０がある時間Ｔの間アクティブＢＷＰ中でＤＣＩを受信することができない場合、ＷＤ１１０はデフォルトＢＷＰに戻り得る）。ＷＤ１１０が２つの異なるＢＷＰから無線リンク品質を監視している場合、ＯＯＳ指示およびＩＳ指示は、どのＢＷＰが指示を引き起こしたかを指示する指示（たとえば、タグ）に関連し得る。
【０１８１】
いくつかの実施形態では、ＷＤ１１０は、再確立時に（たとえば、ＲＬＦが発生した後に）ネットワークに送信され得るＲＬＦ報告に（たとえば、ＲＬＭ設定およびＲＬＦに関係する）ＢＷＰ設定情報を記憶するように設定され得る。いくつかの実施形態では、情報は、所与のＢＷＰ中でＲＬＦが発生したときに記憶され得る。ＷＤ１１０は、ＲＬＦが発生したときのＢＷＰ設定をＲＬＦ報告中に含め得る。いくつかの実施形態では、ＷＤ１１０は、ＲＬＦがＢＷＰスイッチと併せて発生したかどうか、およびＲＬＦがＢＷＰスイッチと併せて発生した場合、切替えがＤＣＩシグナリングによって引き起こされたのかタイマーによって引き起こされたのかなど、他の情報をも含め得る。いくつかの実施形態では、ＲＬＦ報告は、ＲＬＦが古いＢＷＰから新しいＢＷＰへのスイッチと併せて発生した場合、古いＢＷＰに関する情報をも含み得る。いくつかの実施形態では、この情報の一部または全部が、ＲＲＣ接続再確立要求中に（追加または代替として）含まれ得る。
【０１８２】
いくつかの実施形態では、ネットワークノード１６０は、上記で説明された様々なやり方のうちの１つまたは複数でＷＤ１１０を設定し得る。上記で説明されたようにＷＤ１１０を設定することに加えて、いくつかの実施形態では、ネットワークノード１６０は、（１つまたは複数の）特定のリソース中で異なる参照信号を送信し得る。たとえば、ネットワークノード１６０は、設定されたＢＷＰごとに（１つまたは複数の）特定のリソース中で異なる参照信号を送信し得る。別の例として、ネットワークノード１６０は、所与のＢＷＰのアクティブ化時にいくつかの参照信号をアクティブ化し得る。たとえば、いくつかの実施形態では、ＲＬＭ  ＲＳの送信は、少なくとも１つのＷＤのためのＢＷＰのアクティブ化によって（たとえば、ネットワークノードがそのＷＤのためのその新たにアクティブ化されたＢＷＰ中でＰＤＣＣＨを送信することを開始するということによって）トリガされ得る。
【０１８３】
以下のセクションは、上記で説明された実施形態のうちの１つまたは複数がどのように規格に実装され得るかへの例示的な手法を示す。以下の説明は１つの可能な手法を反映し、本開示は、以下で説明される例に限定されない。本開示の範囲から逸脱することなく、以下で説明される例示的な手法に対して修正、追加、または省略が行われ得る。
【０１８４】
ＵＥのために設定された複数のＢＷＰがあるとき、ＲＬＭをどのように行うべきかについての２つのオプションがある。第１のオプションは、現在のアクティブＢＷＰを常時監視することである。第２のオプションは、ＲＬＭ専用ＢＷＰを監視することである。ＲＡＮ１において同意されたように、ＳＳＢとＣＳＩ−ＲＳの両方がＲＬＭ  ＲＳとして設定され得る。しかしながら、各ＢＷＰにはＳＳＢが設定され得ないので、各ＢＷＰにはＣＳＩ−ＲＳが設定され得、ＲＬＭをどのように行うべきかはＲＳごとに異なり得る。ＲＡＮ２において同意されたように、キャリア中に１つのセル規定ＳＳＢ（ｃｅｌｌ−ｄｅｆｉｎｉｎｇ  ＳＳＢ）のみがある。セル規定ＳＳＢは、サービングセルの時間参照と見なされ、ＳＳＢに基づくＲＲＭサービングセル測定について考慮される。ＳＳＢがＲＬＭ  ＲＳとして設定される場合、サービングセルＲＲＭ測定に関して同様の原理に従うことは、有益であり得る。すなわち、セル規定ＳＳＢはＲＬＭのために使用される。これは、セル規定ＳＳＢが現在のアクティブＢＷＰ内にないとき、ＵＥが、ＲＬＭ目的で、セル規定ＳＳＢをもつＢＷＰに切り替えなければならないことを意味する。これは、ＲＲＭ測定についても当てはまる。すなわち、ＵＥがサービングセルＲＲＭ測定を行う必要があり、ＳＳＢがアクティブＢＷＰ内にないとき、ＵＥは、ＲＲＭ測定のために、セル規定ＳＳＢをもつＢＷＰに切り替える必要がある。ＲＡＮ１によれば、ＵＥアクティブＢＷＰ内にないＲＳに対して測定することは、ギャップが必要とされることを意味する。したがって、ＳＳＢベースＲＬＭでは、ＲＬＭは、セル規定ＳＳＢをもつＢＷＰ中にある。ＲＬＭは、アクティブＢＷＰがセル規定ＳＳＢを有しないとき、測定ギャップ中で搬送される。
【０１８５】
ＣＳＩ−ＲＳベースＲＬＭでは、各アクティブＢＷＰには、ＣＳＩ−ＲＳが設定されなければならない。したがって、ＲＬＭが常時アクティブＢＷＰ中にあることは、非常に自然である。言い換えれば、ＣＳＩ−ＲＳベースＲＬＭでは、ＲＬＭは、常にアクティブＢＷＰ中にあり得る。
【０１８６】
ＳＳＢベースＲＬＭとＣＳＩ−ＲＳベースＲＬＭの両方がサポートされる必要があるので、アクティブＢＷＰ中のＲＬＭと指定されたＢＷＰ中のＲＬＭの両方がサポートされるべきであり、どちらを選定すべきかが、どのＲＳがＲＬＭ  ＲＳとして設定されるかに依存することが提案される。ＳＳＢベースＲＬＭはＢＷＰ依存でないので、ＲＬＭ関係パラメータの設定はセルレベルであり得る。ＣＳＩ−ＲＳベースＲＬＭはＢＷＰ依存であるので、ＵＥは、アクティブＢＷＰ中で監視すべきＣＳＩ−ＲＳリソースを知る必要があり、したがって、いくつかの共通パラメータ（たとえば、異なるＢＷＰによって共有されるタイマーおよび定数）のほかに、何らかのＢＷＰ固有ＲＬＭ設定（たとえば、監視すべきＣＳＩ−ＲＳリソースがどこにあるか）があるべきである。したがって、ＣＳＩ−ＲＳベースＲＬＭがセルグループとＢＷＰ固有設定の両方を含むことが提案される。
【０１８７】
ビーム失敗／回復およびＲＬＦトリガリングに関して、以下のＲＡＮ１同意を考慮して、ビーム失敗関係イベントが明示的にその一部であり得るかどうかが考慮されるべきである。ＮＲは、ビーム失敗回復プロシージャとＲＬＭプロシージャとのために同じＲＳが使用される場合、無線リンク失敗（ＲＬＦ）プロシージャを支援するためにビーム失敗回復プロシージャに基づいて（１つまたは複数の）非周期指示を与えるように努力するべきである。第１の例として、ビーム失敗回復プロシージャに基づく（１つまたは複数の）非周期指示は、Ｔ３１０をリセット／停止することができる。第２の例として、ビーム回復プロシージャの失敗に基づく（１つまたは複数の）非周期指示。異なるＲＳが使用される場合の、ＲＬＦプロシージャを支援するための、ビーム失敗回復プロシージャに基づく（１つまたは複数の）非周期指示の使用は、さらなる検討が必要である。
【０１８８】
すなわち、ビーム失敗回復プロシージャの成功または失敗のいずれかを指示する、Ｌ１からの非周期指示があり得る。ＲＬＭ／ＲＬＦプロシージャにおいてそのような非周期指示をどのように使用すべきかが、決められる必要がある。ビーム失敗および回復プロシージャは、以下のように要約され得る。ＵＥは（１つまたは複数の）設定されたＤＬビーム／ビームペアを監視し、その監視に基づいて、ＵＥはビーム失敗を検出することができ、失敗を検出すると、ＵＥは、（設定された場合、同じセルからまたは異なるセルからのいずれかであり得る）（１つまたは複数の）新しいＤＬビーム／ペアを選択することができ、（１つまたは複数の）新しいビームを選択すると、ＵＥは、ネットワークに通知すること（ＵＬメッセージ）によってビーム回復試みをトリガし、ＵＥは、成功した回復を最終的に宣言するためにネットワーク応答を監視する。
【０１８９】
したがって、ビーム失敗回復プロシージャとＲＬＭプロシージャとのために同じＲＳが使用される場合、無線リンク失敗（ＲＬＦ）プロシージャを支援するためにビーム失敗回復プロシージャに基づいて（１つまたは複数の）非周期指示を与えることは、有用であり得る。そのような非周期指示がＲＬＭ／ＲＬＦに影響を及ぼすことがあるか否か、および影響を及ぼすことがある場合、どのように影響を及ぼすことがあるかが、判定される必要がある。（場合によっては、選択されたビーム上でのネットワークメッセージの受信によって指示される）成功したビーム回復がＩＳイベントの生成につながると仮定される場合、および、ＵＥが、成功した回復の後にＲＬＭのために使用されるＲＳを測定することを開始すると、ＩＳイベントの数が増加する可能性があり、ある時点において、それによりＲＬＦタイマーは停止されるべきである。しかしながら、ビーム回復が成功したときにＴ３１０が満了する寸前である場合、リンクの回復を検出することは時間の問題であるということにもかかわらず、ＵＥはＲＬＦを宣言し得る。その理由で、成功した回復を検出すると、ＲＬＦタイマーが直ちに停止されるべきであることが論じられ得る。しかしながら、成功したビーム回復は、リンクが回復される可能性が極めて高いことを指示するが、周期ＩＳイベントは、おそらく、そのリンクが回復されるだけでなく、経時的に安定していることをも上位レイヤが確認することができる、より安全な機構である。したがって、成功したビーム回復の発生時にＲＬＦタイマーを停止するだけでなく、ビーム回復により生成された非周期ＩＳ指示＋（ＬＴＥにおけるＮ３１１と等価なカウンタよりも小さい値であり得る）設定可能な周期ＩＳイベントの数に基づくようにもＵＥを設定する可能性が、考慮されるべきである。ある極端な場合においては、ビーム失敗回復が成功しても、ＲＬＦタイマーを停止するために十分な周期ＩＳイベントがないことがある。したがって、ＲＬＦタイマーを停止するために、成功したビーム回復が周期ＩＳとともに使用され得ることが提案される。
【０１９０】
ビーム失敗回復の失敗に関して、これが下位レイヤの観点から意味があるにすぎないと仮定すると、さらなるビーム失敗回復プロシージャは継続しない。したがって、ＵＥがビーム失敗回復の失敗の指示を送った後にそのリンクを回復することができるかどうかは、明確でない。これがビーム失敗回復プロシージャ試みの数またはこのビーム失敗回復プロシージャの持続時間に依存すると仮定される場合。試みの数が小さいか、またはこのビーム失敗回復プロシージャの持続時間が短い場合、十中八九、ＵＥは、それがビーム失敗回復プロシージャを継続しなくても、ＵＥのリンクを依然として回復することができる。たとえば、ＵＥは障害によって阻止され、後で、この障害は除去される。したがって、ある場合にビーム回復が失敗したという指示を受信したときに直ちにＲＬＦを宣言することは、妥当でない。一方、何らかの他の場合にそのような指示を考慮しないことは、同じく妥当でないことがある。ＵＥがビーム失敗回復の失敗の指示を受信した後にそのリンクを回復することができるかどうかは、シナリオ依存である。（Ｔ３１０が開始されていなかった場合に）Ｔ３１０を開始すること、またはＲＬＦを宣言することのいずれかを行うために、ビーム回復の失敗が周期ＯＯＳとともに使用され得ることが提案される。
【０１９１】
その上、ビーム回復の成功または失敗の指示、ビーム失敗を回復する試みも、ＲＬＭ／ＲＬＦプロシージャについて考慮され得る。可能なシナリオは、ＵＥが、ビーム失敗を検出し、たとえば、関連するＵＬ回復要求を送る前に新しいビームを選択することによって、ビーム回復のための準備を開始することである。そのプロセス中に、ＲＬＦタイマーは稼働していることがあり、その結果、ＵＥが依然として回復することを試みている間に、たとえばＵＥが十分に強く安定している新しいビームを選択した場合、プロシージャが成功する高い潜在性にもかかわらず、ＲＬＦが潜在的に宣言され得る。成功の場合について提案されたように、ＵＥがまた、回復試み時にさえＲＬＦタイマーを停止し、その試みが成功しなかった場合、ＲＬＦタイマーが再び（すなわちＯＯＳイベントに基づいて）開始するまでより長い時間を要し、ＵＥは、はるかに長い間不必要に到達不可能になる。したがって、ＲＬＦタイマーの早期停止を回避するために、回復試み中にＲＬＦタイマーを保留にする可能性があり得る。ビーム失敗回復が成功した場合、提案１が適用され得、成功しなかった場合、提案２が適用され得る。ＲＬＦタイマーを保留にするためにビーム回復試みが使用され得ることが提案される。
【０１９２】
ＬＴＥでは、ＲＬＦモデリングは２つの段階を有する。ＲＬＦタイマーがＬＴＥにおいてトリガされる前に第１の段階が発生し、後で第２の段階が開始する。未解決の問題の中には、ＲＬＦタイマーが満了した後の第２の段階の存在がある。ＬＴＥでは、再確立がトリガされる前に、第２のタイマーがトリガされ、ＵＥベースモビリティ／セル再選択が可能にされる。
【０１９３】
ＲＬＦタイマーが満了したとき、「第２の段階」タイマーが開始し、ＵＥがＵＥベースモビリティ（すなわちセル再選択）を実施することを可能にされることが提案される。
【０１９４】
ＬＴＥでは、ＲＬＦタイマーが満了したとき、ＲＲＣ接続再確立プロシージャがトリガされ、ここで、ＵＥは最初にセル再選択を実施する。新しい選択されたセルが依然としてＬＴＥセルである場合、ＵＥは、そのセル上でランダムアクセスプロシージャを始動し、次いで、ネットワークのほうへＲＲＣＣｏｎｎｅｃｔｉｏｎＲｅｅｓｔａｂｌｉｓｈｍｅｎｔＲｅｑｕｅｓｔメッセージを送る。新しい選択されたセルがＲＡＴ間セルである場合、ＵＥは、ＲＲＣ＿ＣＯＮＮＥＣＴＥＤを出ると、アクションを実施するべきである。
【０１９５】
ＮＲでは、さらに説明されるべきである、第２の段階に関係する追加の態様は、ＵＥがビーム回復を実施するように前に設定されていたセルに、ＵＥが再選択する場合に関係する。言い換えれば、ネットワークは、ビーム失敗時に、ＰＣｅｌｌからビームを選択すること、または別のセルからビームを選択することのいずれかを行うように、ＵＥを設定することができる。ＲＬＦが宣言され、これらの設定されたセルのうちの１つに再選択した後に、通常のＲＲＣ接続再設定の代わりにこれらのセルのうちの１つにビーム回復を実施しない理由はない。
【０１９６】
ＮＲにおいて考慮すべき追加の態様は、ＲＬＦ時にＵＥがＬＴＥセルに再選択するという可能性である。新しい選択されたセルが、次世代コアに接続するＬＴＥセルである場合、ＵＥが、ＲＲＣ＿ＣＯＮＮＥＣＴＥＤ状態を出て、最初からセル選択を行うことは必要でないと考える。この新しい選択されたセルがＲＡＴ間セルであっても、ＵＥは、ＲＲＣ＿ＣＯＮＮＥＣＴＥＤを出る代わりに、同様にＲＲＣ再確立プロシージャを継続するべきである。これは、ＬＴＥセルと古いＮＲセルとが同じコアネットワークを使用しているとき、ＵＥが古いＮＲセルからＬＴＥセルにおけるそのコンテキストを構築することができるので、妥当である。新しい選択されたセルが、レガシーＥＰＣに接続するＬＴＥセルまたは他のＲＡＴ間セルである場合、ＵＥは、ＲＲＣ＿ＣＯＮＮＥＣＴＥＤを出ると、アクションを実施するべきである。ＵＥがＮＲにおいてＲＬＦに遭遇し、５ＧＣに接続するＮＲセルまたはＬＴＥセルに再選択したとき、ＲＲＣ接続再確立プロシージャが適用されることが提案される。他の場合、ＵＥは、ＲＲＣ＿ＣＯＮＮＥＣＴＥＤを出ると、アクションを実施する。
【０１９７】
図７は、いくつかの実施形態による、ＵＥにおける方法７００のフローチャートである。方法７００は、ステップ７０１において始まり、ＵＥは、１つまたは複数の無線リンク監視設定を取得し、各無線リンク監視設定は少なくとも１つの帯域幅部分に関連する。
【０１９８】
いくつかの実施形態では、１つまたは複数の無線リンク監視設定を取得することは、ネットワークノードからのメッセージ中で１つまたは複数の無線リンク監視設定を受信することを含み得る。いくつかの実施形態では、１つまたは複数の無線リンク監視設定を取得することは、１つまたは複数のあらかじめ規定されたルールに従って１つまたは複数の無線リンク監視設定を決定することを含み得る。
【０１９９】
いくつかの実施形態では、各無線リンク監視設定は、その関連する帯域幅部分内で無線リンク監視を実施するための無線リソースのセットと、その関連する帯域幅部分内で無線リンク監視を実施するための１つまたは複数の設定パラメータとを備え得る。
【０２００】
いくつかの実施形態では、無線リソースのセットは、ＣＳＩ−ＲＳリソースを備え得る。いくつかの実施形態では、無線リソースのセットは、ＳＳＢを備え得る。
【０２０１】
いくつかの実施形態では、その関連する帯域幅部分内で無線リンク監視を実施するための１つまたは複数の設定パラメータは、１つまたは複数のフィルタ処理パラメータと、１つまたは複数の無線リンク失敗タイマーと、評価期間と、無線リンク失敗が宣言される前の再送信の数と、仮想的チャネル設定と、仮想的信号設定と、測定されたリンク品質および仮想的チャネルブロック誤り率についての、マッピング関数とのうちの１つまたは複数を備え得る。いくつかの実施形態では、その関連する帯域幅部分内で無線リンク監視を実施するための１つまたは複数の設定パラメータは、１つまたは複数のフィルタ処理パラメータを備え得、１つまたは複数のフィルタ処理パラメータは、Ｎ３１０、Ｎ３１１、Ｎ３１３、およびＮ３１４カウンタのうちの１つまたは複数を備え得る。いくつかの実施形態では、その関連する帯域幅部分内で無線リンク監視を実施するための１つまたは複数の設定パラメータは、１つまたは複数の無線リンク失敗タイマーを備え得、１つまたは複数の無線リンク失敗タイマーは、Ｔ３１０、Ｔ３１１、Ｔ３１３、およびＴ３１４タイマーのうちの１つまたは複数を備え得る。
【０２０２】
いくつかの実施形態では、取得された１つまたは複数の無線リンク監視設定のうちの少なくとも１つが、デフォルト無線リンク監視設定を備え得る。いくつかの実施形態では、デフォルト無線リンク監視設定はデフォルト帯域幅部分に関連し得る。
【０２０３】
ステップ７０２において、ＵＥは、ＵＥがソース帯域幅部分からターゲット帯域幅部分に切り替えるべきであると決定する。
【０２０４】
ステップ７０３において、ＵＥは、ターゲット帯域幅部分に関連する取得された無線リンク監視設定に従って、ターゲット帯域幅部分に対して無線リンク監視を実施する。
【０２０５】
いくつかの実施形態では、本方法は、第１の帯域幅部分および第２の帯域幅部分のダウンリンクチャネル品質の監視を実施することを含み得る。いくつかの実施形態では、監視を実施することは、第１の時間期間中に、第１の帯域幅部分に関連する無線リンク監視設定に従って第１の帯域幅部分の無線リンク品質を推定することと、第２の時間期間中に、第２の帯域幅部分に関連する無線リンク監視設定に従って第２の帯域幅部分の無線リンク品質を推定することであって、第２の時間期間が第１の時間期間と少なくとも部分的に重複する、第２の帯域幅部分の無線リンク品質を推定することとを含み得る。いくつかの実施形態では、第１の帯域幅部分はソース帯域幅部分を備え得、第２の帯域幅部分はターゲット帯域幅部分を備え得る。いくつかの実施形態では、監視は、第１の帯域幅部分および第２の帯域幅部分のうちの１つまたは複数のアクティブ化レートに基づいてトリガされ得る。
【０２０６】
いくつかの実施形態では、ターゲット帯域幅部分に関連する無線リンク監視設定は、無線リソースの複数のセットを備え得、本方法は、あらかじめ規定されたルールに基づいて、ターゲット帯域幅部分に対して無線リンク監視を実施するために使用すべき無線リソースの複数のセットのうちの１つまたは複数を選択することをさらに含み得る。
【０２０７】
いくつかの実施形態では、複数の無線リンク監視設定がターゲット帯域幅部分に関連し得、本方法は、ターゲット帯域幅部分に対して無線リンク監視を実施するために複数の無線リンク監視設定のうちの１つを使用するようにとの命令をダウンリンク制御情報を介して受信することをさらに含み得る。
【０２０８】
いくつかの実施形態では、ソース帯域幅部分に関連する無線リンク監視設定と、ターゲット帯域幅部分に関連する無線リンク監視設定とは、同じ無線リソースを使用し得、ターゲット帯域幅部分に関連する取得された無線リンク監視設定に従ってターゲット帯域幅部分に対して無線リンク監視を実施することは、同期外れイベントおよび同期中イベントを生成するために、前に実施された測定および前に実施された測定サンプルのうちの１つまたは複数を使用することを含み得る。
【０２０９】
いくつかの実施形態では、ソース帯域幅部分に関連する無線リンク監視設定とターゲット帯域幅部分に関連する無線リンク監視設定とは、異なる無線リソースを使用し得る。いくつかの実施形態では、ターゲット帯域幅部分に関連する取得された無線リンク監視設定に従って、ターゲット帯域幅部分に対して無線リンク監視を実施することは、無線リンク失敗タイマーまたは無線リンク失敗カウンタをリセットすることなしに同期外れイベントおよび同期中イベントを生成するために、前に実施された測定および前に実施された測定サンプルのうちの１つまたは複数に相関関数を適用することを含み得る。いくつかの実施形態では、ターゲット帯域幅部分に関連する取得された無線リンク監視設定に従って、ターゲット帯域幅部分に対して無線リンク監視を実施することは、無線リンク失敗タイマーおよび無線リンク失敗カウンタのうちの少なくとも１つをリセットすることを含み得る。いくつかの実施形態では、無線リンク失敗タイマーおよび無線リンク失敗カウンタのうちの少なくとも１つをリセットすることは、同期外れイベントのための無線リンク監視に関連する無線リンク失敗タイマーおよび無線リンク失敗カウンタのセットをリセットすることと、同期中イベントのための無線リンク監視に関連する無線リンク失敗タイマーおよび無線リンク失敗カウンタのセットが継続することを可能にすることとを含み得る。いくつかの実施形態では、無線リンク失敗タイマーおよび無線リンク失敗カウンタのうちの少なくとも１つをリセットすることは、無線リンク失敗カウンタをリセットすることなしに１つまたは複数の無線リンク失敗タイマーをリセットすることを含み得る。
【０２１０】
図８は、いくつかの実施形態による、仮想化装置の概略ブロック図である。より詳細には、図８は、無線ネットワーク（たとえば、図６に示されている無線ネットワーク）における装置８００の概略ブロック図を示す。本装置は、無線デバイス（たとえば、図６に示されている無線デバイス１１０）において実装され得る。装置８００は、図７に関して説明された例示的な方法、および、場合によっては、本明細書で開示される任意の他のプロセスまたは方法を行うように動作可能である。また、図７の方法は、必ずしも装置８００のみによって行われるとは限らないことを理解されたい。その方法の少なくともいくつかの動作は、１つまたは複数の他のエンティティによって実施され得る。
【０２１１】
仮想装置８００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得るメモリに記憶されたプログラムコードを実行するように設定され得る。メモリに記憶されたプログラムコードは、いくつかの実施形態では、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、受信ユニット８０２、決定ユニット８０４、通信ユニット８０６、および装置８００の任意の他の好適なユニットに、本開示の１つまたは複数の実施形態による、対応する機能を実施させるために使用され得る。
【０２１２】
いくつかの実施形態では、装置８００はＵＥであり得る。図８に示されているように、装置８００は、受信ユニット８０２と、決定ユニット８０４と、通信ユニット８０６とを含む。受信ユニット８０２は、装置８００の受信機能を実施するように設定され得る。たとえば、受信ユニット８０２は、１つまたは複数の無線リンク監視設定を取得するように設定され得、各無線リンク監視設定は少なくとも１つの帯域幅部分に関連する。いくつかの実施形態では、受信ユニット８０２は、ネットワークノードからのメッセージ中で１つまたは複数の無線リンク監視設定を受信するように設定され得る。
【０２１３】
別の例として、いくつかの実施形態では、複数の無線リンク監視設定がターゲット帯域幅部分に関連し得、受信ユニット８０２は、ターゲット帯域幅部分に対して無線リンク監視を実施するために複数の無線リンク監視設定のうちの１つを使用するようにとの命令を、ダウンリンク制御情報を介して受信するように設定され得る。
【０２１４】
受信ユニット８０２は、（たとえば、無線デバイスまたは別のネットワークノードから）任意の好適な情報を受信し得る。受信ユニット８０２は、図６に関して上記で説明されたＲＦトランシーバ回路要素１２２など、受信機および／またはトランシーバを含み得る。受信ユニット８０２は、メッセージおよび／または信号を受信する（無線または有線）ように設定された回路要素を含み得る。特定の実施形態では、受信ユニット８０２は、受信されたメッセージおよび／または信号を決定ユニット８０４および／または装置８００の任意の他の好適なユニットに通信し得る。受信ユニット８０２の機能は、いくつかの実施形態では、１つまたは複数の異なったユニットにおいて実施され得る。
【０２１５】
決定ユニット８０４は、装置８００の処理機能を実施し得る。たとえば、決定ユニット８０４は、１つまたは複数の無線リンク監視設定を取得するように設定され得、各無線リンク監視設定は少なくとも１つの帯域幅部分に関連する。いくつかの実施形態では、決定ユニット８０４は、１つまたは複数のあらかじめ規定されたルールに従って１つまたは複数の無線リンク監視設定を決定するように設定され得る。別の例として、決定ユニット８０４は、ＵＥがソース帯域幅部分からターゲット帯域幅部分に切り替えるべきであると決定するように設定され得る。
【０２１６】
さらに別の例として、決定ユニット８０４は、ターゲット帯域幅部分に関連する取得された無線リンク監視設定に従って、ターゲット帯域幅部分に対して無線リンク監視を実施するように設定され得る。いくつかの実施形態では、決定ユニット８０４は、第１の帯域幅部分および第２の帯域幅部分のダウンリンクチャネル品質の監視を実施するように設定され得る。いくつかの実施形態では、決定ユニット８０４は、第１の時間期間中に、第１の帯域幅部分に関連する無線リンク監視設定に従って第１の帯域幅部分の無線リンク品質を推定することと、第２の時間期間中に、第２の帯域幅部分に関連する無線リンク監視設定に従って第２の帯域幅部分の無線リンク品質を推定することであって、第２の時間期間が第１の時間期間と少なくとも部分的に重複する、第２の帯域幅部分の無線リンク品質を推定することとを行うように設定され得る。
【０２１７】
また別の例として、いくつかの実施形態では、ターゲット帯域幅部分に関連する無線リンク監視設定は、無線リソースの複数のセットを備え得、決定ユニット８０４は、あらかじめ規定されたルールに基づいて、ターゲット帯域幅部分に対して無線リンク監視を実施するために使用すべき無線リソースの複数のセットのうちの１つまたは複数を選択するように設定され得る。
【０２１８】
別の例として、いくつかの実施形態では、ソース帯域幅部分に関連する無線リンク監視設定と、ターゲット帯域幅部分に関連する無線リンク監視設定とは、同じ無線リソースを使用し得、決定ユニット８０４は、同期外れイベントおよび同期中イベントを生成するために、前に実施された測定および前に実施された測定サンプルのうちの１つまたは複数を使用するように設定され得る。
【０２１９】
別の例として、いくつかの実施形態では、ソース帯域幅部分に関連する無線リンク監視設定と、ターゲット帯域幅部分に関連する無線リンク監視設定とは、異なる無線リソースを使用し得、ターゲット帯域幅部分に関連する取得された無線リンク監視設定に従ってターゲット帯域幅部分に対して無線リンク監視を実施するために、決定ユニット８０４は、無線リンク失敗タイマーまたは無線リンク失敗カウンタをリセットすることなしに同期外れイベントおよび同期中イベントを生成するために、前に実施された測定および前に実施された測定サンプルのうちの１つまたは複数に相関関数を適用するように設定され得る。いくつかの実施形態では、決定ユニット８０４は、無線リンク失敗タイマーおよび無線リンク失敗カウンタのうちの少なくとも１つをリセットするように設定され得る。いくつかの実施形態では、決定ユニット８０４は、同期外れイベントのための無線リンク監視に関連する無線リンク失敗タイマーおよび無線リンク失敗カウンタのセットをリセットすることと、同期中イベントのための無線リンク監視に関連する無線リンク失敗タイマーおよび無線リンク失敗カウンタのセットが継続することを可能にすることとを行うように設定され得る。いくつかの実施形態では、決定ユニット８０４は、無線リンク失敗カウンタをリセットすることなしに１つまたは複数の無線リンク失敗タイマーをリセットするように設定され得る。
【０２２０】
決定ユニット８０４は、図６に関して上記で説明された処理回路要素１２０など、１つまたは複数のプロセッサを含むか、またはそれらのプロセッサ中に含まれ得る。決定ユニット８０４は、決定ユニット８０４および／または上記で説明された処理回路要素１２０の機能のうちのいずれかを実施するように設定されたアナログおよび／またはデジタル回路要素を含み得る。決定ユニット８０４の機能は、いくつかの実施形態では、１つまたは複数の異なったユニットにおいて実施され得る。
【０２２１】
通信ユニット８０６は、装置８００の送信機能を実施するように設定され得る。通信ユニット８０６は、（たとえば、無線デバイスおよび／または別のネットワークノードに）メッセージを送信し得る。通信ユニット８０６は、図６に関して上記で説明されたＲＦトランシーバ回路要素１２２など、送信機および／またはトランシーバを含み得る。通信ユニット８０６は、（たとえば、無線または有線手段を通して）メッセージおよび／または信号を送信するように設定された回路要素を含み得る。特定の実施形態では、通信ユニット８０６は、決定ユニット８０４または装置８００の任意の他のユニットから送信のためのメッセージおよび／または信号を受信し得る。通信ユニット８０６の機能は、いくつかの実施形態では、１つまたは複数の異なったユニットにおいて実施され得る。
【０２２２】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能などを行うための、電気および／または電子回路要素、デバイス、モジュール、プロセッサ、メモリ、論理固体および／または個別デバイス、コンピュータプログラムまたは命令を含み得る。
【０２２３】
図９は、いくつかの実施形態による、ネットワークノードにおける方法９００のフローチャートである。方法９００は、ステップ９０１において始まり、ネットワークノードは、１つまたは複数の無線リンク監視設定を決定し、各無線リンク監視設定は少なくとも１つの帯域幅部分に関連する。
【０２２４】
いくつかの実施形態では、各無線リンク監視設定は、その関連する帯域幅部分内で無線リンク監視を実施するための無線リソースのセットと、その関連する帯域幅部分内で無線リンク監視を実施するための１つまたは複数の設定パラメータとを備え得る。いくつかの実施形態では、無線リソースのセットは、ＣＳＩ−ＲＳリソースを備え得る。いくつかの実施形態では、無線リソースのセットは、ＳＳＢを備え得る。
【０２２５】
いくつかの実施形態では、その関連する帯域幅部分内で無線リンク監視を実施するための１つまたは複数の設定パラメータは、１つまたは複数のフィルタ処理パラメータと、１つまたは複数の無線リンク失敗タイマーと、評価期間と、無線リンク失敗が宣言される前の再送信の数と、仮想的チャネル設定と、仮想的信号設定と、測定されたリンク品質および仮想的チャネルブロック誤り率についての、マッピング関数とのうちの１つまたは複数を備える。いくつかの実施形態では、その関連する帯域幅部分内で無線リンク監視を実施するための１つまたは複数の設定パラメータは、１つまたは複数のフィルタ処理パラメータを備え得、１つまたは複数のフィルタ処理パラメータは、Ｎ３１０、Ｎ３１１、Ｎ３１３、およびＮ３１４カウンタのうちの１つまたは複数を備え得る。いくつかの実施形態では、その関連する帯域幅部分内で無線リンク監視を実施するための１つまたは複数の設定パラメータは、１つまたは複数の無線リンク失敗タイマーを備え得、１つまたは複数の無線リンク失敗タイマーは、Ｔ３１０、Ｔ３１１、Ｔ３１３、およびＴ３１４タイマーのうちの１つまたは複数を備え得る。
【０２２６】
いくつかの実施形態では、決定された１つまたは複数の無線リンク監視設定のうちの少なくとも１つが、デフォルト無線リンク監視設定を備え得る。いくつかの実施形態では、デフォルト無線リンク監視設定はデフォルト帯域幅部分に関連し得る。
【０２２７】
ステップ９０２において、ネットワークノードは、ターゲット帯域幅部分に関連する無線リンク監視設定に従って、ターゲット帯域幅部分に対して無線リンク監視を実施するようにＵＥを設定する。
【０２２８】
いくつかの実施形態では、ターゲット帯域幅部分に関連する無線リンク監視設定に従って、ターゲット帯域幅部分に対して無線リンク監視を実施するようにＵＥを設定することは、ターゲット帯域幅部分に関連する無線リンク監視設定の指示をＵＥに送ることを含み得る。いくつかの実施形態では、ターゲット帯域幅部分に関連する無線リンク監視設定の指示をＵＥに送ることは、ターゲット帯域幅部分のための帯域幅部分設定内の情報エレメント中で、ターゲット帯域幅部分に関連する無線リンク監視設定の指示を送ることを含み得る。いくつかの実施形態では、ターゲット帯域幅部分に関連する無線リンク監視設定の指示をＵＥに送ることは、サービングセル設定内の情報エレメント中で、ターゲット帯域幅部分に関連する無線リンク監視設定の指示を送ることを含み得る。いくつかの実施形態では、指示は、無線リンク監視設定識別子を備え得る。
【０２２９】
いくつかの実施形態では、ターゲット帯域幅部分に関連する無線リンク監視設定に従って、ターゲット帯域幅部分に対して無線リンク監視を実施するようにＵＥを設定することは、１つまたは複数のあらかじめ規定されたルールに従って、ターゲット帯域幅部分に関連する無線リンク監視設定を決定するようにＵＥを設定することを含み得る。
【０２３０】
いくつかの実施形態では、ターゲット帯域幅部分に関連する無線リンク監視設定は、無線リソースの複数のセットを備え得、本方法は、あらかじめ規定されたルールに基づいて、ターゲット帯域幅部分に対して無線リンク監視を実施するために使用すべき無線リソースの複数のセットのうちの１つまたは複数を選択するようにＵＥを設定することをさらに含み得る。
【０２３１】
いくつかの実施形態では、複数の無線リンク監視設定がターゲット帯域幅部分に関連し得、本方法は、ターゲット帯域幅部分に対して無線リンク監視を実施するために複数の無線リンク監視設定のうちの１つを使用するようにとの命令をＵＥに送ることをさらに含み得る。
【０２３２】
いくつかの実施形態では、ソース帯域幅部分に関連する無線リンク監視設定と、ターゲット帯域幅部分に関連する無線リンク監視設定とは、同じ無線リソースを使用し得、ターゲット帯域幅部分に関連する無線リンク監視設定に従って、ターゲット帯域幅部分に対して無線リンク監視を実施するようにＵＥを設定することは、同期外れイベントおよび同期中イベントを生成するために、前に実施された測定および前に実施された測定サンプルのうちの１つまたは複数を使用するようにＵＥを設定することを含み得る。
【０２３３】
いくつかの実施形態では、ソース帯域幅部分に関連する無線リンク監視設定とターゲット帯域幅部分に関連する無線リンク監視設定とは、異なる無線リソースを使用し得る。いくつかの実施形態では、ターゲット帯域幅部分に関連する無線リンク監視設定に従って、ターゲット帯域幅部分に対して無線リンク監視を実施するようにＵＥを設定することは、無線リンク失敗タイマーまたは無線リンク失敗カウンタをリセットすることなしに同期外れイベントおよび同期中イベントを生成するために、１つまたは複数の前に実施された測定および前に実施された測定サンプルに相関関数を適用するようにＵＥを設定することを含み得る。いくつかの実施形態では、ターゲット帯域幅部分に関連する無線リンク監視設定に従って、ターゲット帯域幅部分に対して無線リンク監視を実施するようにＵＥを設定することは、無線リンク失敗タイマーおよび無線リンク失敗カウンタのうちの少なくとも１つをリセットするようにＵＥを設定することを含み得る。いくつかの実施形態では、無線リンク失敗タイマーおよび無線リンク失敗カウンタのうちの少なくとも１つをリセットするようにＵＥを設定することは、同期外れイベントのための無線リンク監視に関連する無線リンク失敗タイマーおよび無線リンク失敗カウンタのセットをリセットするようにＵＥを設定することと、同期中測定のための無線リンク監視に関連する無線リンク失敗タイマーおよび無線リンク失敗カウンタのセットが継続することを可能にするようにＵＥを設定することとを含み得る。いくつかの実施形態では、無線リンク失敗タイマーおよび無線リンク失敗カウンタのうちの少なくとも１つをリセットするようにＵＥを設定することは、無線リンク失敗カウンタをリセットすることなしに１つまたは複数の無線リンク失敗タイマーをリセットするようにＵＥを設定することを含み得る。
【０２３４】
図１０は、いくつかの実施形態による、仮想化装置の概略ブロック図である。より詳細には、図１０は、無線ネットワーク（たとえば、図６に示されている無線ネットワーク）における装置１０００の概略ブロック図を示す。本装置は、ネットワークノード（たとえば、図６に示されているネットワークノード１６０）において実装され得る。装置１０００は、図９に関して説明された例示的な方法、および、場合によっては、本明細書で開示される任意の他のプロセスまたは方法を行うように動作可能である。また、図９の方法は、必ずしも装置１０００のみによって行われるとは限らないことを理解されたい。その方法の少なくともいくつかの動作は、１つまたは複数の他のエンティティによって実施され得る。
【０２３５】
仮想装置１０００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得るメモリに記憶されたプログラムコードを実行するように設定され得る。メモリに記憶されたプログラムコードは、いくつかの実施形態では、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、受信ユニット１００２、決定ユニット１００４、通信ユニット１００６、および装置１０００の任意の他の好適なユニットに、本開示の１つまたは複数の実施形態による、対応する機能を実施させるために使用され得る。
【０２３６】
いくつかの実施形態では、装置１０００はｅＮＢまたはｇＮＢであり得る。図１０に示されているように、装置１０００は、受信ユニット１００２と、決定ユニット１００４と、通信ユニット１００６とを含む。受信ユニット１００２は、装置１０００の受信機能を実施するように設定され得る。受信ユニット１００２は、（たとえば、無線デバイスまたは別のネットワークノードから）任意の好適な情報を受信し得る。受信ユニット１００２は、図６に関して上記で説明されたＲＦトランシーバ回路要素１７２など、受信機および／またはトランシーバを含み得る。受信ユニット１００２は、メッセージおよび／または信号を受信する（無線または有線）ように設定された回路要素を含み得る。特定の実施形態では、受信ユニット１００２は、受信されたメッセージおよび／または信号を決定ユニット１００４および／または装置１０００の任意の他の好適なユニットに通信し得る。受信ユニット１００２の機能は、いくつかの実施形態では、１つまたは複数の異なったユニットにおいて実施され得る。
【０２３７】
決定ユニット１００４は、装置１０００の処理機能を実施し得る。たとえば、決定ユニット１００４は、１つまたは複数の無線リンク監視設定を決定するように設定され得、各無線リンク監視設定は少なくとも１つの帯域幅部分に関連する。別の例として、決定ユニット１００４は、ターゲット帯域幅部分に関連する無線リンク監視設定に従って、ターゲット帯域幅部分に対して無線リンク監視を実施するようにＵＥを設定するように設定され得る。いくつかの実施形態では、決定ユニット１００４は、１つまたは複数のあらかじめ規定されたルールに従って、ターゲット帯域幅部分に関連する無線リンク監視設定を決定するようにＵＥを設定するように設定され得る。いくつかの実施形態では、ターゲット帯域幅部分に関連する無線リンク監視設定は、無線リソースの複数のセットを備え得、決定ユニット１００４は、あらかじめ規定されたルールに基づいて、ターゲット帯域幅部分に対して無線リンク監視を実施するために使用すべき無線リソースの複数のセットのうちの１つまたは複数を選択するようにＵＥを設定するように設定され得る。いくつかの実施形態では、ソース帯域幅部分に関連する無線リンク監視設定と、ターゲット帯域幅部分に関連する無線リンク監視設定とは、同じ無線リソースを使用し得、決定ユニット１００４は、同期外れイベントおよび同期中イベントを生成するために、前に実施された測定および前に実施された測定サンプルのうちの１つまたは複数を使用するようにＵＥを設定するように設定され得る。いくつかの実施形態では、ソース帯域幅部分に関連する無線リンク監視設定と、ターゲット帯域幅部分に関連する無線リンク監視設定とは、異なる無線リソースを使用し得、決定ユニット１００４は、無線リンク失敗タイマーまたは無線リンク失敗カウンタをリセットすることなしに同期外れイベントおよび同期中イベントを生成するために、１つまたは複数の前に実施された測定および前に実施された測定サンプルに相関関数を適用するようにＵＥを設定するように設定され得る。いくつかの実施形態では、決定ユニット１００４は、無線リンク失敗タイマーおよび無線リンク失敗カウンタのうちの少なくとも１つをリセットするようにＵＥを設定するように設定され得る。いくつかの実施形態では、決定ユニット１００４は、同期外れイベントのための無線リンク監視に関連する無線リンク失敗タイマーおよび無線リンク失敗カウンタのセットをリセットするようにＵＥを設定することと、同期中測定のための無線リンク監視に関連する無線リンク失敗タイマーおよび無線リンク失敗カウンタのセットが継続することを可能にするようにＵＥを設定することとを行うように設定され得る。いくつかの実施形態では、決定ユニット１００４は、無線リンク失敗カウンタをリセットすることなしに１つまたは複数の無線リンク失敗タイマーをリセットするようにＵＥを設定するように設定され得る。
【０２３８】
決定ユニット１００４は、図６に関して上記で説明された処理回路要素１７０など、１つまたは複数のプロセッサを含むか、またはそれらのプロセッサ中に含まれ得る。決定ユニット１００４は、決定ユニット１００４および／または上記で説明された処理回路要素１７０の機能のうちのいずれかを実施するように設定されたアナログおよび／またはデジタル回路要素を含み得る。決定ユニット１００４の機能は、いくつかの実施形態では、１つまたは複数の異なったユニットにおいて実施され得る。
【０２３９】
通信ユニット１００６は、装置１０００の送信機能を実施するように設定され得る。たとえば、いくつかの実施形態では、複数の無線リンク監視設定がターゲット帯域幅部分に関連し得、通信ユニット１００６は、ターゲット帯域幅部分に対して無線リンク監視を実施するために複数の無線リンク監視設定のうちの１つを使用するようにとの命令をＵＥに送るように設定され得る。別の例として、通信ユニット１００６は、ターゲット帯域幅部分に関連する無線リンク監視設定の指示をＵＥに送るように設定され得る。いくつかの実施形態では、通信ユニット１００６は、ターゲット帯域幅部分のための帯域幅部分設定内の情報エレメント中で、ターゲット帯域幅部分に関連する無線リンク監視設定の指示を送るように設定され得る。いくつかの実施形態では、通信ユニット１００６は、サービングセル設定内の情報エレメント中で、ターゲット帯域幅部分に関連する無線リンク監視設定の指示を送るように設定され得る。
【０２４０】
通信ユニット１００６は、（たとえば、無線デバイスおよび／または別のネットワークノードに）メッセージを送信し得る。通信ユニット１００６は、図６に関して上記で説明されたＲＦトランシーバ回路要素１７２など、送信機および／またはトランシーバを含み得る。通信ユニット１００６は、（たとえば、無線または有線手段を通して）メッセージおよび／または信号を送信するように設定された回路要素を含み得る。特定の実施形態では、通信ユニット１００６は、決定ユニット１００４または装置１０００の任意の他のユニットから送信のためのメッセージおよび／または信号を受信し得る。通信ユニット１００６の機能は、いくつかの実施形態では、１つまたは複数の異なったユニットにおいて実施され得る。
【０２４１】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能などを行うための、電気および／または電子回路要素、デバイス、モジュール、プロセッサ、メモリ、論理固体および／または個別デバイス、コンピュータプログラムまたは命令を含み得る。
【０２４２】
図１１は、いくつかの実施形態による、ＵＥの一実施形態を示す。本明細書で使用されるユーザ機器またはＵＥは、必ずしも、関連のあるデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイスを表し得る。ＵＥはまた、人間のユーザへの販売、または人間のユーザによる動作を意図されないＮＢ−ＩｏＴ  ＵＥを含む、第３世代パートナーシッププロジェクト（３ＧＰＰ）によって識別される任意のＵＥを備え得る。図１１に示されているＵＥ１１００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図１１はＵＥであるが、本明細書で説明される構成要素は、ＷＤに等しく適用可能であり、その逆も同様である。
【０２４３】
図１１では、ＵＥ１１００は、入出力インターフェース１１０５、無線周波数（ＲＦ）インターフェース１１０９、ネットワーク接続インターフェース１１１１、ランダムアクセスメモリ（ＲＡＭ）１１１７と読取り専用メモリ（ＲＯＭ）１１１９と記憶媒体１１２１などとを含むメモリ１１１５、通信サブシステム１１３１、電源１１１３、および／または他の構成要素、あるいはそれらの任意の組合せに動作可能に結合された、処理回路要素１１０１を含む。記憶媒体１１２１は、オペレーティングシステム１１２３と、アプリケーションプログラム１１２５と、データ１１２７とを含む。他の実施形態では、記憶媒体１１２１は、他の同様のタイプの情報を含み得る。いくつかのＵＥは、図１１に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０２４４】
図１１では、処理回路要素１１０１は、コンピュータ命令およびデータを処理するように設定され得る。処理回路要素１１０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素１１０１は、２つの中央処理ユニット（ＣＰＵ）を含み得る。データは、コンピュータによる使用に好適な形式での情報であり得る。
【０２４５】
図示された実施形態では、入出力インターフェース１１０５は、入力デバイス、出力デバイス、または入出力デバイスに通信インターフェースを提供するように設定され得る。ＵＥ１１００は、入出力インターフェース１１０５を介して出力デバイスを使用するように設定され得る。出力デバイスは、入力デバイスと同じタイプのインターフェースポートを使用し得る。たとえば、ＵＥ１１００への入力およびＵＥ１１００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ１１００は、ユーザがＵＥ１１００に情報をキャプチャすることを可能にするために、入出力インターフェース１１０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０２４６】
図１１では、ＲＦインターフェース１１０９は、送信機、受信機、およびアンテナなど、ＲＦ構成要素に通信インターフェースを提供するように設定され得る。ネットワーク接続インターフェース１１１１は、ネットワーク１１４３ａに通信インターフェースを提供するように設定され得る。ネットワーク１１４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク１１４３ａは、Ｗｉ−Ｆｉネットワークを備え得る。ネットワーク接続インターフェース１１１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース１１１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、あるいは、代替的に、別個に実装され得る。
【０２４７】
ＲＡＭ１１１７は、オペレーティングシステム、アプリケーションプログラム、およびデバイスドライバなど、ソフトウェアプログラムの実行中に、データまたはコンピュータ命令の記憶またはキャッシングを提供するために、バス１１０２を介して処理回路要素１１０１にインターフェースするように設定され得る。ＲＯＭ１１１９は、処理回路要素１１０１にコンピュータ命令またはデータを提供するように設定され得る。たとえば、ＲＯＭ１１１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体１１２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体１１２１は、オペレーティングシステム１１２３と、ウェブブラウザアプリケーション、ウィジェットまたはガジェットエンジン、あるいは別のアプリケーションなどのアプリケーションプログラム１１２５と、データファイル１１２７とを含むように設定され得る。記憶媒体１１２１は、ＵＥ１１００による使用のために、多様な様々なオペレーティングシステムまたはオペレーティングシステムの組合せのうちのいずれかを記憶し得る。
【０２４８】
記憶媒体１１２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体１１２１は、ＵＥ１１００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体１１２１中に有形に具現され得、記憶媒体１１２１はデバイス可読媒体を備え得る。
【０２４９】
図１１では、処理回路要素１１０１は、通信サブシステム１１３１を使用してネットワーク１１４３ｂと通信するように設定され得る。ネットワーク１１４３ａとネットワーク１１４３ｂとは、同じ１つまたは複数のネットワークまたは異なる１つまたは複数のネットワークであり得る。通信サブシステム１１３１は、ネットワーク１１４３ｂと通信するために使用される１つまたは複数のトランシーバを含むように設定され得る。たとえば、通信サブシステム１１３１は、ＩＥＥＥ８０２．ＱＱ２、ＣＤＭＡ、ＷＣＤＭＡ、ＧＳＭ、ＬＴＥ、ＵＴＲＡＮ、ＷｉＭＡＸなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機１１３３および／または受信機１１３５を含み得る。さらに、各トランシーバの送信機１１３３および受信機１１３５は、回路構成要素、ソフトウェアまたはファームウェアを共有し得るか、あるいは、代替的に、別個に実装され得る。
【０２５０】
示されている実施形態では、通信サブシステム１１３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム１１３１は、セルラー通信と、Ｗｉ−Ｆｉ通信と、Ｂｌｕｅｔｏｏｔｈ通信と、ＧＰＳ通信とを含み得る。ネットワーク１１４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク１１４３ｂは、セルラーネットワーク、Ｗｉ−Ｆｉネットワーク、および／またはニアフィールドネットワークであり得る。電源１１１３は、ＵＥ１１００の構成要素に交流（ＡＣ）または直流（ＤＣ）電力を提供するように設定され得る。
【０２５１】
本明細書で説明される特徴、利益および／または機能は、ＵＥ１１００の構成要素のうちの１つにおいて実装されるか、またはＵＥ１１００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム１１３１は、本明細書で説明される構成要素のうちのいずれかを含むように設定され得る。さらに、処理回路要素１１０１は、バス１１０２上でそのような構成要素のうちのいずれかと通信するように設定され得る。別の例では、そのような構成要素のうちのいずれかは、処理回路要素１１０１によって実行されたとき、本明細書で説明される対応する機能を実施する、メモリに記憶されたプログラム命令によって表され得る。別の例では、そのような構成要素のうちのいずれかの機能性は、処理回路要素１１０１と通信サブシステム１１３１との間で分割され得る。別の例では、そのような構成要素のうちのいずれかの非計算集約的機能が、ソフトウェアまたはファームウェアで実装され得、計算集約的機能がハードウェアで実装され得る。
【０２５２】
図１２は、いくつかの実施形態による、仮想化環境を示す概略ブロック図である。より詳細には、図１２は、いくつかの実施形態によって実装される機能が仮想化され得る、仮想化環境１２００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０２５３】
いくつかの実施形態では、本明細書で説明される機能の一部または全部は、ハードウェアノード１２３０のうちの１つまたは複数によってホストされる１つまたは複数の仮想環境１２００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０２５４】
（代替的に、ソフトウェアインスタンス、仮想アプライアンス、ネットワーク機能、仮想ノード、仮想ネットワーク機能などと呼ばれることがある）機能は、本明細書で開示される実施形態のうちのいくつかの特徴、機能、および／または利益のうちのいくつかを実装するように動作可能な、１つまたは複数のアプリケーション１２２０によって実装され得る。アプリケーション１２２０は、処理回路要素１２６０とメモリ１２９０−１とを備えるハードウェア１２３０を提供する、仮想化環境１２００において稼働される。メモリ１２９０−１は、処理回路要素１２６０によって実行可能な命令１２９５を含んでおり、それにより、アプリケーション１２２０は、本明細書で開示される特徴、利益、および／または機能のうちの１つまたは複数を提供するように動作可能である。
【０２５５】
仮想化環境１２００は、１つまたは複数のプロセッサのセットまたは処理回路要素１２６０を備える、汎用または専用のネットワークハードウェアデバイス１２３０を備え、１つまたは複数のプロセッサのセットまたは処理回路要素１２６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ１２９０−１を備え得、メモリ１２９０−１は、処理回路要素１２６０によって実行される命令１２９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）１２７０を備え得、ネットワークインターフェースコントローラ（ＮＩＣ）１２７０は物理ネットワークインターフェース１２８０を含む。各ハードウェアデバイスは、処理回路要素１２６０によって実行可能なソフトウェア１２９５および／または命令を記憶した、非一時的、永続的、機械可読記憶媒体１２９０−２をも含み得る。ソフトウェア１２９５は、１つまたは複数の（ハイパーバイザとも呼ばれる）仮想化レイヤ１２５０をインスタンス化するためのソフトウェア、仮想マシン１２４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０２５６】
仮想マシン１２４０は、仮想処理、仮想メモリ、仮想ネットワーキングまたはインターフェース、および仮想記憶域を備え、対応する仮想化レイヤ１２５０またはハイパーバイザによって稼働され得る。仮想アプライアンス１２２０の事例の異なる実施形態が、仮想マシン１２４０のうちの１つまたは複数上で実装され得、実装は異なるやり方で行われ得る。
【０２５７】
動作中に、処理回路要素１２６０は、ソフトウェア１２９５を実行してハイパーバイザまたは仮想化レイヤ１２５０をインスタンス化し、ハイパーバイザまたは仮想化レイヤ１２５０は、時々、仮想マシンモニタ（ＶＭＭ）と呼ばれることがある。仮想化レイヤ１２５０は、仮想マシン１２４０に、ネットワーキングハードウェアのように見える仮想動作プラットフォームを提示し得る。
【０２５８】
図１２に示されているように、ハードウェア１２３０は、一般的なまたは特定の構成要素をもつスタンドアロンネットワークノードであり得る。ハードウェア１２３０は、アンテナ１２２２５を備え得、仮想化を介していくつかの機能を実装し得る。代替的に、ハードウェア１２３０は、多くのハードウェアノードが協働し、特に、アプリケーション１２２０のライフサイクル管理を監督する、管理およびオーケストレーション（ＭＡＮＯ）１２１００を介して管理される、（たとえば、データセンターまたは顧客構内機器（ＣＰＥ）の場合のような）ハードウェアのより大きいクラスタの一部であり得る。
【０２５９】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０２６０】
ＮＦＶのコンテキストでは、仮想マシン１２４０は、プログラムを、それらのプログラムが、物理的な仮想化されていないマシン上で実行しているかのように稼働する、物理マシンのソフトウェア実装形態であり得る。仮想マシン１２４０の各々と、その仮想マシンに専用のハードウェアであろうと、および／またはその仮想マシンによって仮想マシン１２４０のうちの他の仮想マシンと共有されるハードウェアであろうと、その仮想マシンを実行するハードウェア１２３０のその一部とは、別個の仮想ネットワークエレメント（ＶＮＥ）を形成する。
【０２６１】
さらにＮＦＶのコンテキストでは、仮想ネットワーク機能（ＶＮＦ）は、ハードウェアネットワーキングインフラストラクチャ１２３０の上の１つまたは複数の仮想マシン１２４０において稼働する固有のネットワーク機能をハンドリングすることを担当し、図１２中のアプリケーション１２２０に対応する。
【０２６２】
いくつかの実施形態では、各々、１つまたは複数の送信機１２２２０と１つまたは複数の受信機１２２１０とを含む、１つまたは複数の無線ユニット１２２００は、１つまたは複数のアンテナ１２２２５に結合され得る。無線ユニット１２２００は、１つまたは複数の適切なネットワークインターフェースを介してハードウェアノード１２３０と直接通信し得、無線アクセスノードまたは基地局など、無線能力をもつ仮想ノードを提供するために仮想構成要素と組み合わせて使用され得る。
【０２６３】
いくつかの実施形態では、何らかのシグナリングが、ハードウェアノード１２３０と無線ユニット１２２００との間の通信のために代替的に使用され得る制御システム１２２３０を使用して、実現され得る。
【０２６４】
図１３は、いくつかの実施形態による、中間ネットワークを介してホストコンピュータに接続された例示的な電気通信ネットワークを示す。図１３を参照すると、一実施形態によれば、通信システムが、無線アクセスネットワークなどのアクセスネットワーク１３１１とコアネットワーク１３１４とを備える、３ＧＰＰタイプセルラーネットワークなどの電気通信ネットワーク１３１０を含む。アクセスネットワーク１３１１は、ＮＢ、ｅＮＢ、ｇＮＢまたは他のタイプの無線アクセスポイントなど、複数の基地局１３１２ａ、１３１２ｂ、１３１２ｃを備え、各々が、対応するカバレッジエリア１３１３ａ、１３１３ｂ、１３１３ｃを規定する。各基地局１３１２ａ、１３１２ｂ、１３１２ｃは、有線接続または無線接続１３１５上でコアネットワーク１３１４に接続可能である。カバレッジエリア１３１３ｃ中に位置する第１のＵＥ１３９１が、対応する基地局１３１２ｃに無線で接続するか、または対応する基地局１３１２ｃによってページングされるように設定される。カバレッジエリア１３１３ａ中の第２のＵＥ１３９２が、対応する基地局１３１２ａに無線で接続可能である。この例では複数のＵＥ１３９１、１３９２が示されているが、開示される実施形態は、唯一のＵＥがカバレッジエリア中にある状況、または唯一のＵＥが対応する基地局１３１２に接続している状況に等しく適用可能である。
【０２６５】
電気通信ネットワーク１３１０は、それ自体、ホストコンピュータ１３３０に接続され、ホストコンピュータ１３３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ１３３０は、サービスプロバイダの所有または制御下にあり得、あるいはサービスプロバイダによってまたはサービスプロバイダに代わって動作され得る。電気通信ネットワーク１３１０とホストコンピュータ１３３０との間の接続１３２１および１３２２は、コアネットワーク１３１４からホストコンピュータ１３３０に直接延び得るか、または随意の中間ネットワーク１３２０を介して進み得る。中間ネットワーク１３２０は、パブリックネットワーク、プライベートネットワーク、またはホストされたネットワークのうちの１つ、またはそれらのうちの２つ以上の組合せであり得、中間ネットワーク１３２０は、もしあれば、バックボーンネットワークまたはインターネットであり得、特に、中間ネットワーク１３２０は、２つまたはそれ以上のサブネットワーク（図示せず）を備え得る。
【０２６６】
図１３の通信システムは全体として、接続されたＵＥ１３９１、１３９２とホストコンピュータ１３３０との間のコネクティビティを可能にする。コネクティビティは、オーバーザトップ（ＯＴＴ）接続１３５０として説明され得る。ホストコンピュータ１３３０および接続されたＵＥ１３９１、１３９２は、アクセスネットワーク１３１１、コアネットワーク１３１４、任意の中間ネットワーク１３２０、および考えられるさらなるインフラストラクチャ（図示せず）を媒介として使用して、ＯＴＴ接続１３５０を介して、データおよび／またはシグナリングを通信するように設定される。ＯＴＴ接続１３５０は、ＯＴＴ接続１３５０が通過する、参加する通信デバイスが、ＵＬおよびＤＬ通信のルーティングに気づいていないという意味で、透過的であり得る。たとえば、基地局１３１２は、接続されたＵＥ１３９１にフォワーディング（たとえば、ハンドオーバ）されるべき、ホストコンピュータ１３３０から発信したデータを伴う着信ダウンリンク通信の過去のルーティングについて、通知されないことがあるかまたは通知される必要がない。同様に、基地局１３１２は、ＵＥ１３９１から発信してホストコンピュータ１３３０に向かう発信ＵＬ通信の将来ルーティングに気づいている必要がない。
【０２６７】
図１４は、いくつかの実施形態による、部分的無線接続上で基地局を介してＵＥと通信するホストコンピュータの一例を示す。次に、一実施形態による、前の段落において説明されたＵＥ、基地局およびホストコンピュータの例示的な実装形態が、図１４を参照しながら説明される。通信システム１４００では、ホストコンピュータ１４１０が、通信システム１４００の異なる通信デバイスのインターフェースとの有線接続または無線接続をセットアップおよび維持するように設定された通信インターフェース１４１６を含む、ハードウェア１４１５を備える。ホストコンピュータ１４１０は、記憶能力および／または処理能力を有し得る、処理回路要素１４１８をさらに備える。特に、処理回路要素１４１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１４１０は、ホストコンピュータ１４１０に記憶されるかまたはホストコンピュータ１４１０によってアクセス可能であり、処理回路要素１４１８によって実行可能である、ソフトウェア１４１１をさらに備える。ソフトウェア１４１１は、ホストアプリケーション１４１２を含む。ホストアプリケーション１４１２は、ＵＥ１４３０およびホストコンピュータ１４１０において終端するＯＴＴ接続１４５０を介して接続するＵＥ１４３０など、リモートユーザにサービスを提供するように動作可能であり得る。リモートユーザにサービスを提供する際に、ホストアプリケーション１４１２は、ＯＴＴ接続１４５０を使用して送信されるユーザデータを提供し得る。
【０２６８】
通信システム１４００は、電気通信システム中に提供される基地局１４２０をさらに含み、基地局１４２０は、基地局１４２０がホストコンピュータ１４１０およびＵＥ１４３０と通信することを可能にするハードウェア１４２５を備える。ハードウェア１４２５は、通信システム１４００の異なる通信デバイスのインターフェースとの有線接続または無線接続をセットアップおよび維持するための通信インターフェース１４２６、ならびに基地局１４２０によってサーブされるカバレッジエリア（図１４に図示せず）中に位置するＵＥ１４３０との少なくとも無線接続１４７０をセットアップおよび維持するための無線インターフェース１４２７を含み得る。通信インターフェース１４２６は、ホストコンピュータ１４１０への接続１４６０を容易にするように設定され得る。接続１４６０は直接であり得るか、あるいは、接続１４６０は、電気通信システムのコアネットワーク（図１４に明示的に図示せず）を、および／または電気通信システムの外部の１つまたは複数の中間ネットワークを通過し得る。図示の実施形態では、基地局１４２０のハードウェア１４２５は、処理回路要素１４２８をさらに含み、処理回路要素１４２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局１４２０は、内部的に記憶されるかまたは外部接続を介してアクセス可能なソフトウェア１４２１をさらに有する。
【０２６９】
通信システム１４００は、すでに言及されたＵＥ１４３０をさらに含む。ＵＥ１４３０のハードウェア１４３５は、ＵＥ１４３０が現在位置するカバレッジエリアをサーブする基地局との無線接続１４７０をセットアップおよび維持するように設定された、無線インターフェース１４３７を含み得る。ＵＥ１４３０のハードウェア１４３５は、処理回路要素１４３８をさらに含み、処理回路要素１４３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ１４３０は、ＵＥ１４３０に記憶されるかまたはＵＥ１４３０によってアクセス可能であり、処理回路要素１４３８によって実行可能である、ソフトウェア１４３１をさらに備える。ソフトウェア１４３１は、クライアントアプリケーション１４３２を含む。クライアントアプリケーション１４３２は、ホストコンピュータ１４１０のサポートのもとに、ＵＥ１４３０を介して人間のまたは人間でないユーザにサービスを提供するように動作可能であり得る。ホストコンピュータ１４１０では、実行しているホストアプリケーション１４１２は、ＵＥ１４３０およびホストコンピュータ１４１０において終端するＯＴＴ接続１４５０を介して、実行しているクライアントアプリケーション１４３２と通信し得る。ユーザにサービスを提供する際に、クライアントアプリケーション１４３２は、ホストアプリケーション１４１２から要求データを受信し、要求データに応答してユーザデータを提供し得る。ＯＴＴ接続１４５０は、要求データとユーザデータの両方を転送し得る。クライアントアプリケーション１４３２は、クライアントアプリケーション１４３２が提供するユーザデータを生成するためにユーザと対話し得る。
【０２７０】
図１４に示されているホストコンピュータ１４１０、基地局１４２０およびＵＥ１４３０は、それぞれ、図１３のホストコンピュータ１３３０、基地局１３１２ａ、１３１２ｂ、１３１２ｃのうちの１つ、およびＵＥ１３９１、１３９２のうちの１つと同様または同等であり得ることに留意されたい。つまり、これらのエンティティの内部の働きは、図１４に示されているようなものであり得、別個に、周囲のネットワークトポロジーは、図１３のものであり得る。
【０２７１】
図１４では、ＯＴＴ接続１４５０は、仲介デバイスとこれらのデバイスを介したメッセージの正確なルーティングとへの明示的言及なしに、基地局１４２０を介したホストコンピュータ１４１０とＵＥ１４３０との間の通信を示すために抽象的に描かれている。ネットワークインフラストラクチャが、ルーティングを決定し得、ネットワークインフラストラクチャは、ＵＥ１４３０からまたはホストコンピュータ１４１０を動作させるサービスプロバイダから、またはその両方からルーティングを隠すように設定され得る。ＯＴＴ接続１４５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【０２７２】
ＵＥ１４３０と基地局１４２０との間の無線接続１４７０は、本開示全体にわたって説明される実施形態の教示に従う。様々な実施形態のうちの１つまたは複数は、無線接続１４７０が最後のセグメントを形成するＯＴＴ接続１４５０を使用して、ＵＥ１４３０に提供されるＯＴＴサービスの性能を改善する。より正確には、これらの実施形態の教示は、電力消費を改善し、それにより、延長されたバッテリー寿命および低減されたユーザ待ち時間など、利益を提供し得る。
【０２７３】
１つまたは複数の実施形態が改善する、データレート、レイテンシおよび他のファクタを監視する目的での、測定プロシージャが提供され得る。測定結果の変動に応答して、ホストコンピュータ１４１０とＵＥ１４３０との間のＯＴＴ接続１４５０を再設定するための随意のネットワーク機能性がさらにあり得る。測定プロシージャおよび／またはＯＴＴ接続１４５０を再設定するためのネットワーク機能性は、ホストコンピュータ１４１０のソフトウェア１４１１およびハードウェア１４１５でまたはＵＥ１４３０のソフトウェア１４３１およびハードウェア１４３５で、またはその両方で実装され得る。実施形態では、ＯＴＴ接続１４５０が通過する通信デバイスにおいてまたはそれに関連して、センサー（図示せず）が展開され得、センサーは、上記で例示された監視された量の値を供給すること、またはソフトウェア１４１１、１４３１が監視された量を算出または推定し得る他の物理量の値を供給することによって、測定プロシージャに参加し得る。ＯＴＴ接続１４５０の再設定は、メッセージフォーマット、再送信セッティング、好ましいルーティングなどを含み得、再設定は、基地局１４２０に影響を及ぼす必要がなく、再設定は、基地局１４２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ１４１０の測定を容易にするプロプライエタリＵＥシグナリングを伴い得る。測定は、ソフトウェア１４１１および１４３１が、ソフトウェア１４１１および１４３１が伝搬時間、エラーなどを監視する間にＯＴＴ接続１４５０を使用して、メッセージ、特に空のまたは「ダミー」メッセージが送信されることを引き起こすことにおいて、実装され得る。
【０２７４】
図１５は、いくつかの実施形態による、通信システムにおいて実装される方法のフローチャートである。通信システムは、図１３および図１４を参照しながら説明されたものであり得る、ホストコンピュータと基地局とＵＥとを含む。本開示の簡単のために、図１５への図面参照のみがこのセクションに含まれる。ステップ１５１０において、ホストコンピュータはユーザデータを提供する。ステップ１５１０の（随意であり得る）サブステップ１５１１において、ホストコンピュータは、ホストアプリケーションを実行することによって、ユーザデータを提供する。ステップ１５２０において、ホストコンピュータは、ＵＥにユーザデータを搬送する送信を始動する。（随意であり得る）ステップ１５３０において、基地局は、本開示全体にわたって説明される実施形態の教示に従って、ホストコンピュータが始動した送信において搬送されたユーザデータをＵＥに送信する。（また、随意であり得る）ステップ１５４０において、ＵＥは、ホストコンピュータによって実行されるホストアプリケーションに関連付けられたクライアントアプリケーションを実行する。
【０２７５】
図１６は、いくつかの実施形態による、通信システムにおいて実装される方法のフローチャートである。通信システムは、図１３および図１４を参照しながら説明されたものであり得る、ホストコンピュータと基地局とＵＥとを含む。本開示の簡単のために、図１６への図面参照のみがこのセクションに含まれる。本方法のステップ１６１０において、ホストコンピュータはユーザデータを提供する。随意のサブステップ（図示せず）において、ホストコンピュータは、ホストアプリケーションを実行することによって、ユーザデータを提供する。ステップ１６２０において、ホストコンピュータは、ＵＥにユーザデータを搬送する送信を始動する。送信は、本開示全体にわたって説明される実施形態の教示に従って、基地局を介して進み得る。（随意であり得る）ステップ１６３０において、ＵＥは、送信において搬送されたユーザデータを受信する。
【０２７６】
図１７は、いくつかの実施形態による、通信システムにおいて実装される方法のフローチャートである。通信システムは、図１３および図１４を参照しながら説明されたものであり得る、ホストコンピュータと基地局とＵＥとを含む。本開示の簡単のために、図１７への図面参照のみがこのセクションに含まれる。（随意であり得る）ステップ１７１０において、ＵＥは、ホストコンピュータによって提供された入力データを受信する。追加または代替として、ステップ１７２０において、ＵＥはユーザデータを提供する。ステップ１７２０の（随意であり得る）サブステップ１７２１において、ＵＥは、クライアントアプリケーションを実行することによって、ユーザデータを提供する。ステップ１７１０の（随意であり得る）サブステップ１７１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１７３０において、ホストコンピュータへのユーザデータの送信を始動する。本方法のステップ１７４０において、ホストコンピュータは、本開示全体にわたって説明される実施形態の教示に従って、ＵＥから送信されたユーザデータを受信する。
【０２７７】
図１８は、いくつかの実施形態による、通信システムにおいて実装される方法のフローチャートである。通信システムは、図１３および図１４を参照しながら説明されたものであり得る、ホストコンピュータと基地局とＵＥとを含む。本開示の簡単のために、図１８への図面参照のみがこのセクションに含まれる。（随意であり得る）ステップ１８１０において、本開示全体にわたって説明される実施形態の教示に従って、基地局は、ＵＥからユーザデータを受信する。（随意であり得る）ステップ１８２０において、基地局は、ホストコンピュータへの、受信されたユーザデータの送信を始動する。（随意であり得る）ステップ１８３０において、ホストコンピュータは、基地局によって始動された送信において搬送されたユーザデータを受信する。
【０２７８】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得るメモリに記憶されたプログラムコードを実行するように設定され得る。メモリに記憶されたプログラムコードは、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０２７９】
本開示の範囲から逸脱することなく、本明細書で説明されるシステムおよび装置に対して修正、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各メンバーまたはセットのサブセットの各メンバーを指す。
【０２８０】
本開示の範囲から逸脱することなく、本明細書で説明される方法に対して修正、追加、または省略が行われ得る。本方法は、より多数の、より少数の、または他のステップを含み得る。さらに、ステップは、任意の好適な順序で実施され得る。
【０２８１】
本開示はいくつかの実施形態に関して説明されたが、実施形態の改変および置換は当業者に明らかである。したがって、実施形態の上記の説明は、本開示を制約しない。他の変更、置換、および改変が、以下の特許請求の範囲によって規定される、本開示の趣旨および範囲から逸脱することなく可能である。
【０２８２】
以下の略語のうちの少なくともいくつかが本開示で使用され得る。略語間で不一致がある場合、その略語が上記でどのように使用されたかが優先されるべきである。以下で複数回リストされる場合、第１のリスティングが（１つまたは複数の）後続のリスティングよりも優先されるべきである。
１ｘ  ＲＴＴ  ＣＤＭＡ２０００  １ｘ無線送信技術
３ＧＰＰ  第３世代パートナーシッププロジェクト
５Ｇ  第５世代
ＡＢＳ  オールモストブランクサブフレーム
ＡＲＱ  自動再送要求
ＡＳＮ．１  抽象構文記法１
ＡＷＧＮ  加法性白色ガウス雑音
ＢＣＣＨ  ブロードキャスト制御チャネル
ＢＣＨ  ブロードキャストチャネル
ＢＬＥＲ  ブロック誤り率
ＢＷＰ  帯域幅部分
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＯＲＥＳＥＴ  制御リソースセット
ＣＰ  サイクリックプレフィックス
ＣＰＩＣＨ  共通パイロットチャネル
ＣＰＩＣＨ  Ｅｃ／Ｎｏ  帯域中の電力密度で除算されたチップごとのＣＰＩＣＨ受信エネルギー
ＣＱＩ  チャネル品質情報
Ｃ−ＲＮＴＩ  セルＲＮＴＩ
ＣＲＳ  セル固有参照信号
ＣＳＩ  チャネル状態情報
ＣＳＩ−ＲＳ  チャネル状態情報参照信号
ＤＣＣＨ  専用制御チャネル
ＤＣＩ  ダウンリンク制御情報
ＤＬ  ダウンリンク
ＤＭ  復調
ＤＭＲＳ  復調用参照信号
ＤＲＢ  データ無線ベアラ
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイルロケーションセンター
Ｅ−ＵＴＲＡＮ  拡張ユニバーサル地上無線アクセスネットワーク
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  エボルブドサービングモバイルロケーションセンター
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  さらなる検討が必要
ＧＥＲＡＮ  ＧＳＭ  ＥＤＧＥ無線アクセスネットワーク
ｇＮＢ  ＮＲにおける基地局
ＧＮＳＳ  グローバルナビゲーション衛星システム
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＩＥ  情報エレメント
ＩｏＴ  モノのインターネット
ＩＳ  同期中
Ｌ１  レイヤ１
Ｌ２  レイヤ２
ＬＯＳ  見通し線
ＬＰＰ  ＬＴＥ測位プロトコル
ＬＴＥ  Ｌｏｎｇ−Ｔｅｒｍ  Ｅｖｏｌｕｔｉｏｎ
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＣＧ  マスタセルグループ
ＭＤＴ  ドライブテスト最小化
ＭＩＢ  マスタ情報ブロック
ＭＭＥ  モビリティ管理エンティティ
ＭＳＣ  モバイルスイッチングセンター
ＮＢ  狭帯域
ＮＢ−ＩｏＴ  狭帯域モノのインターネット
ＮＰＤＣＣＨ  狭帯域物理ダウンリンク制御チャネル
ＮＲ  新しい無線
ＮＷ  ネットワーク
ＯＣＮＧ  ＯＦＤＭＡチャネル雑音生成器
ＯＦＤＭ  直交周波数分割多重化
ＯＦＤＭＡ  直交周波数分割多元接続
ＯＯＳ  同期外れ
ＯＳＳ  運用サポートシステム
ＯＴＤＯＡ  観測到達時間差
Ｏ＆Ｍ  運用および保守
ＰＢＣＨ  物理ブロードキャストチャネル
Ｐ−ＣＣＰＣＨ  １次共通制御物理チャネル
ＰＣｅｌｌ  １次セル
ＰＣＦＩＣＨ  物理制御フォーマットインジケータチャネル
ＰＣＩ  物理セル識別情報
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド自動再送要求指示チャネル
ＰＨＹ  物理レイヤ
ＰＬＭＮ  パブリックランドモバイルネットワーク
ＰＭＩ  プリコーダ行列インジケータ
ＰＲＡＣＨ  物理ランダムアクセスチャネル
ＰＲＢ  物理リソースブロック
ＰＲＳ  測位参照信号
ＰＳＣｅｌｌ  １次２次セル
ＰＳＳ  １次同期信号
ＰＵＣＣＨ  物理アップリンク制御チャネル
ＰＵＳＣＨ  物理アップリンク共有チャネル
ＱＡＭ  直交振幅変調
ＲＡＣＨ  ランダムアクセスチャネル
ＲＡＮ  無線アクセスネットワーク
ＲＡＴ  無線アクセス技術
ＲＥ  リソースエレメント
ＲＬＣ  無線リンク制御
ＲＬＦ  無線リンク失敗
ＲＬＭ  無線リンク監視
ＲＮＣ  無線ネットワークコントローラ
ＲＮＴＩ  無線ネットワーク一時識別子
ＲＲＣ  無線リソース制御
ＲＲＨ  リモート無線ヘッド
ＲＲＭ  無線リソース管理
ＲＲＵ  リモートラジオユニット
ＲＳ  参照信号
ＲＳＣＰ  受信信号コード電力
ＲＳＲＰ  参照シンボル受信電力または
参照信号受信電力
ＲＳＲＱ  参照信号受信品質または       
参照シンボル受信品質
ＲＳＳＩ  受信信号強度インジケータ
ＲＳＴＤ  参照信号時間差
ＳＣＨ  同期チャネル
ＳＣｅｌｌ  ２次セル
ＳＣＧ  ２次セルグループ
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＩＮＲ  信号対干渉プラス雑音比
ＳＮＲ  信号対雑音比
ＳＯＮ  自己最適化ネットワーク
ＳＲＢ  信号無線ベアラ
ＳＳ  同期信号
ＳＳＢ  ＳＳブロック
ＳＳＳ  ２次同期信号
ＴＤＤ  時分割複信
ＴＤＯＡ  到達時間差
ＴＯＡ  到達時間
ＴＳＳ  ３次同期信号
ＴＴＩ  送信時間間隔
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＰ  ユーザプレーン
ＵＳＩＭ  汎用加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  ワイドＣＤＭＡ
ＷＤ  無線デバイス
ＷＬＡＮ  ワイドローカルエリアネットワーク
【図１】
2021503754.tif 000010
【図２】
2021503754.tif 000011
【図３】
2021503754.tif 000012
【図４】
2021503754.tif 000013
【図５】
2021503754.tif 000014
【図６】
2021503754.tif 000015
【図７】
2021503754.tif 000016
【図８】
2021503754.tif 000017
【図９】
2021503754.tif 000018
【図１０】
2021503754.tif 000019
【図１１】
2021503754.tif 000020
【図１２】
2021503754.tif 000021
【図１３】
2021503754.tif 000022
【図１４】
2021503754.tif 000023
【図１５】
2021503754.tif 000024
【図１６】
2021503754.tif 000025
【図１７】
2021503754.tif 000026
【図１８】
2021503754.tif 000027
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）（１１０）における方法であって、
１つまたは複数の無線リンク監視設定を取得すること（７０１）であって、各無線リンク監視設定が少なくとも１つの帯域幅部分に関連する、１つまたは複数の無線リンク監視設定を取得すること（７０１）と、
前記ＵＥがソース帯域幅部分からターゲット帯域幅部分に切り替えるべきであると決定すること（７０２）と、
前記ターゲット帯域幅部分に関連する取得された無線リンク監視設定に従って、前記ターゲット帯域幅部分に対して無線リンク監視を実施すること（７０３）と
を含む、方法。
【請求項２】
ネットワークノード（１６０）における方法であって、
１つまたは複数の無線リンク監視設定を決定すること（９０１）であって、各無線リンク監視設定が少なくとも１つの帯域幅部分に関連する、１つまたは複数の無線リンク監視設定を決定すること（９０１）と、
ターゲット帯域幅部分に関連する無線リンク監視設定に従って、前記ターゲット帯域幅部分に対して無線リンク監視を実施するようにユーザ機器（ＵＥ）（１１０）を設定すること（９０２）と
を含む、方法。
【請求項３】
ユーザ機器（ＵＥ）（１１０）であって、
受信機（１１４、１２２）と、
送信機（１１４、１２２）と、
前記受信機および前記送信機に結合された処理回路要素（１２０）と
を含み、前記処理回路要素は、
１つまたは複数の無線リンク監視設定を取得すること（７０１）であって、各無線リンク監視設定が少なくとも１つの帯域幅部分に関連する、１つまたは複数の無線リンク監視設定を取得すること（７０１）と、
前記ＵＥがソース帯域幅部分からターゲット帯域幅部分に切り替えるべきであると決定すること（７０２）と、
前記ターゲット帯域幅部分に関連する取得された無線リンク監視設定に従って、前記ターゲット帯域幅部分に対して無線リンク監視を実施すること（７０３）と
を行うように設定された、ユーザ機器（ＵＥ）（１１０）。
【請求項４】
各無線リンク監視設定が、
その関連する帯域幅部分内で無線リンク監視を実施するための無線リソースのセットと、
その関連する帯域幅部分内で無線リンク監視を実施するための１つまたは複数の設定パラメータと
を含み、
無線リソースの前記セットがチャネル状態情報参照信号（ＣＳＩ−ＲＳ）リソースまたは同期信号ブロック（ＳＳＢ）を含む、請求項３に記載のＵＥ。
【請求項５】
その関連する帯域幅部分内で無線リンク監視を実施するための前記１つまたは複数の設定パラメータは、
１つまたは複数のフィルタ処理パラメータと、
１つまたは複数の無線リンク失敗タイマーと、
評価期間と、
無線リンク失敗が宣言される前の再送信の数と、
仮想的チャネル設定と、
仮想的信号設定と、
測定されたリンク品質および仮想的チャネルブロック誤り率についての、マッピング関数と
のうちの１つまたは複数を含む、請求項４に記載のＵＥ。
【請求項６】
前記取得された１つまたは複数の無線リンク監視設定のうちの少なくとも１つが、デフォルト無線リンク監視設定を含み、
前記デフォルト無線リンク監視設定がデフォルト帯域幅部分に関連する、請求項３から５のいずれか一項に記載のＵＥ。
【請求項７】
前記処理回路要素が、第１の帯域幅部分および第２の帯域幅部分のダウンリンクチャネル品質の監視を実施するようにさらに設定され、監視を実施するように設定された前記処理回路要素は、
第１の時間期間中に、前記第１の帯域幅部分に関連する無線リンク監視設定に従って前記第１の帯域幅部分の無線リンク品質を推定することと、
第２の時間期間中に、前記第２の帯域幅部分に関連する無線リンク監視設定に従って前記第２の帯域幅部分の無線リンク品質を推定することであって、前記第２の時間期間が前記第１の時間期間と少なくとも部分的に重複する、前記第２の帯域幅部分の無線リンク品質を推定することと
を行うようにさらに設定され、
前記第１の帯域幅部分が前記ソース帯域幅部分を含み、
前記第２の帯域幅部分が前記ターゲット帯域幅部分を含む、請求項３から６のいずれか一項に記載のＵＥ。
【請求項８】
前記処理回路要素が、前記第１の帯域幅部分および前記第２の帯域幅部分のうちの１つまたは複数のアクティブ化レートに基づいて前記監視をトリガするようにさらに設定された、請求項７に記載のＵＥ。
【請求項９】
前記ソース帯域幅部分に関連する無線リンク監視設定と、前記ターゲット帯域幅部分に関連する前記無線リンク監視設定とが、同じ無線リソースを使用し、前記ターゲット帯域幅部分に関連する前記取得された無線リンク監視設定に従って前記ターゲット帯域幅部分に対して無線リンク監視を実施するように設定された前記処理回路要素が、
同期外れイベントおよび同期中イベントを生成するために、前に実施された測定および前に実施された測定サンプルのうちの１つまたは複数を使用する
ようにさらに設定された、請求項３から８のいずれか一項に記載のＵＥ。
【請求項１０】
前記ソース帯域幅部分に関連する無線リンク監視設定と前記ターゲット帯域幅部分に関連する前記無線リンク監視設定とが、異なる無線リソースを使用し、前記ターゲット帯域幅部分に関連する前記取得された無線リンク監視設定に従って、前記ターゲット帯域幅部分に対して無線リンク監視を実施するように設定された前記処理回路要素が、
無線リンク失敗タイマーまたは無線リンク失敗カウンタをリセットすることなしに同期外れイベントおよび同期中イベントを生成するために、前に実施された測定および前に実施された測定サンプルのうちの１つまたは複数に相関関数を適用する
ようにさらに設定された、請求項３から８のいずれか一項に記載のＵＥ。
【請求項１１】
前記ソース帯域幅部分に関連する無線リンク監視設定と前記ターゲット帯域幅部分に関連する前記無線リンク監視設定とが、異なる無線リソースを使用し、前記ターゲット帯域幅部分に関連する前記取得された無線リンク監視設定に従って、前記ターゲット帯域幅部分に対して無線リンク監視を実施するように設定された前記処理回路要素が、
同期外れイベントのための無線リンク監視に関連する無線リンク失敗タイマーおよび無線リンク失敗カウンタのセットをリセットすることと、
同期中イベントのための無線リンク監視に関連する無線リンク失敗タイマーおよび無線リンク失敗カウンタのセットが継続することを可能にすることと
を行うようにさらに設定された、請求項１０に記載のＵＥ。
【請求項１２】
前記ソース帯域幅部分に関連する無線リンク監視設定と前記ターゲット帯域幅部分に関連する前記無線リンク監視設定とが、異なる無線リソースを使用し、前記ターゲット帯域幅部分に関連する前記取得された無線リンク監視設定に従って、前記ターゲット帯域幅部分に対して無線リンク監視を実施するように設定された前記処理回路要素が、
無線リンク失敗カウンタをリセットすることなしに１つまたは複数の無線リンク失敗タイマーをリセットする
ようにさらに設定された、請求項３から８のいずれか一項に記載のＵＥ。
【請求項１３】
ネットワークノード（１６０）であって、
受信機（１９０、１７２）と、
送信機（１９０、１７２）と、
前記受信機および前記送信機に結合された処理回路要素（１７０）と
を含み、前記処理回路要素は、
１つまたは複数の無線リンク監視設定を決定すること（９０１）であって、各無線リンク監視設定が少なくとも１つの帯域幅部分に関連する、１つまたは複数の無線リンク監視設定を決定すること（９０１）と、
ターゲット帯域幅部分に関連する無線リンク監視設定に従って、前記ターゲット帯域幅部分に対して無線リンク監視を実施するようにユーザ機器（ＵＥ）（１１０）を設定すること（９０２）と
を行うように設定された、ネットワークノード（１６０）。
【請求項１４】
前記ターゲット帯域幅部分に関連する前記無線リンク監視設定に従って、前記ターゲット帯域幅部分に対して無線リンク監視を実施するように前記ＵＥを設定するように設定された前記処理回路要素が、
前記ターゲット帯域幅部分のための帯域幅部分設定内の情報エレメント中で、前記ターゲット帯域幅部分に関連する前記無線リンク監視設定の指示を送る
ようにさらに設定された、請求項１３に記載のネットワークノード。
【請求項１５】
前記ターゲット帯域幅部分に関連する前記無線リンク監視設定に従って、前記ターゲット帯域幅部分に対して無線リンク監視を実施するように前記ＵＥを設定するように設定された前記処理回路要素が、
サービングセル設定内の情報エレメント中で、前記ターゲット帯域幅部分に関連する前記無線リンク監視設定の指示を送る
ようにさらに設定され、
前記指示が無線リンク監視設定識別子を含む、請求項１３に記載のネットワークノード。
【請求項１６】
各無線リンク監視設定が、
その関連する帯域幅部分内で無線リンク監視を実施するための無線リソースのセットと、
その関連する帯域幅部分内で無線リンク監視を実施するための１つまたは複数の設定パラメータと
を含み、
無線リソースの前記セットがチャネル状態情報参照信号（ＣＳＩ−ＲＳ）リソースまたは同期信号ブロック（ＳＳＢ）を含む、請求項１３から１５のいずれか一項に記載のネットワークノード。
【請求項１７】
その関連する帯域幅部分内で無線リンク監視を実施するための前記１つまたは複数の設定パラメータは、
１つまたは複数のフィルタ処理パラメータと、
１つまたは複数の無線リンク失敗タイマーと、
評価期間と、
無線リンク失敗が宣言される前の再送信の数と、
仮想的チャネル設定と、
仮想的信号設定と、
測定されたリンク品質および仮想的チャネルブロック誤り率についての、マッピング関数と
のうちの１つまたは複数を含む、請求項１６に記載のネットワークノード。
【請求項１８】
前記決定された１つまたは複数の無線リンク監視設定のうちの少なくとも１つが、デフォルト無線リンク監視設定を含み、
前記デフォルト無線リンク監視設定がデフォルト帯域幅部分に関連する、請求項１３から１７のいずれか一項に記載のネットワークノード。
【請求項１９】
ソース帯域幅部分に関連する無線リンク監視設定と、前記ターゲット帯域幅部分に関連する前記無線リンク監視設定とが、同じ無線リソースを使用し、前記ターゲット帯域幅部分に関連する前記無線リンク監視設定に従って前記ターゲット帯域幅部分に対して無線リンク監視を実施するように前記ＵＥを設定するように設定された前記処理回路要素が、
同期外れイベントおよび同期中イベントを生成するために、前に実施された測定および前に実施された測定サンプルのうちの１つまたは複数を使用するように前記ＵＥを設定する
ようにさらに設定された、請求項１３から１８のいずれか一項に記載のネットワークノード。
【請求項２０】
ソース帯域幅部分に関連する無線リンク監視設定と前記ターゲット帯域幅部分に関連する前記無線リンク監視設定とが、異なる無線リソースを使用し、前記ターゲット帯域幅部分に関連する前記無線リンク監視設定に従って、前記ターゲット帯域幅部分に対して無線リンク監視を実施するように前記ＵＥを設定するように設定された前記処理回路要素が、
無線リンク失敗タイマーまたは無線リンク失敗カウンタをリセットすることなしに同期外れイベントおよび同期中イベントを生成するために、１つまたは複数の前に実施された測定および前に実施された測定サンプルに相関関数を適用するように前記ＵＥを設定する
ようにさらに設定された、請求項１３から１９のいずれか一項に記載のネットワークノード。
【請求項２１】
ソース帯域幅部分に関連する無線リンク監視設定と前記ターゲット帯域幅部分に関連する前記無線リンク監視設定とが、異なる無線リソースを使用し、前記ターゲット帯域幅部分に関連する前記無線リンク監視設定に従って、前記ターゲット帯域幅部分に対して無線リンク監視を実施するように前記ＵＥを設定するように設定された前記処理回路要素が、
同期外れイベントのための無線リンク監視に関連する無線リンク失敗タイマーおよび無線リンク失敗カウンタのセットをリセットするように前記ＵＥを設定することと、
同期中測定のための無線リンク監視に関連する無線リンク失敗タイマーおよび無線リンク失敗カウンタのセットが継続することを可能にするように前記ＵＥを設定することと
を行うようにさらに設定された、請求項１３から１９のいずれか一項に記載のネットワークノード。
【請求項２２】
ソース帯域幅部分に関連する無線リンク監視設定と前記ターゲット帯域幅部分に関連する前記無線リンク監視設定とが、異なる無線リソースを使用し、前記ターゲット帯域幅部分に関連する前記無線リンク監視設定に従って、前記ターゲット帯域幅部分に対して無線リンク監視を実施するように前記ＵＥを設定するように設定された前記処理回路要素が、  無線リンク失敗カウンタをリセットすることなしに１つまたは複数の無線リンク失敗タイマーをリセットするように前記ＵＥを設定する
ようにさらに設定された、請求項１３から１９のいずれか一項に記載のネットワークノード。
【国際調査報告】
2021503754.tif 000028
2021503754.tif 000029
2021503754.tif 000030